(57)【特許請求の範囲】
【請求項１】
ワイヤレス通信のための装置であって、
命令を記憶するメモリと、
前記メモリに結合されたプロセッサと、ここにおいて、前記プロセッサおよび前記メモリは、
メッセージの送信のための総帯域幅を決定することと、前記総帯域幅が複数のトーンを備え、
前記総帯域幅中の前記複数のトーンを、複数のトーンブロックに分割することと、前記複数のトーンブロックは、２６トーンブロック、５２トーンブロック、１０６トーンブロック、２４２トーンブロック、または９９６トーンブロックを備え、
指示を決定することと、前記指示は、特定の第１のワイヤレス通信デバイスによる使用のために、前記複数のトーンブロックのうちの１つまたは複数の特定のトーンブロックを割り当て、
を行うように構成され、
少なくとも前記第１のワイヤレス通信デバイスまたは第２のデバイスに、前記指示を送信するように構成された送信機と、
を備え、
前記総帯域幅中の前記複数のトーンは、前記複数のトーンブロックに割り振られたトーン以外のトーンを備え、
前記複数のトーンブロックに割り振られたトーン以外の前記トーンのうちの１つまたは複数が、干渉測定のために使用される、装置。
【請求項２】
前記総帯域幅は、
６つの左エッジトーンと、その後に続く１つの割り振られていないトーンと、その後に続く２つの２６トーンブロックと、その後に続く１つの割り振られていないトーンと、その後に続く２つの２６トーンブロックと、その後に続く分離２６トーンブロックの１３個のトーンと、その後に続く７つの直流（ＤＣ）トーンと、その後に続く前記分離２６トーンブロックの１３個のトーンと、その後に続く２つの２６トーンブロックと、その後に続く１つの割り振られていないトーンと、その後に続く２つの２６トーンブロックと、その後に続く１つの割り振られていないトーンと、その後に続く５つの右エッジトーン、
６つの左エッジトーンと、その後に続く１つの割り振られていないトーンと、その後に続く１つの５２トーンブロックと、その後に続く１つの割り振られていないトーンと、その後に続く１つの５２トーンブロックと、その後に続く分離２６トーンブロックの１３個のトーンと、その後に続く７つのＤＣトーンと、その後に続く前記分離２６トーンブロックの１３個のトーンと、その後に続く１つの５２トーンブロックと、その後に続く１つの割り振られていないトーンと、その後に続く１つの５２トーンブロックと、その後に続く１つの割り振られていないトーンと、その後に続く５つの右エッジトーン、
６つの左エッジトーンと、その後に続く１０６トーンブロックと、その後に続く分離２６トーンブロックの１３個のトーンと、その後に続く７つのＤＣトーンと、その後に続く前記分離２６トーンブロックの１３個のトーンと、その後に続く１０６トーンブロックと、その後に続く５つの右エッジトーン、および
６つの左エッジトーンと、その後に続く分離２４２トーンブロックの１２１個のトーンと、その後に続く３つのＤＣトーンと、その後に続く前記分離２４２トーンブロックの１２１個のトーンと、その後に続く５つの右エッジトーン
のうちの少なくとも１つを備える２０ＭＨｚ帯域幅である、請求項１に記載の装置。
【請求項３】
前記総帯域幅は、
１２個の左エッジトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く５つの直流（ＤＣ）トーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１１個の右エッジトーン、
１２個の左エッジトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く５つのＤＣトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１１個の右エッジトーン、
１２個の左エッジトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く５つのＤＣトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く１１個の右エッジトーン、
１２個の左エッジトーンと、その後に続く２４２トーンブロックと、その後に続く５つのＤＣトーンと、その後に続く２４２トーンブロックと、その後に続く１１個の右エッジトーン
のうちの少なくとも１つを備える４０ＭＨｚ帯域幅である、請求項１に記載の装置。
【請求項４】
前記総帯域幅は、
１２個の左エッジトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く分離２６トーンブロックの１３個のトーンと、その後に続く７つの直流（ＤＣ）トーンと、その後に続く前記分離２６トーンブロックの１３個のトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１１個の右エッジトーン、
１２個の左エッジトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く分離２６トーンブロックの１３個のトーンと、その後に続く７つのＤＣトーンと、その後に続く前記分離２６トーンブロックの１３個のトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１１個の右エッジトーン、
１２個の左エッジトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く２つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く分離２６トーンブロックの１３個のトーンと、その後に続く７つのＤＣトーンと、その後に続く前記分離２６トーンブロックの１３個のトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く２つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く１１個の右エッジトーン、
１２個の左エッジトーンと、その後に続く２つの２４２トーンブロックと、その後に続く分離２６トーンブロックの１３個のトーンと、その後に続く７つのＤＣトーンと、その後に続く前記分離２６トーンブロックの１３個のトーンと、その後に続く２つの２４２トーンブロックと、その後に続く１１個の右エッジトーン、および
１２個の左エッジトーンと、その後に続く分離９９６トーンブロックの４９８個のトーンと、その後に続く５つのＤＣトーンと、その後に続く前記分離９９６トーンブロックの４９８個のトーンと、その後に続く１１個の右エッジトーン
のうちの少なくとも１つを備える８０ＭＨｚ帯域幅である、請求項１に記載の装置。
【請求項５】
前記総帯域幅は、
１２個の左エッジトーンと、その後に続く９９６トーンブロックと、その後に続く２３個の直流（ＤＣ）トーンと、その後に続く９９６トーンブロックと、その後に続く１１個のエッジトーン、ここにおいて、各９９６トーンブロックは単一の局に割り当てられる、
１２個の左エッジトーンと、その後に続く９９６トーンブロックと、その後に続く２３個のＤＣトーンと、その後に続く９９６トーンブロックと、その後に続く１１個のエッジトーン、ここにおいて、各９９６トーンブロックは異なる局に割り当てられる、
１２個の左エッジトーンと、その後に続く９９６トーンブロックと、その後に続く、複数のサブバンドＤＣトーンと１つまたは複数の２６トーンブロック、５２トーンブロック、１０６トーンブロック、または２４２トーンブロックとを含む８０ＭＨｚサブバンド送信と、その後に続く１１個のエッジトーン、
１２個の左エッジトーンと、その後に続く、複数のサブバンドＤＣトーンと１つまたは複数の２６トーンブロック、５２トーンブロック、１０６トーンブロック、または２４２トーンブロックとを含む８０ＭＨｚサブバンド送信と、その後に続く９９６トーンブロックと、その後に続く１１個のエッジトーン、および
１２個の左エッジトーンと、その後に続く、複数のサブバンドＤＣトーンと１つまたは複数の２６トーンブロック、５２トーンブロック、１０６トーンブロック、または２４２トーンブロックとを含む別の８０ＭＨｚサブバンド送信と、その後に続く１１個のエッジトーン
のうちの少なくとも１つを備える１６０ＭＨｚ帯域幅であり、
ここにおいて、前記９９６トーンブロックは、９９６トーン割振りユニット＋サブバンドＤＣトーンとして中間に５つのヌルトーンを備える、請求項１に記載の装置。
【請求項６】
前記プロセッサは、干渉測定において使用するために、前記１つまたは複数のトーンブロックのうちの１つまたは複数のパイロットトーンをパンクチャするように構成される、請求項１に記載の装置。
【請求項７】
前記メッセージは、１０２個のデータトーンと、４つのパイロットトーンと、７つの総直流（ＤＣ）トーンとを備える、少なくとも１つの１０６トーンブロックを備える、請求項１に記載の装置。
【請求項８】
前記メッセージは、２つの８０ＭＨｚ送信を備える１６０ＭＨｚ送信を備える、請求項２に記載の装置。
【請求項９】
前記メッセージは、２つの連続する８０ＭＨｚ送信と、２３個の直流トーンとを備える、請求項８に記載の装置。
【請求項１０】
前記メッセージは、２つの不連続８０ＭＨｚ送信と、サブバンド直流トーンのみとを備える、請求項８に記載の装置。
【請求項１１】
各２６トーンブロックは、２つのパイロットトーンと、２４個のデータトーンとを含む、請求項１に記載の装置。
【請求項１２】
前記プロセッサは、
２３４個のトーンを９個のトーングループに分割すること、４６８個のトーンを１８個のトーングループに分割すること、４９４個のトーンを１９個のトーングループに分割すること、９３６個のトーンを３６個のトーングループに分割すること、９８８個のトーンを３８個のトーングループに分割すること、および１００６個のトーンを３１個のトーングループに分割すること、
のうちの少なくとも１つを行うように構成されることによって、前記総帯域幅中の前記複数のトーンを前記１つまたは複数のトーンブロックに分割するように構成される、請求項１に記載の装置。
【請求項１３】
各２４２トーンブロックは、８つのパイロットトーンと、２３４個のデータトーンとを含む、請求項１に記載の装置。
【請求項１４】
前記プロセッサは、
２４２個のトーンを１つのトーングループに分割すること、４８４個のトーンを２つのトーングループに分割すること、および９６８個のトーンを４つのトーングループに分割すること
のうちの少なくとも１つを行うように構成されることによって、前記総帯域幅中の前記複数のトーンを前記１つまたは複数のトーンブロックに分割するように構成される、請求項１３に記載の装置。
【請求項１５】
前記プロセッサは、共通または制御チャネルに、２０ＭＨｚ送信および４０ＭＨｚ送信のための少なくとも１つのトーングループに加えて、１つまたは複数の割り振られていないトーンを割り当てるようにさらに構成される、請求項１に記載の装置。
【請求項１６】
前記プロセッサは、２０ＭＨｚ送信および４０ＭＨｚ送信のために、前記共通または制御チャネルに、少なくとも１つのトーングループを割り振るようにさらに構成される、請求項１５に記載の装置。
【請求項１７】
前記プロセッサは、初期分散における干渉測定のために、１つまたは複数のトーンを割り振るようにさらに構成される、請求項１５に記載の装置。
【請求項１８】
前記初期分散は、２６トーンブロック間のギャップ中に位置決めされた前記干渉測定のためのトーンを備える、請求項１７に記載の装置。
【請求項１９】
前記プロセッサは、前記干渉測定のためのトーンのロケーションを、後続のシンボルにおける送信のために、２７トーンブロック内で前記トーンの前記ロケーションを循環的にインクリメントすることによって、変更するようにさらに構成され、各２７トーンブロックは、２６トーンブロックと干渉測定のための単一のトーンとを含む、請求項１７に記載の装置。
【請求項２０】
前記プロセッサは、前記干渉測定のためのトーンのロケーションを、後続のシンボルにおける送信のために、使用可能トーンの全体内で前記トーンの前記ロケーションを循環的にインクリメントすることによって、変更するように構成される、請求項１７に記載の装置。
【請求項２１】
前記プロセッサは、前記送信機に、前記干渉測定のためのトーン上で送信させることを控えるようにさらに構成され、
前記装置は、前記干渉測定のためのトーン上で受信される干渉および雑音を測定するように構成された受信機をさらに備える、
請求項１７に記載の装置。
【請求項２２】
前記プロセッサは、前記送信機に、前記２６トーンブロック上で情報を送信させ、前記干渉測定のためのトーン上で送信することを控えるようにさらに構成される、請求項２１に記載の装置。
【請求項２３】
どの２６トーンブロックも２４２トーンブロックの境界を横断しない、請求項１に記載の装置。
【請求項２４】
前記指示は、１つまたは複数のルールに従って信号フィールドにおいて通信される、請求項１に記載の装置。
【請求項２５】
前記装置は、アクセスポイントを備え、
前記プロセッサは、前記アクセスポイントによってサービスされる前記ワイヤレス通信デバイスに、前記アクセスポイントの前記送信機とアンテナとを通して前記指示を送信するように構成される、
請求項１に記載の装置。
【請求項２６】
前記ワイヤレス通信デバイスは、移動局を備え、
前記第２のデバイスは、前記移動局にサービスするアクセスポイントを備え、
前記プロセッサは、前記アクセスポイントに、前記移動局の前記送信機とアンテナとを通して前記指示を送信するように構成される、
請求項１に記載の装置。
【請求項２７】
前記ワイヤレス通信デバイスは、第１の移動局を備え、
前記第２のデバイスは、前記第１の移動局とピアツーピア通信している第２の移動局を備え、
前記プロセッサは、前記第２の移動局に、前記第１の移動局の前記送信機とアンテナとを通して前記指示を送信するように構成される、
請求項１に記載の装置。
【請求項２８】
ワイヤレス通信ネットワークを介して通信する方法であって、
メッセージの送信のための総帯域幅を決定することと、前記総帯域幅は複数のトーンを備え、
前記総帯域幅中の前記複数のトーンを、複数のトーンブロックに分割することと、前記複数のトーンブロックは、２６トーンブロック、５２トーンブロック、１０６トーンブロック、２４２トーンブロック、または９９６トーンブロックを備え、
指示を決定することと、前記指示は、特定の第１のワイヤレス通信デバイスによる使用のために、前記複数のトーンブロックのうちの１つまたは複数の特定のトーンブロックを割り当て、
少なくとも前記第１のワイヤレス通信デバイスまたは第２のデバイスに、前記指示を送信することと、
を備え、
前記総帯域幅中の前記複数のトーンは、前記複数のトーンブロックに割り振られたトーン以外のトーンを備え、
前記複数のトーンブロックに割り振られたトーン以外の前記トーンのうちの１つまたは複数が、干渉測定のために使用される、方法。
【請求項２９】
ワイヤレス通信のための装置であって、
メッセージの送信のための総帯域幅を決定するための手段と、前記総帯域幅は複数のトーンを備え、
前記総帯域幅中の前記複数のトーンを、複数のトーンブロックに分割するための手段と、前記複数のトーンブロックは、複数の２６トーンブロック、５２トーンブロック、１０６トーンブロック、１０７トーンブロック、２４２トーンブロック、９９４トーンブロック、または９９６トーンブロックを備え、
指示を決定するための手段と、前記指示は、特定の第１のワイヤレス通信デバイスによる使用のために、前記複数のトーンブロックのうちの１つまたは複数の特定のトーンブロックを割り当て、
少なくとも前記第１のワイヤレス通信デバイスまたは第２のデバイスに、前記指示を送信するための手段と、
を備え、
前記総帯域幅中の前記複数のトーンは、前記複数のトーンブロックに割り振られたトーン以外のトーンを備え、
前記複数のトーンブロックに割り振られたトーン以外の前記トーンのうちの１つまたは複数が、干渉測定のために使用される、装置。
【請求項３０】
ワイヤレス通信のための装置であって、
前記装置に、複数のトーンブロックに分割される総帯域幅の１つまたは複数の特定のトーンブロックの割当てを与える指示を受信するように構成された受信機と、メッセージの送信のための前記総帯域幅は複数のトーンを備え、前記複数のトーンブロックは、２６トーンブロック、５２トーンブロック、１０６トーンブロック、２４２トーンブロック、または９９６トーンブロックを備え、
命令を記憶するメモリと、
前記メモリに結合されたプロセッサと、ここにおいて、前記プロセッサおよび前記メモリは、前記割当て中で示された複数のトーンブロックに分割される前記総帯域幅の前記１つまたは複数の特定のトーンブロックに従う送信のために前記メッセージを生成するように構成される、
を備え、
前記総帯域幅中の前記複数のトーンは、前記複数のトーンブロックに割り振られたトーン以外のトーンを備え、
前記複数のトーンブロックに割り振られたトーン以外の前記トーンのうちの１つまたは複数が、干渉測定のために使用される、装置。
【発明の詳細な説明】
【技術分野】
【０００１】
本開示のいくつかの態様は、一般にワイヤレス通信に関し、より詳細には、様々なトーンプランに従ってメッセージを与えるための方法および装置に関する。
【背景技術】
【０００２】
[0002]多くの電気通信システムでは、通信ネットワークは、いくつかの対話している空間的に離れたデバイス間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定され得る。ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング）、イーサネット（登録商標）など）によっても異なる。
【０００３】
[0003]ワイヤレスネットワークは、しばしば、ネットワーク要素がモバイルであり、したがって動的接続性の必要を有するときに、またはネットワークアーキテクチャが固定ではなくアドホックなトポロジーで形成される場合に好適である。ワイヤレスネットワークは、無線、マイクロ波、赤外線、光などの周波数帯域中の電磁波を使用する非誘導伝搬モード（unguided propagation mode）で無形（intangible）物理媒体を採用する。ワイヤレスネットワークは、有利には、固定されたワイヤードネットワークと比較すると、ユーザのモビリティと迅速なフィールド展開とを容易にする。
【０００４】
[0004]ワイヤレスネットワーク中のデバイスは、互いの間で情報を送信／受信することができる。デバイス送信は互いに干渉することがあり、いくつかの送信は他の送信を選択的に阻止することがある。多くのデバイスが通信ネットワークを共有する場合、輻輳および非効率的なリンク使用が生じることがある。したがって、ワイヤレスネットワークにおける通信効率を改善するためのシステム、方法、および非一時的コンピュータ可読媒体が必要とされる。
【発明の概要】
【０００５】
[0005]添付の特許請求の範囲内のシステム、方法およびデバイスの様々な実装形態は、それぞれいくつかの態様を有し、それらのうちのいずれの単一の態様も、単独では本明細書で説明される望ましい属性を担わない。添付の特許請求の範囲を限定することなしに、いくつかの特徴が本明細書で説明される。
【０００６】
[0006]本明細書で説明される主題の１つまたは複数の実装形態の詳細が、添付の図面および以下の説明に記載される。他の特徴、態様、および利点は、説明、図面、および特許請求の範囲から明らかになるであろう。以下の図の相対寸法は一定の縮尺で描かれていないことがあることに留意されたい。
【０００７】
[0007]本開示の一態様は、ワイヤレス通信のための装置を提供する。装置は、命令を記憶するメモリを含む。装置は、メモリに結合されたプロセッサをさらに含む。プロセッサおよびメモリは、メッセージの送信のための総帯域幅を決定するように構成され、総帯域幅は、複数のトーンを含む。プロセッサは、総帯域幅中の複数のトーンを、１つまたは複数の２６トーンブロック、５２トーンブロック、１０６トーンブロック、２４２トーンブロック、または９９６トーンブロックに分割するようにさらに構成される。プロセッサは、指示(indication)を決定するようにさらに構成される。指示は、第１のワイヤレス通信デバイスに、１つまたは複数のトーンブロックのうちの１つまたは複数を割り当てる。装置は、少なくとも第１のワイヤレス通信デバイスまたは第２のデバイスに、指示を送信するように構成された送信機をさらに含む。
【図面の簡単な説明】
【０００８】
【図１】本開示の態様が採用され得るワイヤレス通信システムの一例を示す図。
【図２】図１のワイヤレス通信システム内で採用され得るワイヤレスデバイスにおいて利用され得る様々な構成要素を示す図。
【図３】一実施形態による、例示的な２Ｎトーンプランを示す図。
【図４】２０ＭＨｚ送信、４０ＭＨｚ送信、および８０ＭＨｚ送信の図。
【図５Ａ】様々な実装形態による２０ＭＨｚ送信を示す図。
【図５Ｂ】様々な実装形態による２０ＭＨｚ送信を示す図。
【図５Ｃ】様々な実装形態による２０ＭＨｚ送信を示す図。
【図６Ａ】様々な実装形態による４０ＭＨｚ送信を示す図。
【図６Ｂ】様々な実装形態による４０ＭＨｚ送信を示す図。
【図６Ｃ】様々な実装形態による４０ＭＨｚ送信を示す図。
【図６Ｄ】様々な実装形態による４０ＭＨｚ送信を示す図。
【図６Ｅ】様々な実装形態による４０ＭＨｚ送信を示す図。
【図７Ａ】様々な実装形態による８０ＭＨｚ送信を示す図。
【図７Ｂ】様々な実装形態による８０ＭＨｚ送信を示す図。
【図７Ｃ】様々な実装形態による８０ＭＨｚ送信を示す図。
【図７Ｄ】様々な実装形態による８０ＭＨｚ送信を示す図。
【図７Ｅ】様々な実装形態による８０ＭＨｚ送信を示す図。
【図８Ａ】一実施形態による、２４２トーン割振りと整合（アライン：align）される２６トーン割振りを使用する、例示的な２０ＭＨｚ送信を示す図。
【図８Ｂ】一実施形態による、２４２トーン割振りと整合される２６トーン割振りを使用する、例示的な４０ＭＨｚ送信を示す図。
【図８Ｃ】一実施形態による、２４２トーン割振りと整合される２６トーン割振りを使用する、例示的な８０ＭＨｚ送信を示す図。
【図９Ａ】いくつかの実施形態による、２６トーン割振りを使用する例示的な２０ＭＨｚ送信を示す図。
【図９Ｂ】いくつかの実施形態による、２６トーン割振りを使用する例示的な４０ＭＨｚ送信を示す図。
【図９Ｃ】いくつかの実施形態による、２６トーン割振りを使用する例示的な８０ＭＨｚ送信を示す図。
【図９Ｄ】いくつかの実施形態による、２６トーン割振りを使用する例示的な４０ＭＨｚ送信を示す図。
【図９Ｅ】いくつかの実施形態による、２６トーン割振りを使用する例示的な８０ＭＨｚ送信を示す図。
【図１０】一実施形態による、直交周波数分割多元接続（ＯＦＤＭＡ）トーンプランのためのインターリービングパラメータを生成するように動作可能であるシステムを示す図。
【図１１】ワイヤレス通信を送信および受信するために、図１０のワイヤレスデバイスなど、ワイヤレスデバイスにおいて実装され得る例示的な多入力多出力（ＭＩＭＯ）システムを示す図。
【図１２】トーン割振りユニットを使用して、ワイヤレス通信ネットワークを介して通信する例示的な方法のためのフローチャート。
【図１３】様々な帯域幅および実施形態によるトーンプランをまとめたチャート。
【図１４Ａ】１３個のガードトーンを有する例示的な２０ＭＨｚパケットのための周波数上のシミュレートされた性能を示すグラフ。
【図１４Ｂ】１９個のガードトーンを有する例示的な４０ＭＨｚパケットのための周波数上のシミュレートされた性能を示すグラフ。
【図１４Ｃ】３１個のガードトーンを有する例示的な８０ＭＨｚパケットのための周波数上のシミュレートされた性能を示すグラフ。
【図１５Ａ】様々なインターリービング実装形態のための、シミュレートされた性能を示すグラフ。
【図１５Ｂ】様々なインターリービング実装形態のための、シミュレートされた性能を示すグラフ。
【図１６Ａ】一実施形態による、干渉測定のために使用される初期アラインメントトーンを介して２４２トーン割振りと整合される、２６トーン割振りを使用する、例示的な２０ＭＨｚ送信を示す図。
【図１６Ｂ】一実施形態による、干渉測定のために使用される循環シフトされたアラインメントトーンを介して２４２トーン割振りと整合される、２６トーン割振りを使用する、例示的な２０ＭＨｚ送信を示す図。
【図１６Ｃ】別の実施形態による、干渉測定のために使用される循環シフトされたアラインメントトーンを介して２４２トーン割振りと整合される、２６トーン割振りを使用する、例示的な２０ＭＨｚ送信を示す図。
【図１７】ＤＣトーンの各側の（８つの合計の追加のトーンからの）２つの割り振られたトーンの追加とともに、図５Ａの２０ＭＨｚ送信と同じに編成される、例示的な２０ＭＨｚ送信を示す図。
【図１８】各２０ＭＨｚ部分を有し、それぞれ送信の２４２トーンブロックと整合される、図６Ｅの４０ＭＨｚ送信と同じに編成される、４０ＭＨｚ送信を示す図。
【図１９】固定された割振り位置を有する、様々な４０ＭＨｚ送信を示す図。
【図２０Ａ】様々な実施形態による、２６トーン割振り、５２トーン割振り、１０６トーン割振り、１０７トーン割振り、１０８トーン割振り、および／または２４２トーン割振りを使用する、例示的な２０ＭＨｚ送信を示す図。
【図２０Ｂ】様々な実施形態による、２６トーン割振り、５２トーン割振り、１０６トーン割振り、１０７トーン割振り、１０８トーン割振り、および／または２４２トーン割振りを使用する、例示的な４０ＭＨｚ送信を示す図。
【図２０Ｃ】様々な実施形態による、２６トーン割振り、５２トーン割振り、１０６トーン割振り、１０７トーン割振り、１０８トーン割振り、および／または２４２トーン割振りを使用する、例示的な８０ＭＨｚ送信を示す図。
【図２１】トーン割振りユニットを使用して、ワイヤレス通信ネットワークを介して通信する別の例示的な方法のためのフローチャート。
【図２２Ａ】様々な実施形態による、２６トーン割振りと、５２トーン割振りと、１０６トーン割振りと、１０７トーン割振りと、２４２トーン割振りとを使用する、例示的な２０ＭＨｚ送信を示す図。
【図２２Ｂ】様々な実施形態による、２６トーン割振りと、５２トーン割振りと、１０６トーン割振りと、１０７トーン割振りと、２４２トーン割振りとを使用する、例示的な４０ＭＨｚ送信を示す図。
【図２２Ｃ】様々な実施形態による、２６トーン割振りと、５２トーン割振りと、１０６トーン割振りと、１０７トーン割振りと、２４２トーン割振りと、９９６トーン割振りとを使用する、例示的な８０ＭＨｚ送信を示す図。
【図２２Ｄ】様々な実施形態による、９９６トーン割振りを使用する、例示的な１６０ＭＨｚ送信を示す図。
【図２３Ａ】様々な実施形態による、２６トーン割振りと、５２トーン割振りと、１０６トーン割振りと、１０７トーン割振りと、２４２トーン割振りとを使用する、例示的な２０ＭＨｚ送信を示す図。
【図２３Ｂ】様々な実施形態による、２６トーン割振りと、５２トーン割振りと、１０６トーン割振りと、１０７トーン割振りと、２４２トーン割振りとを使用する、例示的な４０ＭＨｚ送信を示す図。
【図２３Ｃ】様々な実施形態による、２６トーン割振りと、５２トーン割振りと、１０６トーン割振りと、１０７トーン割振りと、２４２トーン割振りと、９９６トーン割振りとを使用する、例示的な８０ＭＨｚ送信と１６０ＭＨｚ送信とを示す図。
【図２４Ａ】様々な実施形態による、２６トーン割振りと、５２トーン割振りと、１０６トーン割振りと、１０７トーン割振りと、２４２トーン割振りとを使用する、例示的な２０ＭＨｚ送信を示す図。
【図２４Ｂ】様々な実施形態による、２６トーン割振りと、５２トーン割振りと、１０６トーン割振りと、１０７トーン割振りと、２４２トーン割振りとを使用する、例示的な４０ＭＨｚ送信を示す図。
【図２４Ｃ】様々な実施形態による、２６トーン割振りと、５２トーン割振りと、１０６トーン割振りと、１０７トーン割振りと、２４２トーン割振りと、９９６トーン割振りとを使用する、例示的な８０ＭＨｚ送信と１６０ＭＨｚ送信とを示す図。
【発明を実施するための形態】
【０００９】
[0036]新規のシステム、装置、および方法の様々な態様について、以下で、添付図面を参照してより十分に説明される。ただし、本開示の教示は、多くの異なる形態で具現化され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わされるにせよ、本明細書で開示される新規のシステム、装置、および方法のいかなる態様をも包含することが意図されることを、当業者は諒解されたい。たとえば、本明細書に記載される任意の数の態様を使用して、装置が実装されてよく、または方法が実践されてよい。加えて、本発明の範囲は、本明細書に記載される本発明の様々な態様に加えて、またはそれ以外の、他の構造、機能、または構造および機能を使用して実践されるそのような装置または方法を包含することが意図される。本明細書で開示されるいかなる態様も、請求項の１つまたは複数の要素によって具現化され得ることを理解されたい。
【００１０】
[0037]本明細書では特定の態様が説明されるが、これらの態様の多くの変形形態および置換が本開示の範囲内に入る。好ましい態様のいくつかの利益および利点が説明されるが、本開示の範囲は、特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかが、図において、および好適な態様の以下の説明において、例として示される。発明を実施するための形態および図面は、限定的ではなく本開示の例示にすぎず、本開示の範囲は、添付の特許請求の範囲およびその均等物によって定義される。
デバイスを実装すること
[0038]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明される様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００１１】
[0039]いくつかの態様では、ワイヤレス信号は、直交周波数分割多重（ＯＦＤＭ）、直接シーケンススペクトラム拡散（ＤＳＳＳ）通信、ＯＦＤＭとＤＳＳＳ通信との組合せ、または他の方式を使用して、高効率８０２．１１プロトコルに従って送信され得る。
【００１２】
[0040]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントがあり得る。一般に、ＡＰは、ＷＬＡＮのハブまたは基地局として機能し、ＳＴＡは、ＷＬＡＮのユーザとして機能する。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的接続性を取得するために、Ｗｉ−Ｆｉ（たとえば、８０２．１１ａｘなどのＩＥＥＥ８０２．１１プロトコル）準拠ワイヤレスリンクを介してＡＰに接続する。いくつかの実装形態では、ＳＴＡはＡＰとしても使用され得る。
【００１３】
[0041]本明細書で説明される技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、ＧＳＭ（登録商標）または当技術分野で知られている何らかの他の規格を実装することができる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは、データを用いて独立して変調され得る。ＯＦＤＭシステムは、ＩＥＥＥ８０２．１１または当技術分野で知られている何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアの１つのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装することができる。
【００１４】
[0042]本明細書の教示は、様々なワイヤード装置またはワイヤレス装置（たとえば、ノード）に組み込まれ得る（たとえば、その装置内で実装されるか、またはその装置によって実行され得る）。いくつかの態様では、本明細書の教示に従って実装されるワイヤレスノードは、アクセスポイントまたはアクセス端末を備えることができる。
【００１５】
[0043]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００１６】
[0044]また、局「ＳＴＡ」は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された任意の他の好適なデバイスに組み込まれ得る。
【００１７】
[0045]図１は、本開示の態様が採用され得るワイヤレス通信システム１００の一例を示す。ワイヤレス通信システム１００は、ワイヤレス規格、たとえば８０２．１１ａｘ規格に従って動作することができる。ワイヤレス通信システム１００は、ＳＴＡ１０６と通信するＡＰ１０４を含み得る。
【００１８】
[0046]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。そうである場合、ワイヤレス通信システム１００は、ＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。そうである場合、ワイヤレス通信システム１００は、ＣＤＭＡシステムと呼ばれることがある。
【００１９】
[0047]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクは、アップリンク（ＵＬ）１１０と呼ばれることがある。代替的に、ダウンリンク１０８は、順方向リンクまたは順方向チャネルと呼ばれることがあり、アップリンク１１０は、逆方向リンクまたは逆方向チャネルと呼ばれることがある。
【００２０】
[0048]ＡＰ１０４は、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６とともに、基本サービスセット（ＢＳＳ）と呼ばれることがある。ワイヤレス通信システム１００が中央ＡＰ１０４を持たず、むしろ、ＳＴＡ１０６間のピアツーピアネットワークとして機能できることに留意されたい。したがって、本明細書で説明されるＡＰ１０４の機能は、代替的にＳＴＡ１０６のうちの１つまたは複数によって実行され得る。
【００２１】
[0049]図２は、ワイヤレス通信システム１００内で採用され得るワイヤレスデバイス２０２において利用され得る様々な構成要素を示す。ワイヤレスデバイス２０２は、本明細書で説明される様々な方法を実施するように構成され得るデバイスの一例である。たとえば、ワイヤレスデバイス２０２は、ＡＰ１０４を備えるか、またはＳＴＡ１０６のうちの１つを備え得る。
【００２２】
[0050]ワイヤレスデバイス２０２は、ワイヤレスデバイス２０２の動作を制御するプロセッサ２０４を含み得る。プロセッサ２０４は、中央処理ユニット（ＣＰＵ）と呼ばれることもある。読取り専用メモリ（ＲＯＭ）とランダムアクセスメモリ（ＲＡＭ）の両方を含み得るメモリ２０６は、プロセッサ２０４に命令とデータとを与える。メモリ２０６の一部は、不揮発性ランダムアクセスメモリ（ＮＶＲＡＭ）をも含み得る。プロセッサ２０４は、通常、メモリ２０６内に記憶されたプログラム命令に基づいて、論理演算と算術演算とを実行する。メモリ２０６中の命令は、本明細書で説明される方法を実施するように実行可能であり得る。
【００２３】
[0051]プロセッサ２０４は、１つまたは複数のプロセッサを用いて実装された処理システムを備えることができ、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェア構成要素、専用ハードウェア有限ステートマシン、または情報の計算もしくは他の操作を実行できる任意の他の好適なエンティティの、任意の組合せを用いて実装され得る。
【００２４】
[0052]処理システムはまた、ソフトウェアを記憶するための機械可読媒体を含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明される様々な機能を処理システムに実行させる。
【００２５】
[0053]ワイヤレスデバイス２０２はまた、ワイヤレスデバイス２０２と遠隔ロケーションとの間のデータの送信と受信とを可能にするために、送信機２１０と受信機２１２とを含み得るハウジング２０８を含み得る。送信機２１０と受信機２１２とは、組み合わされてトランシーバ２１４になり得る。アンテナ２１６は、ハウジング２０８に取り付けられ得、トランシーバ２１４に電気的に結合され得る。ワイヤレスデバイス２０２はまた、たとえば、ＭＩＭＯ通信中に利用され得る、複数の送信機、複数の受信機、複数のトランシーバ、および／または複数のアンテナを含むことができる（図示せず）。
【００２６】
[0054]ワイヤレスデバイス２０２は、トランシーバ２１４によって受信された信号のレベルを検出および定量化するために使用され得る信号検出器２１８をも含み得る。信号検出器２１８は、そのような信号を、総エネルギー、シンボルごとのサブキャリア当たりのエネルギー、電力スペクトル密度、および他の信号として検出することができる。ワイヤレスデバイス２０２は、信号を処理する際に使用するためのデジタル信号プロセッサ（ＤＳＰ）２２０をも含み得る。ＤＳＰ２２０は、送信用のデータユニットを生成するように構成され得る。いくつかの態様では、データユニットは、物理レイヤデータユニット（ＰＰＤＵ）を備え得る。いくつかの態様では、ＰＰＤＵはパケットと呼ばれる。
【００２７】
[0055]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００２８】
[0056]ワイヤレスデバイス２０２の様々な構成要素は、バスシステム２２６によって互いに結合され得る。バスシステム２２６は、たとえば、データバス、ならびに、データバスに加えて、電力バスと、制御信号バスと、ステータス信号バスとを含み得る。ワイヤレスデバイス２０２の構成要素は、何らかの他の機構を使用して、一緒に結合され得るか、または互いに対する入力を受け入れ、もしくは与え得ることを当業者は諒解されよう。
【００２９】
[0057]いくつかの別個の構成要素が図２に図示されているが、構成要素のうちの１つまたは複数は組み合わされるかまたは共通に実装され得ることを、当業者は認識されよう。たとえば、プロセッサ２０４は、プロセッサ２０４に関して上記で説明された機能を実装するためだけでなく、信号検出器２１８および／またはＤＳＰ２２０に関して上記で説明された機能を実装するためにも使用され得る。さらに、図２に図示された構成要素の各々は、複数の別個の要素を使用して実装され得る。
【００３０】
[0058]上記で説明されたように、ワイヤレスデバイス２０２は、ＡＰ１０４またはＳＴＡ１０６を備えることができ、通信を送信および／または受信するために使用され得る。ワイヤレスネットワークにおけるデバイス間で交換される通信は、パケットまたはフレームを備え得るデータユニットを含み得る。いくつかの態様では、データユニットは、データフレーム、制御フレーム、および／または管理フレームを含み得る。データフレームは、ＡＰおよび／またはＳＴＡから他のＡＰおよび／またはＳＴＡにデータを送信するために使用され得る。制御フレームは、様々な動作を実行するためのおよびデータを確実に配信するためのデータフレーム（たとえば、データの受信を肯定応答すること、ＡＰのポーリング、エリアクリアリング動作、チャネル取得、キャリア検知保守機能など）とともに使用され得る。管理フレームは、（たとえば、ワイヤレスネットワークに加わり、そのネットワークから離れるなどのための）様々な監視機能のために使用され得る。
【００３１】
[0059]本開示のいくつかの態様は、ＡＰ１０４が、効率を改善するために最適化された方法でＳＴＡ１０６送信を割り振ることを可能にすることをサポートする。高効率ワイヤレス（ＨＥＷ：high efficiency wireless）局、すなわち、（８０２．１１ａｘなどの）８０２．１１高効率プロトコルを利用する局と、（８０２．１１ｂなどの）より古いまたはレガシーの８０２．１１プロトコルを使用する局の両方は、ワイヤレス媒体にアクセスする際に互いに競合または協調することができる。いくつかの実施形態では、本明細書で説明される高効率８０２．１１プロトコルは、ＨＥＷ局およびレガシー局が、（トーンマップと呼ばれることもある）様々なＯＦＤＭＡトーンプランに従って相互動作することを可能にすることができる。いくつかの実施形態では、ＨＥＷ局は、ＯＦＤＭＡにおいて多元接続技法を使用することによってなど、より効率的な方法でワイヤレス媒体にアクセスすることができる。したがって、集合住宅または人口密度の高い公共空間の場合、高効率８０２．１１プロトコルを使用するＡＰおよび／またはＳＴＡは、アクティブなワイヤレスデバイスの数が増加するときでも、低減されたレイテンシと増大されたネットワークスループットを経験することができ、それによってユーザ体験を改善することができる。
【００３２】
[0060]いくつかの実施形態では、ＡＰ１０４は、ＨＥＷ  ＳＴＡのための様々なＤＬトーンプランに従ってワイヤレス媒体上で送信することができる。たとえば、図１に関して、ＳＴＡ１０６Ａ〜１０６Ｄは、ＨＥＷ  ＳＴＡであり得る。いくつかの実施形態では、ＨＥＷ  ＳＴＡは、レガシーＳＴＡのシンボル持続時間の４倍のシンボル持続時間を使用して通信することができる。したがって、送信される各シンボルは、持続時間において４倍長くあり得る。より長いシンボル持続時間を使用するとき、個々のトーンの各々は、送信されるべき帯域幅の１／４程度のみを必要とし得る。たとえば、様々な実施形態では、１ｘシンボル持続時間は３．２ｍｓであり得、４ｘシンボル持続時間は１２．８ｍｓであり得る。ＡＰ１０４は、通信帯域幅に基づいて、１つまたは複数のトーンプランに従ってＨＥＷ  ＳＴＡ１０６Ａ〜１０６Ｄへメッセージを送信することができる。いくつかの態様では、ＡＰ１０４は、ＯＦＤＭＡを使用して、複数のＨＥＷ  ＳＴＡに同時に送信するように構成され得る。
マルチキャリア割振りのための効率的なトーンプラン設計
[0061]図３は、一実施形態による、例示的な２Ｎトーンプラン３００を示す。一実施形態では、トーンプラン３００は、２Ｎ点ＦＦＴを使用して生成された、周波数領域におけるＯＦＤＭトーンに対応する。トーンプラン３００は、−Ｎ〜Ｎ−１でインデックス付けされた２Ｎ個のＯＦＤＭトーンを含む。トーンプラン３００は、エッジトーン３１０の２つのセットと、データ／パイロットトーン３２０の２つのセットと、直流（ＤＣ）トーン３３０の１つのセットとを含む。様々な実施形態では、エッジトーン３１０およびＤＣトーン３３０は、ヌルであり得る。様々な実施形態では、トーンプラン３００は、別の好適な数のパイロットトーンを含み、および／または他の好適なトーンロケーションにあるパイロットトーンを含む。
【００３３】
[0062]いくつかの態様では、ＯＦＤＭＡトーンプランは、様々なＩＥＥＥ８０２．１１プロトコルと比較して、４ｘシンボル持続時間を使用した送信のために与えられ得る。たとえば、４ｘシンボル持続時間は、各々持続時間が１２．８ｍｓであるいくつかのシンボルを使用し得る（一方、いくつかの他のＩＥＥＥ８０２．１１プロトコルにおけるシンボルは、持続時間が３．２ｍｓであり得る）。
【００３４】
[0063]いくつかの態様では、送信３００のデータ／パイロットトーン３２０は、任意の数の異なるユーザの間で分割され得る。たとえば、データ／パイロットトーン３２０は、１人から８人のユーザの間で分割され得る。データ／パイロットトーン３２０を分割するために、ＡＰ１０４または別のデバイスは、様々なデバイスにシグナリングして、特定の送信中に、どのデバイスが（データ／パイロットトーン３２０の）どのトーン上で送信または受信し得るのかを示し得る。したがって、データ／パイロットトーン３２０を分割するためのシステムおよび方法が望まれることがあり、この分割は、トーンプランに基づき得る。
【００３５】
[0064]トーンプランは、いくつかの異なる特性に基づいて選定され得る。たとえば、帯域幅の大部分のまたはすべてにわたって一貫し得る単純なトーンプランを有することが有益であり得る。たとえば、ＯＦＤＭＡ送信は、２０、４０、または８０ＭＨｚを介して送信され得、これらの帯域幅のいずれかのために使用され得るトーンプランを使用することが望ましいことがある。さらに、トーンプランは、それがより少ない数のビルディングブロックサイズを使用するという点で単純であり得る。たとえば、トーンプランは、トーン割振りユニット（ＴＡＵ：tone allocation unit）と呼ばれることがあるユニットを含み得る。このユニットは、特定のユーザに特定の量の帯域幅を割り当てるために使用され得る。たとえば、１人のユーザには、いくつかのＴＡＵとして帯域幅が割り当てられ得、送信のデータ／パイロットトーン３２０は、いくつかのＴＡＵに分解され得る。いくつかの態様では、単一のサイズのＴＡＵを有することが有益であり得る。たとえば、２つ以上のサイズのＴＡＵがあった場合、そのデバイスに割り振られるトーンをデバイスに通知するためにより多くのシグナリングが必要になり得る。対照的に、すべてのトーンが一貫したサイズのＴＡＵに分解される場合、デバイスへのシグナリングは、単に、そのデバイスに割り当てられたＴＡＵの数をデバイスに示すことが必要になり得る。したがって、単一のＴＡＵサイズを使用することは、シグナリングを低減し、様々なデバイスへのトーン割振りを簡略化し得る。
【００３６】
[0065]トーンプランはまた、効率に基づいて選定され得る。たとえば、異なる帯域幅（たとえば、２０、４０、または８０ＭＨｚ）の送信は、異なる数のトーンを有し得る。したがって、ＴＡＵの作成後により少ない数のトーンのレフトオーバー(leftover)を残すＴＡＵサイズを選定することが有益であり得る。たとえば、ＴＡＵが、１００個のトーンであった場合、および、ある送信が１９９個のトーンを含んだ場合、これは、１つのＴＡＵを作成した後に９９個のトーンのレフトオーバーを残し得る。したがって、９９個のトーンが「レフトオーバー」トーンと見なされ得、これは、まったく非効率的であり得る。したがって、レフトオーバートーンの数を低減することが有益であり得る。また、ＵＬ  ＯＦＤＭＡ送信とＤＬ  ＯＦＤＭＡ送信の両方で同じトーンプランが使用されることを可能にするトーンプランが使用される場合、有益であり得る。さらに、必要とされるとき、２０および４０ＭＨｚの境界を保持するようにトーンプランが構成される場合、有益であり得る。たとえば、帯域幅の２つの異なる２０または４０ＭＨｚ部分の間の境界上にある割振りを有するのではなく、各２０または４０ＭＨｚ部分が互いに別個に復号されることを可能にするトーンプランを有することが望ましいことがある。たとえば、干渉パターンが２０または４０ＭＨｚのチャネルと整合（アライン）されることが有益であり得る。さらに、２０ＭＨｚ送信と４０ＭＨｚ送信とが送信されるとき、８０ＭＨｚを介して送信されるときに送信中に２０ＭＨｚの「穴」を作成することのように、チャネルバインディングを有することが有益であり得る。これは、たとえば、帯域幅のこの未使用部分中でレガシーパケットが送信されることを可能にし得る。最後に、異なる帯域幅中でなど、様々な異なる送信中で固定のパイロットトーンロケーションを与えるトーンプランを使用することも有利であり得る。
【００３７】
[0066]概して、いくつかの異なる実装形態が提示される。たとえば、２つ以上の異なるトーンユニットなどの複数の異なるビルディングブロックを含むいくつかの実装形態が作成されている。たとえば、基本トーンユニット（ＢＴＵ：basic tone unit）と、基本トーンユニットよりも小さいスモールトーンユニット（ＳＴＵ：small tone unit）とがあり得る。さらに、ＢＴＵ自体のサイズは、送信の帯域幅に基づいて変動し得る。別の実装形態では、トーンユニットではなく、リソースブロックが使用される。しかしながら、いくつかの態様では、ＯＦＤＭＡにおける送信のすべての帯域幅に単一のトーン割振りユニットＴＡＵを使用することが有益であり得る。
【００３８】
[0067]図４は、２０ＭＨｚ送信、４０ＭＨｚ送信、および８０ＭＨｚ送信の図である。図４に示されるように、各送信は、１つまたは複数の２６トーンＴＡＵ、あるいは１つまたは複数の２４２トーンＴＡＵの組合せから形成され得る。概して、ＩＥＥＥ８０２．１１ａｘ送信における２６個のトーンは、２．０３ＭＨｚの帯域幅を介して送信され得、２４２個のトーンは、１８．９１ＭＨｚの帯域幅を介して送信され得る。たとえば、一実装形態では、２５６のＦＦＴサイズを有する２０ＭＨｚ送信は、９つの２６トーンＴＡＵから形成された２３４個の割振りトーンを含み、ＤＣトーン、エッジトーン、および他のレフトオーバートーンのために、２２個の残りのトーンを残し得る。２３４個の割振りトーンは、データトーンおよびパイロットトーンとして使用され得る。別の実装形態では、２５６のＦＦＴサイズを有する２０ＭＨｚ送信は、１つの２４２トーンＴＡＵから形成された２４２個の割振りトーンを含み、ＤＣトーン、エッジトーン、および他のレフトオーバートーンのために、１４個の残りのトーンを残し得る。２４２個の割振りトーンは、データトーンおよびパイロットトーンとして使用され得る。
【００３９】
[0068]別の例として、一実装形態では、５１２のＦＦＴサイズを有する４０ＭＨｚ送信は、１９個の２６トーンＴＡＵから形成された４９４個の割振りトーンを含み、ＤＣトーン、エッジトーン、および他のレフトオーバートーンのために、１８個の残りのトーンを残し得る。４９４個の割振りトーンは、データトーンおよびパイロットトーンとして使用され得る。別の実装形態では、５１２のＦＦＴサイズを有する４０ＭＨｚ送信は、１８個の２６トーンＴＡＵから形成された４６８個の割振りトーンを含み、ＤＣトーン、エッジトーン、および他のレフトオーバートーンのために、４４個の残りのトーンを残し得る。４６８個の割振りトーンは、データトーンおよびパイロットトーンとして使用され得る。別の実装形態では、５１２のＦＦＴサイズを有する４０ＭＨｚ送信は、２つの２４２トーンＴＡＵから形成された４８４個の割振りトーンを含み、ＤＣトーン、エッジトーン、および他のレフトオーバートーンのために、２８個の残りのトーンを残し得る。４８４個の割振りトーンは、データトーンおよびパイロットトーンとして使用され得る。
【００４０】
[0069]別の例として、一実装形態では、１０２４のＦＦＴサイズを有する８０ＭＨｚ送信は、３８個の２６トーンＴＡＵから形成された９８８個の割振りトーンを含み、ＤＣトーン、エッジトーン、および他のレフトオーバートーンのために、３６個の残りのトーンを残し得る。９８８個の割振りトーンは、データトーンおよびパイロットトーンとして使用され得る。別の実装形態では、１０２４のＦＦＴサイズを有する８０ＭＨｚ送信は、３６個の２６トーンＴＡＵから形成された９３６個の割振りトーンを含み、ＤＣトーン、エッジトーン、および他のレフトオーバートーンのために、８８個の残りのトーンを残し得る。９３６個の割振りトーンは、データトーンおよびパイロットトーンとして使用され得る。別の実装形態では、１０２４のＦＦＴサイズを有する８０ＭＨｚ送信は、４つの２４２トーンＴＡＵから形成された９６８個の割振りトーンを含み、ＤＣトーン、エッジトーン、および他のレフトオーバートーンのために、５６個の残りのトーンを残し得る。９６８個の割振りトーンは、データトーンおよびパイロットトーンとして使用され得る。
【００４１】
[0070]様々な実施形態では、２０ＭＨｚ実装形態のための第９の２６トーンブロック、および４０ＭＨｚ実装形態のための第１９の２６トーンブロックのロケーションは、ＤＣを横断する（cross）か、またはエッジにおけるものであるかのいずれかであり得る。一実施形態では、ＤＣ＋レフトオーバートーンの数が６よりも大きいとき、最後の２６トーンブロックは、ＤＣの周囲に分散され得る。別の実施形態では、ガードトーン＋レフトオーバートーンの数が、２０ＭＨｚ実装形態で１２よりも大きく、４０ＭＨｚ実装形態では１８よりも大きいとき、最後の２６トーンブロックは、エッジにおいて分散され得る。一実施形態では、可能にされる割振りユニットサイズは、ＴＸモードを低減するために制限され得る。一実施形態では、４０ＭＨｚにおける第１９の２６トーンＲＵは、割振りユニットが２×２６である場合、使用されなくなり得る。一実施形態では、８０ＭＨｚ実装形態における第３７および第３８の２６トーンブロックは、割振りユニットが４×２６である場合、使用されなくなり得る。いくつかの実施形態では、２６トーンブロックは、図８に関して説明されるように、レフトオーバートーンを介して２４２トーンブロックと整合（アライン）され得る。様々な実施形態では、２４２割振りは、近くの２６トーンブロック使用をだめにしない。様々な実施形態では、レフトオーバートーンは、余分のＤＣトーン、ガードトーンとして、あるいは共通または制御チャネルとして使用され得る。
【００４２】
[0071]上記のように、いくつかのトーンは、いくつかの送信中のレフトオーバーであり得る。これらのトーンは、いくつかの異なる用途のために使用され得る。たとえば、これらのトーンは、追加のＤＣまたはエッジトーンとして使用され得る。ここで、いくつかの図示された実装形態は、奇数のＴＡＵを有する送信を含むことに留意されよう。奇数のＴＡＵのために、ＴＡＵのうちの１つは、ＤＣトーンを横断することになる（すなわち、ＤＣトーンの各側にトーンを含む）。他の図示された実装形態では、偶数のＴＡＵが存在するので、どのＴＡＵもＤＣトーンを横断しないことになる。
【００４３】
[0072]いくつかの態様では、ＳＴＡに複数のＴＡＵが割り当てられる場合、符号化は、すべての割り当てられたＴＡＵにわたって実行され得る。サブバンドＯＦＤＭＡ通信の場合、インターリービングは、２つのレイヤ中で行われ得る。最初に、デバイスのすべてのビットは、デバイスに割り当てられたすべてのＴＡＵにわたって均等に分散され得る。たとえば、ビット１、２、３、．．．Ｎは、ＴＡＵ１、２、３、．．．Ｎなどに割り当てられ得る。したがって、各個々のＴＡＵがＴＡＵ内でインターリーブされ得る。したがって、ただ１つのサイズ、すなわち、ＴＡＵのサイズ、のインターリーバが使用され得る。分散ＯＦＤＭＡシステムでは、インターリービングは、必要とされることも必要とされないこともある。いくつかの態様では、ＴＡＵは、ＴＡＵのために何個のパイロットトーンが必要とされ得るのかに少なくとも部分的に基づいて選定され得る。たとえば、２６のＴＡＵは、ＴＡＵごとに２つのパイロットトーンのみが使用される実装形態では、有益であり得る。より多くのパイロットトーンが使用される実装形態では、他のＴＡＵが使用され得る。概して、ＴＡＵのサイズについて考えるとき、シグナリングコストと、パイロットコストと、レフトオーバートーンとの間のトレードオフがある。たとえば、より小さいＴＡＵが使用されるとき、ＴＡＵ中のトーンの総数に占める、必要とされるパイロットトーンの数が（データトーンの数と比較して）増加し得る。さらに、より小さいＴＡＵが使用されるとき、ＯＦＤＭＡ送信において様々なデバイスに割り振られなければならないＴＡＵの総数がより多くなることになるので、シグナリングは、より多くのデータを送信する必要があり得る。しかしながら、より大きいＴＡＵが使用されるとき、レフトオーバートーンが潜在的により多くなり、これは、所与の帯域幅のための全体的なスループットを低減し、非効率的であり得る。
【００４４】
[0073]図５Ａ〜図５Ｃは、様々な実装形態による２０ＭＨｚ送信を示す。具体的には、図示された２０ＭＨｚ送信は、図４に関して上記で説明された実施形態を示す。２６トーンＴＡＵを使用する実装形態では、各２０ＭＨｚ送信は、フロア（（２５６−１４）／２６）＊２６＝２３４に等しいＯＦＤＭＡのためのいくつかの使用可能トーンを含む。したがって、単一の２４２トーンＴＡＵを有する実装形態と比較して、２６トーンＴＡＵを使用する実装形態は、８つの追加のレフトオーバートーンを有する。そのような実装形態では、ＤＣトーンおよびエッジトーンの最大数は、２５６−２３４＝２２である。概して、２６トーンＴＡＵの各送信は、これらのＤＣトーンおよびエッジトーンを、Ｘ個の左エッジトーン、Ｚ個のＤＣトーン、およびＹ個の右ガードトーンとして分散させることができる。いくつかの実施形態では、右エッジトーンの数Ｙは、左エッジトーンの数Ｘよりも１だけ少ない。その上、いくつかの実施形態では、ＤＣトーンの数Ｚは、３以上であり、奇数である。したがって、２６トーンＴＡＵを使用する様々な実装形態は、１１個のＤＣトーンおよび１１個のエッジトーン、９つのＤＣトーンおよび１３個のエッジトーン、７つのＤＣトーンおよび１５個のエッジトーン、５つのＤＣトーンおよび１７個のエッジトーン、または３つのＤＣトーンおよび１９個のエッジトーンを使用することができる。
【００４５】
[0074]図５Ａは、２６トーン割振りを使用する例示的な２０ＭＨｚ送信５００Ａの図である。この２０ＭＨｚ送信は、合計２５６個のトーンを含む。送信は、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信は、送信中のすべてのトーンの中心に配置され得る、Ｚ個のＤＣトーンをさらに含む。たとえば、送信は、（左側の）−１２８から（右側の）１２７までのインデックス番号を使用して連続的に番号付けされたトーンを含み得る。ＤＣトーンは、トーンの中心にあり得る。一実施形態では、Ｘ＋Ｙ＋Ｚ＝２２であり、Ｚは、３以上の奇数の整数である。
【００４６】
[0075]送信５００Ａは、ＤＣトーンの左側に４つの連続する２６トーン割振りと、ＤＣトーンの右側に４つの連続する２６トーン割振りとを含み得る。さらに、送信５００Ａは、ＤＣトーンの各側に１３個の追加のデータトーンを含み得る。各側のこれらの１３個の追加のデータトーンは、第９の２６トーン割振りを形成するために、一緒に組み合わされ得る。したがって、送信５００Ａは、９つの２６トーン割振りを含み得、その各々が、２４個のデータトーンと２つのパイロットトーンとを含み得る。
【００４７】
[0076]様々な実施形態では、第９の２６トーン割振りは、送信５００Ａが７つを超えるＤＣトーンを有するとき、ＤＣトーンの各側に位置決めされ得る。別の実施形態では、第９の２６トーン割振りは、以下で図５Ｂにおいて示されるように、送信が１３個よりも多いエッジトーンを有するとき、送信のエッジに位置決めされ得る。
【００４８】
[0077]図５Ｂは、２６トーン割振りを使用する別の例示的な２０ＭＨｚ送信５００Ｂの図である。この２０ＭＨｚ送信は、合計２５６個のトーンを含む。送信は、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信は、送信中のすべてのトーンの中心に配置され得る、Ｚ個のＤＣトーンをさらに含む。たとえば、送信は、（左側の）−１２８から（右側の）１２７までのインデックス番号を使用して連続的に番号付けされたトーンを含み得る。ＤＣトーンは、トーンの中心にあり得る。
【００４９】
[0078]送信５００Ｂは、ＤＣトーンの左側に４つの連続する２６トーン割振りと、ＤＣトーンの右側に４つの連続する２６トーン割振りとを含み得る。さらに、送信５００Ｂは、最初の８つの２６トーン割振りの各側に、１３個の追加のデータトーンを含み得る。各側のこれらの１３個の追加のデータトーンは、第９の２６トーン割振りを形成するために、一緒に組み合わされ得る。したがって、送信５００Ｂは、９つの２６トーン割振りを含み得、その各々が、２４個のデータトーンと２つのパイロットトーンとを含み得る。
【００５０】
[0079]様々な実施形態では、第９の２６トーン割振りは、送信５００Ｂが１３個を超えるエッジトーンを有するとき、送信のエッジに位置決めされ得る。別の実施形態では、送信が７つを超えるＤＣトーンを有するとき、第９の２６トーン割振りは、上記の図５Ａに示されたように、ＤＣトーンの各側に位置決めされ得る。
【００５１】
[0080]図５Ｃは、２４２トーン割振りを使用する別の例示的な２０ＭＨｚ送信５００Ｃの図である。図示されるように、２０ＭＨｚ送信は、（２０ＭＨｚ部分の中心において）単一の２４２トーン割振り＋３つのＤＣトーンを含み得る。いくつかの態様では、この送信は、６つの左エッジトーンと５つの右エッジトーンと、ならびに３つのＤＣトーンとを含み得る。
【００５２】
[0081]いくつかの実施形態では、２０ＭＨｚ送信５００Ｃは、ＩＥＥＥ８０２．１１ａｃ  ＶＨＴ８０（超高スループット８０ＭＨｚ）送信に基づくトーンプランを使用することができる。この２０ＭＨｚパケットが８０２．１１ａｃに対して４ｘシンボル持続時間を含み得るので、パケットは８０２．１１ａｃにおける８０ＭＨｚ送信と同数のトーンを有し得る。したがって、８０２．１１ａｃからの８０ＭＨｚ送信は、ここで２０ＭＨｚ送信として使用され得る。しかしながら、これに関する１つの起こり得る問題は、そのような送信が３つのＤＣトーンしか含まないということである。これは、４ｘシンボル持続時間送信には不十分な数のＤＣトーンであり得る。４０ＭＨｚ送信では、新しいトーンプランが使用され得るか、または、２つのＶＨＴ８０送信（ＶＨＴ８０＋８０またはＶＨＴ１６０）が使用され得る。たとえば、８０２．１１ａｃでは、１６０ＭＨｚ送信は、２回複製された８０ＭＨｚ  ＶＨＴ８０トーンプランを使用することによって送信され得る。８０ＭＨｚ送信の場合、これは、新しいトーンプランを使用し得るか、または複製された４０ＭＨｚトーンプラン（すなわち、ＩＥＥＥ８０２．１１ａｃからの４つのＶＨＴ８０送信）を使用し得る。概して、しかしながら、パイロットトーンの数は、データトーンの数が増大するにつれて線形的に増大しないことがあるので、これらの送信を複製することは、さもなければ必要になり得るよりも多くのパイロットトーンを有することになり得る。すなわち、より大きい送信では、比例的に、より少ないパイロットトーンが必要とされ得る。たとえば、パイロットトーンをも２倍にすることを必要とするのではなく、２つの追加のパイロットトーンのみを必要としながら、データトーンの数を２倍にすることが可能であり得る。
【００５３】
[0082]送信の各２０ＭＨｚ部分は、（２０ＭＨｚ部分にただ１つのデバイスが割り当てられるとき）図５ＣのＶＨＴ８０のようなトーンプラン、または図５Ａ〜図５Ｂなどにおいて、上記で説明された９つの２６トーンのトーングループのいずれかを使用し得ることに留意されよう。単一のデバイスに送信されるとき、ＶＨＴ８０のようなトーンプランを使用して送信することは、２０ＭＨｚ中の２３４個のデータトーンを可能にし得、一方、２６トーンのトーングループ送信を使用することは、２１６個のデータトーン（各々が２４個のデータトーンと２つのパイロットトーンとをもつ９つのトーングループ）のみを可能し得ることが観測され得る。したがって、所与の帯域幅中でより多くのデータトーンが送信されることを可能にするために、可能な場合、２４２個の使用可能トーンのＶＨＴ８０のような部分を使用することがより効率的であり得る。そのような２０ＭＨｚ部分の使用は、送信の各２０ＭＨｚ部分がそれ自体のエッジトーンとＤＣトーンとを含むことを依然として可能にし、したがって、２０のＭＨｚ部分が、より大きい送信ではなく、２０ＭＨｚ送信のみを受信するように構成され得る「ＨＥ２０モード」のデバイスによって受信され得ることも気づき得る。
【００５４】
[0083]図６Ａ〜図６Ｅは、様々な実装形態による４０ＭＨｚ送信を示す。具体的には、図示された４０ＭＨｚ送信は、図４に関して上記で説明された実施形態を示す。１９個の２６トーンＴＡＵを使用する実装形態では、各４０ＭＨｚ送信は、１８個の２６トーンＴＡＵ（１８＊２６＝４６８）を使用する実装形態の場合よりも多い、２つの２４２トーンＴＡＵ（２＊２４２＝４８４）を使用する実装形態の場合よりも多い、フロア（（５１２−１４）／２６）＊２６＝１９＊２６＝４９４に等しいＯＦＤＭＡのためのいくつかの使用可能トーンを含む。そのような実装形態では、ＤＣトーンおよびエッジトーンの最大数は、１９個の２６トーンＴＡＵを使用する実装形態では１８であり、２つの２４２トーンＴＡＵを使用する実装形態では２８であり、１８個の２６トーンＴＡＵを使用する実装形態では４４である。概して、各送信は、これらのＤＣトーンおよびエッジトーンを、Ｘ個の左エッジトーン、Ｚ個のＤＣトーン、およびＹ個の右ガードトーンとして分散させることができる。いくつかの実施形態では、右エッジトーンの数Ｙは、左エッジトーンの数Ｘよりも１だけ少ない。その上、いくつかの実施形態では、ＤＣトーンの数Ｚは、３以上であり、奇数である。したがって、１９個の２６トーンＴＡＵを使用する様々な実装形態は、３つのＤＣトーンおよび１５個のエッジトーン、５つのＤＣトーンおよび１３個のエッジトーン、または７つのＤＣトーンおよび１１個のエッジトーンを使用することができる。サブ割振りＤＣトーンなしで２つの２４２トーンＴＡＵを使用する様々な実装形態は、９つのＤＣトーンおよび１９個のエッジトーン、７つのＤＣトーンおよび２１個のエッジトーン、５つのＤＣトーンおよび２３個のエッジトーン、または３つのＤＣトーンおよび２５個のエッジトーンを使用することができる。サブ割振りＤＣトーンありで２つの２４２トーンＴＡＵを使用する様々な実装形態は、１１個のＤＣトーンと、１１個のエッジトーンと、３つのサブ割振りＤＣトーンの２つのセットとを使用することができる。１８個の２６トーンＴＡＵを使用する様々な実装形態は、サブ割振りＤＣトーンなしで、５つのＤＣトーンおよび３９個のエッジトーン、７つのＤＣトーンおよび３７個のエッジトーンなどを使用することができる。１８個の２６トーンＴＡＵを使用する他の実装形態は、３つのＤＣトーンと１９個のエッジトーンとを使用することができる。
【００５５】
[0084]図６Ａは、２０ＭＨｚ互換送信中のいくつかのトーンを追加の使用可能トーンとして使用する４０ＭＨｚ送信の図である。たとえば、いくつかの態様では、所与の送信中でデータを送っているかまたは受信しているすべてのＳＴＡは、４０ＭＨｚ送信に適合し得る。すなわち、所与の送信中にそれ自体のガードトーンとＤＣトーンとを含む２０ＭＨｚ部分を必要とするいかなるＳＴＡもないことがある。したがって、送信６００Ａ中でガードトーンまたはＤＣトーンであったいくつかのトーンが、使用可能トーン（デバイスに割り当てられ得るパイロットトーンまたはデータトーン）になり得るように、それらが「とらえられ」得る機構を与えることが有益であり得る。したがって、送信６００Ａは、同じトーンロケーション中に送信５００Ａの１８個の２６トーン割振りの各々を含む。
【００５６】
[0085]しかしながら、これに加えて、送信６００Ａは、デバイスに割り当てられ得る１つの追加の２６トーン割振りを含む。この追加の２６トーン割振りは、さもなければ送信６００Ａ中の２０ＭＨｚ部分のためのＤＣトーンになるであろう１４個のトーン（各側に７つ）から構成される。ＨＥ２０モードのデバイスが送信６００Ａ中に含まれないので、これらの追加のＤＣトーンは必要とされないことがある。したがって、これらの１４個のトーンは、使用可能トーンとして再利用され得る。さらに、送信６００Ａの１５個の中心のＤＣトーンの各側からの５つのトーン（合計１０個のトーン）も、使用可能トーンとして再利用され得る。これは、５個のＤＣトーンのみを有する送信６００Ａを生じ得る。最後に、送信２９５０はまた、送信６００Ａではガードトーンであるものから、使用可能トーンであるものに再利用された１つのトーンを各側に有し得る。
【００５７】
[0086]したがって、送信６００Ａは、２つの送信５００Ａのトーン割振りユニットの各々を含み得る。ただし、送信６００Ａは、１つの追加のトーン割振りユニットをさらに含み得る。この追加のトーン割振りユニットは、２つの送信５００Ａでは、２つのエッジトーン、１４個の「ＨＥ２０」ＤＣトーン、および１０個のＤＣトーンとして使用されたトーンから構成され得る。これらの２６個のトーンは、送信６００Ａが１９個の２６トーン割振りを含み得るように１つの追加のトーン割振りユニットを形成するために一緒に組み合わされ得る。
【００５８】
[0087]様々な実施形態では、本明細書で説明される追加のトーンはまた、余分のトーン、スペアトーン、または使用可能トーンと呼ばれることもある。追加のトーンのための様々なロケーションが、本明細書で示され、説明されるが、追加のトーンは、様々に、ＤＣトーンの近くまたはそれに隣接して、エッジの近くまたはそれに隣接して位置決めされる、ＤＣとエッジの両方に分散される、２６トーンＲＵの中間である、などであり得る。
【００５９】
[0088]送信６００Ａは、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信６００Ａは、送信中のすべてのトーンの中心に配置され得る、Ｚ個のＤＣトーンをさらに含む。たとえば、送信６００Ａは、（左側の）−２５６から（右側の）２５５までのインデックス番号を使用して連続的に番号付けされたトーンを含み得る。ＤＣトーンは、トーンの中心にあり得る。一実施形態では、Ｘ＋Ｙ＋Ｚ＝１８であり、Ｚは、３以上の奇数の整数である。一実施形態では、送信６００Ａは、ＨＥ２０をサポートしない。
【００６０】
[0089]図６Ｂは、２６トーン割振りを使用する例示的な４０ＭＨｚ送信６００Ｂおよび６５０Ｂの図である。４０ＭＨｚ送信６００Ｂおよび６５０Ｂは、合計５１２個のトーンを含む。送信は、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信は、送信中のすべてのトーンの中心に配置され得る、Ｚ個のＤＣトーンをさらに含む。たとえば、送信は、（左側の）−２５６から（右側の）２５５までのインデックス番号を使用して連続的に番号付けされたトーンを含み得る。ＤＣトーンは、トーンの中心にあり得る。一実施形態では、Ｘ＋Ｙ＋Ｚ＝１８であり、Ｚは、３以上の奇数の整数である。
【００６１】
[0090]送信６００Ｂは、ＤＣトーンの左側に９つの連続する２６トーン割振りと、ＤＣトーンの右側に９つの連続する２６トーン割振りとを含み得る。さらに、送信６００Ｂは、ＤＣトーンの各側に１３個の追加のデータトーンを含み得る。各側のこれらの１３個の追加のデータトーンは、第１９の２６トーン割振りを形成するために、一緒に組み合わされ得る。したがって、送信６００Ｂは、１９個の２６トーン割振りを含み得、その各々が、２４個のデータトーンと２つのパイロットトーンとを含み得る。
【００６２】
[0091]様々な実施形態では、第１９の２６トーン割振りは、送信６００Ｂが７つ以上のＤＣトーンを有するとき、ＤＣトーンの各側に位置決めされ得る。別の実施形態では、送信が１９個以上のエッジトーンを有するとき、第１９の２６トーン割振りは、送信のエッジに位置決めされ得る。一実施形態では、送信６００Ｂは、ＨＥ２０をサポートしない。
【００６３】
[0092]送信６５０Ｃは、ＤＣトーンの左側に９つの連続する２６トーン割振りと、ＤＣトーンの右側に９つの連続する２６トーン割振りとを含み得る。さらに、送信６５０Ｃは、最初の１８個の２６トーン割振りの各側に、１３個の追加のデータトーンを含み得る。各側のこれらの１３個の追加のデータトーンは、第１９の２６トーン割振りを形成するために、一緒に組み合わされ得る。したがって、送信６５０Ｃは、１９個の２６トーン割振りを含み得、その各々が、２４個のデータトーンと２つのパイロットトーンとを含み得る。
【００６４】
[0093]様々な実施形態では、第１９の２６トーン割振りは、送信６５０Ｃが１９個以上のエッジトーンを有するとき、送信のエッジに位置決めされ得る。別の実施形態では、送信が７つ以上のＤＣトーンを有するとき、第１９の２６トーン割振りは、ＤＣトーンの各側に位置決めされ得る。一実施形態では、送信６５０Ｂは、ＨＥ２０をサポートしない。
【００６５】
[0094]図６Ｃは、２４２トーン割振りを使用する例示的な４０ＭＨｚ送信６００Ｃおよび６５０Ｃの図である。図示されるように、４０ＭＨｚ送信は、３つのＤＣトーンあり（２０ＭＨｚ部分の中心において、送信６００Ｃを参照）、またはサブＤＣトーンなし（送信６５０Ｃを参照）のいずれかで、２つの２４２トーン割振りを含み得る。いくつかの態様では、この送信６００Ｃは、６つの左エッジトーンと５つの右エッジトーンと、ならびに（２つの２０ＭＨｚ部分の左右のエッジトーンから構成されることが観測され得る）１１個のＤＣトーンとを含み得る。送信６５０Ｃは、Ｘ個の左エッジトーンとＹ個の右エッジトーンとを含み得る。エッジトーンは、送信中のデータトーンとワイヤレス媒体の他の部分上で行われ得る送信との間にバッファを与えるために、それらの上にデータがない状態で送信され得る。送信６５０Ｃは、送信中のすべてのトーンの中心に配置され得る、Ｚ個のＤＣトーンをさらに含む。送信は、Ｘ個の左エッジトーンとＹ個の右エッジトーンとを含む。一実施形態では、Ｘ＋Ｙ＋Ｚ＝２８であり、Ｚは、３以上の奇数の整数である。一実施形態では、送信６００Ｃは、ＨＥ２０をサポートすることができるのに対して、送信６００Ｄは、ＨＥ２０をサポートしない。
【００６６】
[0095]図６Ｄは、２６トーン割振りを使用する例示的な４０ＭＨｚ送信６００Ｄおよび６５０Ｄの図である。図示されるように、４０ＭＨｚ送信６００Ｄは、２つの２０ＭＨｚ送信５００Ａを含み、４０ＭＨｚ送信６５０Ｄは、２つの２０ＭＨｚ送信５００Ｂを含む。送信６００Ｄおよび６５０Ｄは、Ｘ個の左エッジトーンとＹ個の右エッジトーンとを含み得る。エッジトーンは、送信中のデータトーンとワイヤレス媒体の他の部分上で行われ得る送信との間にバッファを与えるために、それらの上にデータがない状態で送信され得る。送信６００Ｄおよび６５０Ｄは、送信中のすべてのトーンの中心に配置され得る、Ｚ個のサブ割振りＤＣトーンの２つのセットと、Ｘ＋Ｙ個のＤＣトーンとをさらに含む。一実施形態では、Ｘ＋Ｙ＋Ｚ＝２２であり、Ｚは、３以上の奇数の整数である。一実施形態では、送信６００Ｄおよび６５０Ｄは、ＨＥ２０をサポートすることができる。
【００６７】
[0096]いくつかの実施形態では、共通または制御チャネルは（ＤＣトーンおよびエッジトーンとともに）レフトオーバートーンを使用することができる。たとえば、２０ＭＨｚ送信では、共通／制御リソースブロックが、レフトオーバートーンおよび／または第９の２６トーンブロックであるように選択され得る。４０ＭＨｚ送信では、共通／制御リソースブロックが、レフトオーバートーンおよび／または第１９の２６トーンブロックであるように選択され得る。４０ＭＨｚ送信では、共通／制御リソースブロックが、レフトオーバートーンであるように選択され得る。様々な実施形態では、共通／制御チャネルは、ＵＬおよび／またはＤＬ、時間／周波数同期のため、サウンディング、パケット検出、適応型ＣＣＡのためのネイバーのリストの収集、ＵＬにおいてＵＬスケジュールについての第三者情報のためなどのいずれかのために使用され得る。いくつかの実施形態では、ＡＰ１０４は、共通／制御チャネル上で送信することを担う。他の実施形態では、ＳＴＡまたは第三者は、共通／制御チャネル上で送信することができる。いくつかの実施形態では、第三者は、ＵＬ共通／制御チャネルを監視し、その上のメッセージを処理することができる。いくつかの実施形態では、マルチユーザグループにおけるすべてのＳＴＡ１０６は、共通／制御チャネル上でＤＬメッセージを処理することができる。
【００６８】
[0097]図６Ｅは、２６トーン割振りを使用する別の例示的な４０ＭＨｚ送信６００Ｅの図である。この４０ＭＨｚ送信は、合計５１２個のトーンを含む。送信は、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信は、送信中のすべてのトーンの中心に配置され得る、Ｚ個のＤＣトーンをさらに含む。たとえば、送信は、（左側の）−２５６から（右側の）２５５までのインデックス番号を使用して連続的に番号付けされたトーンを含み得る。ＤＣトーンは、トーンの中心にあり得る。一実施形態では、Ｘ＋Ｙ＋Ｚ＝４４であり、Ｚは、３以上の奇数の整数である。
【００６９】
[0098]送信６００Ｅは、ＤＣトーンの左側に９つの連続する２６トーン割振りと、ＤＣトーンの右側に９つの連続する２６トーン割振りとを含み得る。したがって、送信６００Ｅは、１８個の２６トーン割振りを含み得、その各々が、２４個のデータトーンと２つのパイロットトーンとを含み得る。一実施形態では、送信６００Ｅは、ＨＥ２０をサポートしない。
【００７０】
[0099]図７Ａ〜図７Ｅは、様々な実装形態による８０ＭＨｚ送信を示す。具体的には、図示された８０ＭＨｚ送信は、図４に関して上記で説明された実施形態を示す。３８個の２６トーンＴＡＵを使用する実装形態では、各８０ＭＨｚ送信は、３６個の２６トーンＴＡＵ（３６＊２６＝９３６）を使用する実装形態の場合よりも多い、４つの２４２トーンＴＡＵ（４＊２４２＝９６８）を使用する実装形態の場合よりも多い、フロア（（１０２４−１４）／２６）＊２６＝３８＊２６＝９８８に等しいＯＦＤＭＡのためのいくつかの使用可能トーンを含む。そのような実装形態では、ＤＣトーンおよびエッジトーンの最大数は、３８個の２６トーンＴＡＵを使用する実装形態では３６であり、４つの２４２トーンＴＡＵを使用する実装形態では５６であり、３６個の２６トーンＴＡＵを使用する実装形態では８８である。概して、各送信は、これらのＤＣトーンおよびエッジトーンを、Ｘ個の左エッジトーン、Ｚ個のＤＣトーン、およびＹ個の右ガードトーンとして分散させることができる。いくつかの実施形態では、右エッジトーンの数Ｙは、左エッジトーンの数Ｘよりも１だけ少ない。その上、いくつかの実施形態では、ＤＣトーンの数Ｚは、３以上であり、奇数である。したがって、３８個の２６トーンＴＡＵを使用する様々な実装形態は、３つのＤＣトーンおよび３３個のエッジトーン、５つのＤＣトーンおよび３１個のエッジトーン、７つのＤＣトーンおよび２９個のエッジトーン、９つのＤＣトーンおよび２７個のエッジトーン、１１個のＤＣトーンおよび２５個のエッジトーン、１３個のＤＣトーンおよび２３個のエッジトーン、１５個のＤＣトーンおよび２１個のエッジトーン、１７個のＤＣトーンおよび１９個のエッジトーン、１９個のＤＣトーンおよび１７個のエッジトーン、２１個のＤＣトーンおよび１５個のエッジトーン、２３個のＤＣトーンおよび１３個のエッジトーン、２３個のＤＣトーンおよび１１個のエッジトーン、１１個のＤＣトーンおよび１１個のエッジトーン、＋７つのサブＤＣトーンの２つのセット、１３個のＤＣトーンおよび１３個のエッジトーン、＋５つのサブＤＣトーンの２つのセット、１１個のＤＣトーンおよび３つのエッジトーン、＋２２個のサブＤＣトーン、１１個のＤＣトーンおよび５つのエッジトーン、＋２０個のサブＤＣトーンを使用することができる。サブ割振りＤＣトーンとともに、４つの２４２トーンＴＡＵを使用する様々な実装形態は、１１＋１１＋１１＋１１＋４＊３個のトーンを使用することができ、サブ割振りＤＣトーンなしでは、（２２個のレフトオーバーとともに）３つのＤＣトーンおよび３１個のエッジトーン、（２０個のレフトオーバーとともに）５つのＤＣトーンおよび３１個のエッジトーン、（４２個のレフトオーバーとともに）３つのＤＣトーンおよび１１個のエッジトーン、（４０個のレフトオーバーとともに）５つのＤＣトーンおよび１１個のエッジトーン、（３８個のレフトオーバーとともに）７つのＤＣトーンおよび１１個のエッジトーンなどを使用することができる。３６個の２６トーンＴＡＵを使用する様々な実装形態は、（３＋３１＋５４、５＋３１＋５２、７＋３１＋５０、３＋１１＋７４、５＋１１＋７２、７＋１１＋７０などを含む）３つのＤＣトーンおよび８５個のエッジトーン、５つのＤＣトーンおよび８３個のエッジトーン、７つのＤＣトーンおよび８１個のエッジトーンなどを使用することができる。
【００７１】
[00100]図７Ａは、２０ＭＨｚ互換送信中のいくつかのトーンを追加の使用可能トーンとして使用する、８０ＭＨｚ送信７００Ａの図である。８０ＭＨｚ送信７００Ａは、合計１０２４個のトーンを含む。たとえば、送信７００Ａは、４０ＭＨｚ送信６００Ａの２つのコピーを含み得、４０ＭＨｚ送信６００Ａの２つのコピーは、それぞれ１９個の２６トーンＴＡＵを含む。したがって、送信７００Ａは、合計３８個の２６トーンＴＡＵを含み得る。送信７００Ａは、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信７００Ａは、送信中のすべてのトーンの中心に配置され得る、Ｚ個のＤＣトーンをさらに含む。たとえば、送信７００Ａは、（左側の）−５１２から（右側の）５１１までのインデックス番号を使用して連続的に番号付けされたトーンを含み得る。ＤＣトーンは、トーンの中心にあり得る。一実施形態では、Ｘ＋Ｙ＋Ｚ＝１８であり、Ｚは、３以上の奇数の整数である。一実施形態では、送信７００Ａは、内部ＨＥ２０をサポートすることができる。
【００７２】
[00101]図７Ｂは、２６トーン割振りを使用する別の例示的な８０ＭＨｚ送信７００Ｂの図である。この８０ＭＨｚ送信は、合計１０２４個のトーンを含む。送信は、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信は、送信中のすべてのトーンの中心に配置され得る、Ｚ個のＤＣトーンをさらに含む。たとえば、送信は、（左側の）−５１２から（右側の）５１１までのインデックス番号を使用して連続的に番号付けされたトーンを含み得る。ＤＣトーンは、トーンの中心にあり得る。一実施形態では、Ｘ＋Ｙ＋Ｚ＝３６であり、Ｚは、３以上の奇数の整数である。
【００７３】
[00102]送信７００Ｂは、ＤＣトーンの左側に１９個の連続する２６トーン割振りと、ＤＣトーンの右側に１９個の連続する２６トーン割振りとを含み得る。したがって、送信７００Ｂは、３８個の２６トーン割振りを含み得、その各々が、２４個のデータトーンと２つのパイロットトーンとを含み得る。一実施形態では、送信７００Ｂは、内部ＨＥ２０をサポートすることができる。
【００７４】
[00103]図７Ｃは、２４２トーン割振りを使用する例示的な８０ＭＨｚ送信７００Ｃおよび７５０Ｃの図である。図示されるように、８０ＭＨｚ送信は、３つのＤＣトーンあり（各２０ＭＨｚ部分の中心において、送信７００Ｃを参照）、またはサブＤＣトーンなし（送信７５０Ｃを参照）のいずれかで、２つの２４２トーン割振りを含み得る。いくつかの態様では、この送信７００Ｃは、６つの左エッジトーンと５つの右エッジトーンと、ならびに（４つの２０ＭＨｚ部分の左右のエッジトーンから構成されることが観測され得る）１１個のＤＣトーンの３つのセットとを含み得る。送信７５０Ｃは、Ｘ個の左エッジトーンとＹ個の右エッジトーンとを含み得る。エッジトーンは、送信中のデータトーンとワイヤレス媒体の他の部分上で行われ得る送信との間にバッファを与えるために、それらの上にデータがない状態で送信され得る。送信７５０Ｃは、送信中のすべてのトーンの中心に配置され得る、Ｚ個のＤＣトーンをさらに含む。送信は、Ｘ個の左エッジトーンとＹ個の右エッジトーンとを含む。一実施形態では、Ｘ＋Ｙ＋Ｚ＝５６であり、Ｚは、３以上の奇数の整数である。一実施形態では、送信７００Ｃは、ＨＥ２０をサポートすることができるのに対して、送信７５０Ｃは、ＨＥ２０をサポートしない。
【００７５】
[00104]図７Ｄは、２６トーン割振りを使用する例示的な８０ＭＨｚ送信７００Ｄおよび７５０Ｄの図である。図示されるように、８０ＭＨｚ送信７００Ｄは、４つの２０ＭＨｚ送信５００Ａを含み、８０ＭＨｚ送信７５０Ｄは、４つの２０ＭＨｚ送信５００Ｂを含む。送信７００Ｄおよび７５０Ｄは、Ｘ個の左エッジトーンとＹ個の右エッジトーンとを含み得る。エッジトーンは、送信中のデータトーンとワイヤレス媒体の他の部分上で行われ得る送信との間にバッファを与えるために、それらの上にデータがない状態で送信され得る。送信７００Ｄおよび７５０Ｄは、送信中のすべてのトーンの中心に配置され得る、Ｚ個のサブ割振りＤＣトーンの４つのセットと、Ｘ＋Ｙ個のＤＣトーンの３つのセットとをさらに含む。一実施形態では、Ｘ＋Ｙ＋Ｚ＝２２であり、Ｚは、３以上の奇数の整数である。いくつかの実施形態では、共通チャネルは（ＤＣトーンおよびエッジトーンとともに）レフトオーバートーンを使用することができる。一実施形態では、送信７００Ｄおよび７５０Ｄは、ＨＥ２０をサポートすることができる。
【００７６】
[00105]図７Ｅは、２６トーン割振りを使用する別の例示的な８０ＭＨｚ送信７００Ｅの図である。この８０ＭＨｚ送信は、合計１０２４個のトーンを含む。送信は、Ｘ個の左エッジトーンとＹ個の右エッジトーンとを含む。エッジトーンは、送信中のデータトーンとワイヤレス媒体の他の部分上で行われ得る送信との間にバッファを与えるために、それらの上にデータがない状態で送信され得る。送信は、送信中のすべてのトーンの中心に配置され得る、Ｚ個のＤＣトーンをさらに含む。たとえば、送信は、（左側の）−２５６から（右側の）２５５までのインデックス番号を使用して連続的に番号付けされたトーンを含み得る。ＤＣトーンは、トーンの中心にあり得る。一実施形態では、Ｘ＋Ｙ＋Ｚ＝８８であり、Ｚは、３以上の奇数の整数である。
【００７７】
[00106]送信７００Ｅは、ＤＣトーンの左側に１８個の連続する２６トーン割振りと、ＤＣトーンの右側に１８個の連続する２６トーン割振りとを含み得る。したがって、送信７００Ｅは、３６個の２６トーン割振りを含み得、その各々が、２４個のデータトーンと２つのパイロットトーンとを含み得る。一実施形態では、送信７００Ｅは、ＨＥ２０をサポートしない。
【００７８】
[00107]上記で説明されたように、いくつかの実施形態では、送信は、ＨＥ２０通信のためのサポートを省略することができる。いくつかの実施形態では、同数のガードトーン、ＤＣトーンなどがあるとき、２６トーンおよび２４２トーンスペクトルが整合（アライン）され得る。有利なことに、整合されたトーンプランは、２６トーン割振りが、有害な干渉を引き起こすことなく、隣接する２４２トーン割振りと共存することを可能にすることができる。一実施形態では、送信は、ＳＵ／ＭＵ  ＭＩＭＯ通信のための３つのＤＣトーンと、ＯＤＦＭＡ通信のための３つ以上のＤＣトーンとを有し得る。いくつかの実施形態では、２０ＭＨｚ送信は、少なくとも１３個のガードトーンを有し得、４０ＭＨｚ送信は、少なくとも１９個のガードトーンを有し得、８０ＭＨｚ送信は、少なくとも３１個のガードトーンを有し得る。したがって、２０ｄＢｒ  ＢＷにおいて、拡張された帯域幅（ＥＢＷ）の１％にほぼ等しい制限された帯域幅（ＲＢＷ）が帯域幅（ＢＷ）測定のために使用されると仮定すると、そのような送信は、ＥＢＷ内にとどまることができる。他の実施形態では、２０ＭＨｚ送信は、１１個のガードトーンを有し得、４０ＭＨｚ送信は、少なくとも１１個のガードトーンを有し得る。
【００７９】
[00108]図８Ａ〜図８Ｃは、一実施形態による、２４２トーン割振り９５０Ｂ〜９５０Ｃと整合（アライン）される２６トーン割振りを使用する、例示的な２０ＭＨｚ、４０ＭＨｚ、および８０ＭＨｚ送信９００Ａ〜９００Ｃを示す。具体的には、図８Ａは、ＤＣトーンの各側の（８つの合計の追加のトーンからの）４つの割り振られたトーンの追加とともに、図５Ａの２０ＭＨｚ送信５００Ａと同じに編成される、例示的な２０ＭＨｚ送信８００Ａを示す。いくつかの整合されない実施形態では、８つの合計の追加のトーンからのものが、ＤＣトーンの各側の２つのトーン、およびトーンプランの各エッジにおける２つのトーンとして割り振られ得る。したがって、送信８００Ａは、２４２トーン送信８５０Ａに一致するために、６つの左エッジトーンと、３つのＤＣトーンと、５つの右エッジトーンと、合計２４２個の使用可能トーンとを有する。
【００８０】
[00109]図８Ｂは、ＤＣトーンの各側の８つの割り振られたトーン（１６個の合計の追加のトーン）の追加とともに、図６Ｅの４０ＭＨｚ送信６００Ｅと同じに編成される、例示的な４０ＭＨｚ送信８００Ｂを示す。いくつかの実施形態では、１６個の合計の追加のトーンは、トーンプランの８つのトーン各エッジとして割り振られ得る。したがって、送信８００Ｂは、４８４トーン送信８５０Ｂに一致するために、１１個の左エッジトーンと、７つのＤＣトーンと、１０個の右エッジトーンと、合計４８４個の使用可能トーンとを有する。一実施形態では、送信８００Ｂは、ＨＥ２０をサポートしない。
【００８１】
[00110]図８Ｃは、ＤＣトーンの両側の８つの割り振られたトーンと、外側エッジにおける８つの割り振られたトーンと（合計３２個の追加の割り振られたトーン）の追加とともに、図７Ｅの８０ＭＨｚ送信７００Ｅと同じに編成される、例示的な８０ＭＨｚ送信８００Ｃを示す。いくつかの実施形態では、１６個の合計の追加のトーンは、各半値幅の２つの中間の各側の８つのトーン（たとえば、第９の２６トーン割振り後の８つのトーン、第１０の２６トーン割振り前の８つのトーン、第２７の２６トーン割振り後の８つのトーン、および第２８の２６トーン割振り前の８つのトーン）として割り振られ得る。したがって、送信８００Ｃは、９６８トーン送信８５０Ｃに一致するために、２５個の左エッジトーンと、７つのＤＣトーンと、２４個の右エッジトーンと、合計９６８個の使用可能トーンとを有する。一実施形態では、送信８００Ｃは、ＨＥ２０をサポートしない。
【００８２】
[00111]図９Ａ〜図９Ｅは、いくつかの実施形態による、２６トーン割振りを使用する例示的な２０ＭＨｚ送信と、４０ＭＨｚ送信と、８０ＭＨｚ送信とを示す。具体的には、図９Ａは、我々の余分のＤＣトーンと４つの余分のエッジトーンとの追加とともに、図５Ａの２０ＭＨｚ送信５００Ａと同じに編成される、２０ＭＨｚ送信９００Ａを示す。したがって、送信９００Ａは、８つの左エッジトーンと、７つのＤＣトーンと、７つの右エッジトーンとを有する。図９Ｂは、４つの余分のＤＣトーンと４つの余分のエッジトーンとの追加とともに、図６Ｄの４０ＭＨｚ送信６００Ｄと同じに編成される、４０ＭＨｚ送信９００Ｂを示す。したがって、送信９００Ｂは、６つの左エッジトーンと、７つのＤＣトーンと、５つの右エッジトーンとを有する。図９Ｃは、４つの余分のＤＣトーンと４つの余分のエッジトーンとの追加とともに、図７ｄの８０ＭＨｚ送信７００Ｄと同じに編成される、８０ＭＨｚ送信９００Ｃを示す。したがって、送信９００Ｃは、１６個の左エッジトーンと、５つのＤＣトーンと、１５個の右エッジトーンとを有する。一実施形態では、送信９００Ｂ、９５０Ｂ、９００Ｃ、および９５０Ｃは、ＨＥ２０をサポートしない。
【００８３】
[00112]図９Ｄは、４つの余分のＤＣトーンと４つの余分のエッジトーンとの追加とともに、図６Ｂの４０ＭＨｚ送信６００Ｂと同じに編成される、４０ＭＨｚ送信９００Ｄを示す。したがって、送信９００Ｄは、８つの左エッジトーンと、７つのサブ割振りＤＣトーンの２つのセットと、１５個のＤＣトーンと、７つの右エッジトーンとを有する。図９Ｅは、４つの余分のＤＣトーンと４つの余分のエッジトーンとの追加とともに、図７Ｂの８０ＭＨｚ送信７００Ｂと同じに編成される、８０ＭＨｚ送信９００Ｅを示す。したがって、送信９００Ｅは、８つの左エッジトーンと、７つのサブ割振りＤＣトーンの４つのセットと、１５個のＤＣトーンの３つのセットと、７つの右エッジトーンとを有する。一実施形態では、送信９００Ｄ、９５０Ｄ、９００Ｅ、および９５０Ｅは、ＨＥ２０をサポートすることができる。
【００８４】
[00113]図１０は、一実施形態による、直交周波数分割多元接続（ＯＦＤＭＡ）トーンプランのためのインターリービングパラメータを生成するように動作可能であるシステム１０００を示す。システム１０００は、ワイヤレスネットワーク１０５０を介して複数の他のデバイス（たとえば、宛先デバイス）１０２０、１０３０、および１０４０とワイヤレス通信するように構成された、第１のデバイス（たとえば、ソースデバイス）１０１０を含む。代替実施形態では、異なる数のソースデバイス宛先デバイスが、システム１０００中に存在し得る。様々な実施形態では、ソースデバイス１０１０は、ＡＰ１０４（図１）を含み得、他のデバイス１０２０、１０３０、および１０４０は、ＳＴＡ１０６（図１）を含み得る。システム１０００は、システム１００（図１）を含み得る。様々な実施形態では、デバイス１０１０、１０２０、１０３０、および１０４０のいずれも、ワイヤレスデバイス２０２（図２）を含み得る。
【００８５】
[00114]特定の実施形態では、ワイヤレスネットワーク１０５０は、米国電気電子技術者協会（ＩＥＥＥ）８０２．１１ワイヤレスネットワーク（たとえば、Ｗｉ−Ｆｉネットワーク）である。たとえば、ワイヤレスネットワーク１０５０は、ＩＥＥＥ８０２．１１規格に従って動作することができる。特定の実施形態では、ワイヤレスネットワーク１０５０は、多元接続通信をサポートする。たとえば、ワイヤレスネットワーク１０５０は、宛先デバイス１０２０、１０３０、および１０４０の各々への単一のパケット１０６０の通信をサポートすることができ、ここで、単一のパケット１０６０は、宛先デバイスの各々に向けられた個々のデータ部分を含む。一例では、パケット１０６０は、本明細書でさらに説明されるように、ＯＦＤＭＡパケットであり得る。
【００８６】
[00115]ソースデバイス１０１０は、多元接続パケットを生成し、複数の宛先デバイスに送信するように構成されたアクセスポイント（ＡＰ）または他のデバイスであり得る。特定の実施形態では、ソースデバイス１０１０は、プロセッサ１０１１（たとえば、中央処理ユニット（ＣＰＵ）、デジタル信号プロセッサ（ＤＳＰ）、ネットワーク処理ユニット（ＮＰＵ）など）と、メモリ１０１２（たとえば、ランダムアクセスメモリ（ＲＡＭ）、読取り専用メモリ（ＲＯＭ）など）と、ワイヤレスネットワーク１０５０を介してデータを送り、受信するように構成されたワイヤレスインターフェース１０１５とを含む。メモリ１０１２は、図１１のインターリービングシステム１０１４に関して説明される技法に従ってデータをインターリーブするために、インターリービングシステム１０１４によって使用されるバイナリ畳み込みコード（ＢＣＣ）インターリービングパラメータ１０１３を記憶することができる。
【００８７】
[00116]本明細書で使用される「トーン」は、データがその内側で通信され得る周波数または周波数のセット（たとえば、周波数範囲）を表すことができる。トーンは、代替的にサブキャリアと呼ばれることがある。したがって、「トーン」は周波数領域ユニットであり得、パケットは複数のトーンにわたることができる。トーンとは対照的に、「シンボル」は時間領域ユニットであり得、パケットは複数のシンボルにわたる（たとえば、複数のシンボルを含む）ことができ、各シンボルは特定の持続時間を有する。したがって、ワイヤレスパケットは、周波数範囲（たとえば、トーン）と時間期間（たとえば、シンボル）とにわたる２次元構造として視覚化され得る。
【００８８】
[00117]一例として、ワイヤレスデバイスは、２０メガヘルツ（ＭＨｚ）ワイヤレスチャネル（たとえば、２０ＭＨｚ帯域幅を有するチャネル）を介してパケットを受信することができる。ワイヤレスデバイスは、パケット中の２５６個のトーンを決定するために、２５６点高速フーリエ変換（ＦＦＴ）を実行することができる。トーンのサブセットが「使用可能」と考えられ得、残りのトーンは「使用不可能」と考えられ得る（たとえば、ガードトーン、直流（ＤＣ）トーンなどであり得る）。例示のために、いくつかのデータトーンとパイロットトーンとを含み得る、２５６個のトーンのうちの２３８個が使用可能であり得る。
【００８９】
[00118]特定の実施形態では、インターリービングパラメータ１０１３は、パケット１０６０のどのデータトーンが個々の宛先デバイスに割り当てられるかを決定するために、多元接続パケット１０６０の生成中にインターリービングシステム１０１４によって使用され得る。たとえば、パケット１０６０は、各個々の宛先デバイス１０２０、１０３０、および１０４０に割り振られたトーンの別個のセットを含み得る。例示のために、パケット１０６０は、インターリーブされたトーン割振りを利用することができる。
【００９０】
[00119]宛先デバイス１０２０、１０３０、および１０４０はそれぞれ、プロセッサ（たとえば、プロセッサ１０２１）と、メモリ（たとえば、メモリ１０２２）と、ワイヤレスインターフェース（たとえば、ワイヤレスインターフェース１０２５）とを含み得る。宛先デバイス１０２０、１０３０、および１０４０はそれぞれ、図１１のＭＩＭＯ検出器１１１８に関して説明されるように、パケット（たとえば、単一接続パケットまたは多元接続パケット）をデインターリーブするように構成されたデインターリービングシステム１０２４をも含み得る。一例では、メモリ１０２２は、インターリービングパラメータ１０１３と同等のインターリービングパラメータ１０２３を記憶することができる。
【００９１】
[00120]動作中、ソースデバイス１０１０は、パケット１０６０を生成し、ワイヤレスネットワーク１０５０を介して宛先デバイス１０２０、１０３０、および１０４０の各々にパケット１０６０を送信することができる。パケット１０６０は、インターリーブされたパターンに従って各個々の宛先デバイスに割り振られるデータトーンの別個のセットを含み得る。
【００９２】
[00121]したがって、図１０のシステム１０００は、ＩＥＥＥ８０２．１１ワイヤレスネットワークを介して通信するために、ソースデバイスおよび宛先デバイスが使用するためのＯＦＤＭＡデータトーンインターリービングパラメータを与えることができる。たとえば、インターリービングパラメータ１０１３、１０２３（またはそれの部分）は、示されるように、ソースデバイスおよび宛先デバイスのメモリ内に記憶され得る、ワイヤレス規格（たとえば、ＩＥＥＥ８０２．１１規格）によって規格化され得る、などである。本明細書で説明される様々なデータトーンプランが、ダウンリンク（ＤＬ）ＯＦＤＭＡ通信ならびにアップリンク（ＵＬ）ＯＦＤＭＡ通信の両方にとって適用可能であり得ることに留意されたい。
【００９３】
[00122]たとえば、ソースデバイス１０１０（たとえば、アクセスポイント）は、ワイヤレスネットワーク１０５０を介して信号を受信することができる。信号は、アップリンクパケットに対応し得る。パケット中で、トーンの別個のセットが、宛先デバイス（たとえば、移動局）１０２０、１０３０、および１０４０の各々に割り振られ、その宛先デバイスによって送信されたアップリンクデータを搬送することができる。
【００９４】
[00123]図１１は、ワイヤレス通信を送信および受信するために、図１０のワイヤレスデバイスなど、ワイヤレスデバイスにおいて実装され得る例示的な多入力多出力（ＭＩＭＯ）システム１１００を示す。システム１１００は、図１０の第１のデバイス１０１０と図１０の宛先デバイス１０２０とを含む。
【００９５】
[00124]第１のデバイス１０１０は、エンコーダ１１０４と、インターリービングシステム１０１４と、複数の変調器１１０２ａ〜１１０２ｃと、複数の送信（ＴＸ）回路１１１０ａ〜１１１０ｃと、複数のアンテナ１１１２ａ〜１１１２ｃとを含む。宛先デバイス１０２０は、複数のアンテナ１１１４ａ〜１１１４ｃと、複数の受信（ＲＸ）回路１１１６ａ〜１１１６ｃと、ＭＩＭＯ検出器１１１８と、デコーダ１１２０とを含む。
【００９６】
[00125]ビットシーケンスが、エンコーダ１１０４に与えられ得る。エンコーダ１１０４は、ビットシーケンスを符号化するように構成され得る。たとえば、エンコーダ１１０４は、ビットシーケンスに前方誤り訂正（ＦＥＣ）コードを適用するように構成され得る。ＦＥＣコードは、ブロックコード、畳み込みコード（たとえば、バイナリ畳み込みコード）などであり得る。符号化ビットシーケンスは、インターリービングシステム１０１４に与えられ得る。
【００９７】
[00126]インターリービングシステム１０１４は、ストリームパーサ１１０６と、複数の空間ストリームインターリーバ１１０８ａ〜１１０８ｃとを含み得る。ストリームパーサ１１０６は、エンコーダ１１０４から複数の空間ストリームインターリーバ１１０８ａ〜１１０８ｃへの符号化ビットストリームをパースするように構成され得る。
【００９８】
[00127]各インターリーバ１１０８ａ〜１１０８ｃは、周波数インターリービングを実行するように構成され得る。たとえば、ストリームパーサ１１０６は、各空間ストリームについてシンボルごとにコード化ビットのブロックを出力することができる。各ブロックは、行に書き込み、列を読み出す、対応するインターリーバ１１０８ａ〜１１０８ｃによってインターリーブされ得る。列数（Ｎｃｏｌ）またはインターリーバ深度は、データトーン数（Ｎｄａｔａ）に基づき得る。行数（Ｎｒｏｗ）は、列数（Ｎｃｏｌ）およびデータトーン数（Ｎｄａｔａ）の関数であり得る。たとえば、行数（Ｎｒｏｗ）は、列数（Ｎｃｏｌ）で除算されたデータトーン数（Ｎｄａｔａ）に等しくなり得る（たとえば、Ｎｒｏｗ＝Ｎｄａｔａ／Ｎｃｏｌ）。
【００９９】
[00128]図１２は、トーン割振りユニットを使用して、ワイヤレス通信ネットワークを介して通信する例示的な方法のためのフローチャート１２００を示す。本方法は、いくつかの異なるデバイスがアップリンクまたはダウンリンクＯＦＤＭＡ送信を送信または受信することを可能にするために、それらのデバイスの間で帯域幅を分割するために使用され得る。本方法は、図２に示されたワイヤレスデバイス２０２、または図１に示されたＡＰ１０４など、本明細書で説明されるデバイスによって全体的にまたは部分的に実施され得る。本明細書では、図示される方法は、図１に関して上記で説明されたワイヤレス通信システム１００と、図５〜図９に関して上記で説明された送信５００〜９００とを参照して説明されるが、図示される方法は、本明細書で説明される別のデバイスもしくは送信、または任意の他の好適なデバイスもしくは送信によって実施され得ることを当業者には諒解されよう。本明細書では、図示される方法が特定の順序に関して説明されるが、様々な実施形態では、本明細書のブロックは、異なる順序で実行され得るか、または省略され得、追加のブロックが追加され得る。
【０１００】
[00129]ブロック１２１０で、ＡＰ１０４は、メッセージの送信のための総帯域幅を決定し、総帯域幅が、複数のトーンを備える。たとえば、この帯域幅は、２０ＭＨｚ、４０ＭＨｚ、８０ＭＨｚ、または１６０ＭＨｚのうちの１つであり得る。いくつかの態様では、複数のトーンは、データまたはパイロットトーンとして使用され得るいくつかの使用可能トーンを含み、ここにおいて、メッセージは、ガードトーンと直流トーンとをさらに含む。たとえば、複数のトーンは、使用可能トーンのみを指すために使用され得、任意のメッセージにおいて見つけられ得るガードトーンまたはＤＣトーンを指さないことがある。したがって、それらのトーンは、ＴＡＵサイズを使用してグループに分割されないことがある。いくつかの態様では、決定するための手段はプロセッサを含み得る。
【０１０１】
[00130]ブロック１２２０で、ＡＰ１０４は、総帯域幅中の複数のトーンを、１つまたは複数の２６トーングループ、５２トーングループ、１０６トーングループ、１０７トーングループ、２４２トーングループ、９９４トーングループ、または９９６トーングループに分割し、各トーングループが、トーン割振りユニットに等しいいくつかのトーンを有する。いくつかの実施形態では、分割するための手段はプロセッサを含み得る。
【０１０２】
[00131]様々な実施形態では、トーン割振りユニットは、２６個のトーンを含み得る。様々な実施形態では、各トーングループは、２つのパイロットトーンと、２４個のデータトーンとを含み得る。様々な実施形態では、総帯域幅中の複数のトーンを１つまたは複数のトーンブロックに分割することは、２３４個のトーンを９つのトーングループに分割すること、４６８個のトーンを１８個のトーングループに分割すること、４９４個のトーンを１９個のトーングループに分割すること、９３６個のトーンを３６個のトーングループに分割すること、９８８個のトーンを３８個のトーングループに分割すること、および１００６個のトーンを３１個のトーングループに分割することのうちの１つを含み得る。
【０１０３】
[00132]様々な実施形態では、トーン割振りユニットは、２４２個のトーンを含み得る。様々な実施形態では、各トーングループは、８つのパイロットトーンと、２３４個のデータトーンとを含み得る。様々な実施形態では、総帯域幅中の複数のトーンを１つまたは複数のトーンブロックに分割することは、２４２個のトーンを１つのトーングループに分割すること、４８４個のトーンを２つのトーングループに分割すること、および９６８個のトーンを４つのトーングループに分割することのうちの１つを含み得る。
【０１０４】
[00133]様々な実施形態では、本方法は、全帯域幅送信または２０ＭＨｚサブ送信のいずれかのための、左エッジトーンの数Ｘと、右エッジトーンの数Ｙと、直流（ＤＣ）トーンの数Ｚとを設定し、Ｘ＋Ｙ＋Ｚが、２０ＭＨｚ送信では２２、４０ＭＨｚ送信では１８、２２、２８、４４のうちの１つ、および８０ＭＨｚ送信では１８、２２、３６、５６、８８のうちの１つに等しくなるようにし、ここにおいて、Ｙ＝Ｘ−１であり、Ｚは３以上の奇数の整数であることを、さらに含み得る。
【０１０５】
[00134]様々な実施形態では、本方法は、共通または制御チャネルに、２０ＭＨｚ送信および４０ＭＨｚ送信のための少なくとも１つのトーングループに加えて、１つまたは複数の割り振られていないトーンを割り当てることをさらに含み得る。様々な実施形態では、本方法は、２０ＭＨｚ送信および４０ＭＨｚ送信のために、共通または制御チャネルに、少なくとも１つのトーングループを割り振ることをさらに含み得る。
【０１０６】
[00135]ブロック１２３０で、ＡＰ１０４は、指示を決定し、指示が、第１のワイヤレス通信デバイスに、１つまたは複数のトーンブロックのうちの１つまたは複数を割り当てる。いくつかの態様では、決定するための手段はプロセッサを含み得る。
【０１０７】
[00136]ブロック１２４０で、ＡＰ１０４は、少なくとも第１のワイヤレス通信デバイスまたは第２のデバイスに、指示を送信する。いくつかの態様では、この指示は、ＵＬ  ＯＦＤＭＡ送信をトリガし得るトリガメッセージであり得る。たとえば、このメッセージは、いくつかのワイヤレスデバイスに送信され得、それらのデバイスに、それらの割り振られたトーンと、ＵＬ  ＯＦＤＭＡ送信のタイミングなどの他の情報とを通知し得る。したがって、それらのデバイスは、指示において見られる情報に少なくとも部分的に基づいてＵＬ  ＯＦＤＭＡ送信を送信するように構成され得る。いくつかの態様では、この指示は、ダウンリンクメッセージのパケットヘッダであり得る。たとえば、ＤＬ  ＯＦＤＭＡメッセージは、パケットヘッダを含み得、指示は、そのパケットヘッダの一部として含まれ得る。いくつかの態様では、送信するための手段は送信機を含み得る。
【０１０８】
[00137]様々な実施形態では、２６トーングループおよび２４２トーングループが整合（アライン）され得る。様々な実施形態では、本方法は、初期分散における干渉測定のために、１つまたは複数のトーンを割り振ることをさらに含み得る。様々な実施形態では、初期分散は、２６トーンブロック間のギャップ中に位置決めされた干渉測定のためのトーンを含み得る。
【０１０９】
[00138]様々な実施形態では、本方法は、２７トーングループ内の干渉測定のためのトーンのロケーションを循環的にインクリメントすることによって、後続のシンボルにおける送信のために、トーンのロケーションを変更すること、各２７トーングループが、２６トーングループと干渉測定のための単一のトーンとを含む、をさらに含み得る。様々な実施形態では、本方法は、使用可能トーンの全体内の干渉測定のためのトーンのロケーションを循環的にインクリメントすることによって、後続のシンボルにおける送信のために、トーンのロケーションを変更することをさらに含み得る。
【０１１０】
[00139]様々な実施形態では、本方法は、干渉測定のためのトーン上で送信することを控えることをさらに含み得る。受信機は、干渉測定のためのトーン上で受信された干渉と雑音とを測定することができる。様々な実施形態では、本方法は、２６トーングループ上で情報を送信することと、干渉測定のためのトーン上で送信することを控えることとをさらに含み得る。
【０１１１】
[00140]図１３は、様々な帯域幅および実施形態によるトーンプランをまとめたチャートである。具体的には、図１３は、左列に示された各帯域幅について、および最上行に示された各実装形態についての、使用可能トーンの数と、データトーンの数と、パイロットトーンの数とを示す。
【０１１２】
[00141]図１４Ａは、１３個のガードトーンを有する例示的な２０ＭＨｚパケットのための周波数上のシミュレートされた性能を示すグラフである。図１４Ａのグラフは、４ｘシンボル持続時間をもつ２０ＭＨｚパケットと、フィルタ処理なしのオーバーサンプリングＦＦＴとについて、シミュレートされた電力スペクトル密度（ＰＳＤ）（ｄＢｒ単位）対周波数（ＭＨｚ単位）を示す。図１４Ａのグラフは、ＲＢＷ（ここでは、２００ｋＨｚ）が、たとえば２０ｄＢｒ  ＢＷルールを満たすために、ＥＢＷの１％に等しいと仮定する。
【０１１３】
[00142]図１４Ｂは、１９個のガードトーンを有する例示的な４０ＭＨｚパケットのための周波数上のシミュレートされた性能を示すグラフである。図１４Ｂのグラフは、４ｘシンボル持続時間をもつ４０ＭＨｚパケットと、フィルタ処理なしのオーバーサンプリングＦＦＴとについて、シミュレートされたＰＳＤ（ｄＢｒ単位）対周波数（ＭＨｚ単位）を示す。図１４Ｂのグラフは、ＲＢＷ（ここでは、４００ｋＨｚ）が、たとえば２０ｄＢｒ  ＢＷルールを満たすために、ＥＢＷの１％に等しいと仮定する。
【０１１４】
[00143]図１４Ｃは、３１個のガードトーンを有する例示的な８０ＭＨｚパケットのための周波数上のシミュレートされた性能を示すグラフである。図１４Ｃのグラフは、４ｘシンボル持続時間をもつ８０ＭＨｚパケットと、フィルタ処理なしのオーバーサンプリングＦＦＴとについて、シミュレートされたＰＳＤ（ｄＢｒ単位）対周波数（ＭＨｚ単位）を示す。図１４Ｂのグラフは、ＲＢＷ（ここでは、８００ｋＨｚ）が、たとえば２０ｄＢｒ  ＢＷルールを満たすために、ＥＢＷの１％に等しいと仮定する。
【０１１５】
[00144]図１５Ａ〜図１５Ｂは、様々なインターリービング実装形態のための、シミュレートされた性能を示すグラフである。様々な実施形態では、セグメントパーサは、各ＴＡＵまたはＴＡＵのグループのためのコード化ビットを分離する。ＢＣＣインターリービングおよびコンステレーションマッピングが、各ＴＡＵまたはＴＡＵのグループにおいて独立して実行され得る。図１５Ａ〜図１５Ｂでは、２０ＭＨｚ  ＢＷにおける４ＴＡＵ割振りが、３つのインターリービング実装形態、すなわち、４つのＴＡＵにわたるセグメントパーサと、各ＴＡＵ内のＢＣＣインターリービングとを有する「４×２６」、および２つのＴＡＵの２つのグループにわたるセグメントパーサと、各グループ（２つのＴＡＵ）内のＢＣＣインターリービングとを有する「２×５２」、に従って示される。９６個のトーンを得るために、１０８個のトーンがパンクチャされる。ＢＣＣインターリービングは、１つのＴＡＵ、２つのＴＡＵにおいて実行され得、またはより大きいサイズ（たとえば、１０８〜９６個のトーン）のインターリーバからパンクチャされていることがあり得る。いくつかの実施形態では、８のＮ＿ＣＯＬは、２４のＢＣＣインターリーバサイズのために使用され得、１６のＮ＿ＣＯＬは、４８のＢＣＣインターリーバサイズのために使用され得、１８のＮ＿ＣＯＬは、１０８のＢＣＣインターリーバサイズのために使用され得る。
【０１１６】
[00145]いくつかの実施形態では、可能にされた割振りユニットは、１つの２６トーンユニットと、２つの２６トーンユニットと、４つの２６トーンユニットと、１つの２４２トーンユニットと、２つの２４２トーンユニットと、３つの２４２トーンユニットと、４つの２４２トーンユニットとを含み得る。したがって、いくつかの実施形態では、２６個のトーン＝２４個のデータ＋２つのパイロットによる１×２６割振りでは、インターリービングは、８０２．１１ａｈにおける既存の２４トーンインターリーバに従うことができる。２×２６割振りでは、２×２６＝５２個のトーン＝４８個のデータ＋４つのパイロットであるので、既存の８０２．１１ａ  ４８トーンインターリーバは、Ｎｃｏｌ＝１６とともに使用され得、Ｎｒｏｔは［１：２４］のうちの１つであり得、ＬＤＰＣトーンマッピング距離Ｄｔｍは、｛２，３，４，６，８，１２，１６，２４｝から選定され得る。
【０１１７】
[00146]４×２６割振り、４×２６＝１０４個のトーンでは、インターリービングのための様々な実装形態がある。一実装形態では、インターリービングは、２つのステップ、すなわち、（１）４つのブロックにわたる周波数セグメントパーシング、次いで、（２）各２６トーンブロック内の２４トーンインターリービング（たとえば、２６個のトーン＝２４個のデータ＋２つのパイロットによる実施形態の場合）において実行され得る。別の実装形態では、インターリービングは、２つのステップ（１）、２つのステップで、すなわち、（１）２つのブロックにわたる周波数セグメントパーシング、次いで、（２）各２×２６トーンブロック内の４８トーンインターリービング（たとえば、２×２６個のトーン＝４８個のデータ＋４つのパイロットによる実施形態の場合）において実行され得る。Ｄｔｍは、ＬＤＰＣについて｛２，３，４，６，８，１２，１６，２４｝から選定され得る。
【０１１８】
[00147]また別の実装形態では、１０４個のトーン＝９６個のデータ＋８つのパイロット＝９８個のデータ＋６つのパイロット＝１００個のデータ＋４つのパイロットによる例示的な実施形態の場合、トランケーテッド（truncated）インターリービングが、既存の１０８トーンインターリーバ（Ｎｃｏｌ＝１８、Ｎｓｓ≦４の場合にＮｒｏｔ＝２９、Ｎｓｓ＞４の場合に１３を有し得る）を用いて実行され得る。列において読むと、９６／９８／１００個のデータトーンのみがあるので、インターリーバは、書き込まれたビットを有していないグリッドをスキップすることができる。
【０１１９】
[00148]また別の実装形態では、ｎ×２４２割振りによる実施形態では、インターリービングは、２つのステップ、すなわち、（１）周波数セグメントパーシング、次いで、（２）各２４２トーンブロック内の２３４トーンインターリービング（たとえば、２４２個のトーン＝２３４個のデータ＋８つのパイロットによる実施形態の場合）において実行され得る。Ｄｔｍは、ＬＤＰＣについて｛２，３，６，９，１３，１８，２６，３９，７８，１１７｝から選定され得る。
【０１２０】
[00149]各２６トーンブロックとともに、チャネル補間の観点から、８０２．１１ａｘ  ＬＴＦ圧縮のために１ｘシンボル持続時間を使用する実施形態では、外挿のための２つの場合、すなわち、０＋１または２＋３のいずれかがあり得、ただし、ｍ＋ｎは、２６トーンブロックの１つのエッジにおけるｍ個のトーンおよび他のエッジにおけるｎ個のトーンが、１ｘから推定されたチャネルからの外挿を必要とすることを意味することに留意されたい。いくつかの実施形態では、チャネル外挿は、任意のブロックサイズをもつ任意のＯＦＤＭＡトーンプランのために確保され得る。たとえば、４の倍数のブロックサイズでは、４トーンごとに圧縮のためにポピュレート（populate）される場合、リソースブロックの両方のエッジからの合計３つのトーンがあることになり、外挿を必要とする。外挿なしの１つの場合には、４＊ｋ＋１のブロックサイズが使用され得、ｋ＋１において、トーンがポピュレートされ得る。しかしながら、次の３つのトーンは、現在のブロックと次のブロックとの間のセパレータとして廃棄され、それにより、次のブロックもまた、現在のブロックのように２個のエッジトーンのすべてをポピュレートするための機会を有する。
第９の２６トーンブロック割振りを有する実施形態では、ＤＣの周囲とエッジにおいての両方で、平滑化および外挿問題（たとえば、４つのエッジトーンのすべてがポピュレートされるとは限らない）が生じ得る。したがって、トーンブロックの間にレフトオーバートーンを配置することは、１ｘシンボル持続時間によるＬＴＦ圧縮におけるチャネル外挿を改善しない。
干渉測定
[00150]図８Ａ〜図８Ｃに関して上記で説明された整合されたトーンプランなど、いくつかの実施形態では、レフトオーバートーンは、２６トーン割振りおよび２４２トーン割振りにおいて同じ境界を維持するために使用され得る。たとえば、送信８００Ａ〜８００Ｃはそれぞれ、各２０ＭＨｚ部分において８つのレフトオーバートーンを含む。整合（アラインメント）のために使用されるそのようなレフトオーバートーンは、一般に本明細書で「アラインメント（整合）トーン」と呼ばれることがある。様々な実施形態では、レフトオーバートーンは、データトーン、追加のＤＣトーン、ガードトーン、共通または制御チャネルなどの任意の組合せとして使用され得る。いくつかの実施形態では、アラインメントトーンは、追加または代替として、干渉測定のために使用され得る。たとえば、送信機は、アラインメントトーンにおいてデータを送信することができず、受信機は、干渉レベルを測定または推定するために、アラインメントトーンにおいて受信された干渉と雑音とを測定することができる。干渉レベルは、たとえば、各アラインメントトーンの近くまたはそれに隣接する２６トーンブロックについて、測定または推定され得る。様々な実施形態では、干渉推定は、干渉ヌル化、雑音白色化の任意の組合せのために、より良い復調性能を得るためなどに使用され得る。
【０１２１】
[00151]アラインメントトーンは、本開示の範囲内の多数の方法において、任意のサイズの（そのために干渉測定が実行されるべきである）トーンブロックの間で分散され得るが、１つの非限定的な例は、各２６トーンブロックの間に単一のアラインメントトーンを含めることを含む。たとえば、図８Ａを参照すると、各連続する２６トーンブロック（ＤＣトーンにまたがっているトーンブロックを除く）は、２６個のデータトーンと１つのアラインメントトーンとを含む２７トーンブロックで論理的に置き換えられ得る。アラインメントトーンよりも多いトーンブロックを含むいくつかの実施形態では、１つまたは複数の２６トーンブロックは、アラインメントトーンに関連付けられなくてよい。他の実施形態では、２つ以上のアラインメントトーンが、同じトーンブロックに関連付けられ得る。
【０１２２】
[00152]様々な実施形態では、アラインメントトーンは、周期的にまたはランダムに移動され得る。たとえば、アラインメントトーンのロケーションは、Ｙ個のシンボルごとに（たとえば、各シンボルで、２シンボルごとに、３シンボルごとになど）、Ｘ個のトーンをホッピングして（たとえば、１トーン、２トーン、３トーンなどの増分で）、循環的に変更され得る。したがって、アラインメントトーンが、いくつかの例示的なロケーションにちりばめる（staring）ように本明細書で説明されるが、様々な実施形態では、アラインメントトーンは、様々な初期トーンロケーションに基づいて、整合されたトーンプラン内で移動するので、いかなるロケーションをも占有することができる。
【０１２３】
[00153]図１６Ａは、一実施形態による、干渉測定のために使用される初期アラインメントトーン１６１０ａ〜１６１０ｈを介して２４２トーン割振りと整合される、２６トーン割振り１６０５ａ〜１６０５ｉを使用する、例示的な２０ＭＨｚ送信１６００Ａを示す。図示された送信１６００Ａは、図８の送信８００Ａに基づく２０ＭＨｚ送信であるが、アラインメントトーン１６１０ａ〜１６１０ｈに関する本開示は、本明細書で説明される任意の他の送信、たとえば、図８の４０ＭＨｚ送信８００Ｂおよび／または８０ＭＨｚ送信８００Ｃに適用され得る。したがって、異なる数のアラインメントトーン１６１０ａ〜１６１０ｈが使用され得、アラインメントトーン１６１０ａ〜１６１０ｈは、異なる初期分散を有し得る。
【０１２４】
[00154]図示された実施形態では、送信１６００Ａは、２６トーンブロック間で初期分散された８つのアラインメントトーン１６１０ａ〜１６１０ｈの追加とともに、図５Ａの２０ＭＨｚ送信５００Ａと同じに編成される。送信１６００Ａは、２４２トーン送信８５０Ａに一致するために、６つの左エッジトーン１６０２と、３つのＤＣトーン１６０３と、５つの右エッジトーン１６０４とを有する。
【０１２５】
[00155]図示されたアラインメントトーン１６１０ａ〜１６１０ｈの初期分散では、４つの左端の２６トーンブロック１６０５ａ〜１６０５ｄは、それぞれ、２６個の使用可能トーンと１つのアラインメントトーン１６１０ａ〜１６１０ｄとを含む２７トーンブロックとして形成され得る。４つの右端の２６トーンブロック１６０５ｆ〜１６０５ｉは、それぞれ、２６個の使用可能トーンと１つのアラインメントトーン１６１０ｅ〜１６１０ｈとを含む２７トーンブロックとして形成され得る。したがって、アラインメントトーン１６１０ａは、２６トーンブロック１６０５ａまたは２６トーンブロック１６０５ｂにおける干渉を測定または推定するために使用され得、アラインメントトーン１６１０ｄは、２６トーンブロック１６０５ｄまたは２６トーンブロック１６０５ｅの左半分における干渉を測定または推定するために使用され得、アラインメントトーン１６１０ｅは、２６トーンブロック１６０５ｅの右半分または２６トーンブロック１６０５ｆにおける干渉を測定または推定するために使用され得る、などとなる。
【０１２６】
[00156]一実施形態では、アラインメントトーンは、たとえば、各シンボルで位置を循環的にインクリメントすることによって、各２７トーンブロック１６０５ａ〜１６０５ｉ内でホッピングすることができる。２７トーンブロック内の循環シフトの一例が、図１６Ｂに示される。別の実施形態では、アラインメントトーンは、たとえば、各シンボルで位置を循環的にインクリメントすることによって、使用可能トーンの全体内でホッピングすることができる。２４２個の使用可能トーンの全体内の循環シフトの一例が、図１６Ｃに示される。
【０１２７】
[00157]図１６Ｂは、一実施形態による、干渉測定のために使用される循環シフトされたアラインメントトーン１６１０ａ〜１６１０ｈを介して２４２トーン割振りと整合される、２６トーン割振り１６０５ａ〜１６０５ｉを使用する、例示的な２０ＭＨｚ送信１６００Ｂを示す。図示された送信１６００Ｂは、図８の送信８００Ａに基づく２０ＭＨｚ送信であるが、アラインメントトーン１６１０ａ〜１６１０ｈに関する本開示は、本明細書で説明される任意の他の送信、たとえば、図８の４０ＭＨｚ送信８００Ｂおよび／または８０ＭＨｚ送信８００Ｃに適用され得る。したがって、異なる数のアラインメントトーン１６１０ａ〜１６１０ｈが使用され得、アラインメントトーン１６１０ａ〜１６１０ｈは、異なるシフトされた分散を有し得る。
【０１２８】
[00158]図示された実施形態では、送信１６００Ｂは、２０ＭＨｚ送信１６００Ａと同じに編成され、８つのアラインメントトーン１６１０ａ〜１６１０ｈが、各初期２７トーンブロック１６０５ａ〜１６０５ｄおよび１６０５ｆ〜１６０５ｉ内で循環シフトされる。したがって、送信１６００Ｂは、たとえば、送信１６００Ａの１シンボル後に送信され得る。図示された実施形態では、８つのアラインメントトーン１６１０ａ〜１６１０ｈのみがあるので、２６トーンブロック１６０５ｅは、アラインメントトーンを含まない。
【０１２９】
[00159]送信１６００Ａでは、アラインメントトーン１６１０ａ〜１６１ｄは、それぞれ、各２７トーンブロック１６０５ａ〜１６０５ｄの最後に初期分散された。したがって、送信１６００Ｂでは、アラインメントトーン１６１０ａ〜１６１０ｄは、それぞれ、各２７トーンブロック１６０５ａ〜１６０５ｄの最初に移動している。同様に、送信１６００Ａでは、アラインメントトーン１６１０ｅ〜１６１ｈは、それぞれ、各２７トーンブロック１６０５ｆ〜１６０５ｉの最初に初期分散された。したがって、送信１６００Ｂでは、アラインメントトーン１６１０ｅ〜１６１０ｈは、それぞれ、各２７トーンブロック１６０５ｆ〜１６０５ｉの第２のトーンに移動している。図示された実施形態によれば、後続のシンボルにおいて、アラインメントトーン１６１０ａ〜１６１０ｈは、右に１トーンシフトすることができる。ホッピングは、後続のシンボルについて継続することができる。
【０１３０】
[00160]上記で説明されたように、２６トーンブロック１６０５ｅは、アラインメントトーンを含まない。したがって、アラインメントトーンがブロック１６０５ｅの近くではない時間があり得、干渉推定の精度が低減することがある。たとえば、図１６Ｂに示されるように、アラインメントトーン１６１０ｄは、トーンブロック１６０５ｅの左半分から離れてシフトしている。したがって、アラインメントトーン１６１０ｄに基づく、２６トーンブロック１６０５ｅのためのいかなる干渉推定も、低減された精度のものになり得る。
【０１３１】
[00161]図１６Ｃは、別の実施形態による、干渉測定のために使用される循環シフトされたアラインメントトーン１６１０ａ〜１６１０ｈを介して２４２トーン割振りと整合される、２６トーン割振り１６０５ａ〜１６０５ｉを使用する、例示的な２０ＭＨｚ送信１６００Ｃを示す。図示された送信１６００Ｃは、図８の送信８００Ａに基づく２０ＭＨｚ送信であるが、アラインメントトーン１６１０ａ〜１６１０ｈに関する本開示は、本明細書で説明される任意の他の送信、たとえば、図８の４０ＭＨｚ送信８００Ｂおよび／または８０ＭＨｚ送信８００Ｃに適用され得る。したがって、異なる数のアラインメントトーン１６１０ａ〜１６１０ｈが使用され得、アラインメントトーン１６１０ａ〜１６１０ｈは、異なるシフトされた分散を有し得る。
【０１３２】
[00162]図示された実施形態では、送信１６００Ｂは、２０ＭＨｚ送信１６００Ａと同じに編成され、８つのアラインメントトーン１６１０ａ〜１６１０ｈが、送信１６００Ｃにおける使用可能トーン（ここでは、２４２個のトーン）の全体内で循環シフトされる。したがって、送信１６００Ｃは、たとえば、送信１６００Ａの１シンボル後に送信され得る。図示された実施形態では、８つのアラインメントトーン１６１０ａ〜１６１０ｈのみがあるので、２６トーンブロック１６０５ａは、アラインメントトーンを含まない。
【０１３３】
[00163]送信１６００Ａでは、アラインメントトーン１６１０ａ〜１６１ｄは、それぞれ、各２７トーンブロック１６０５ａ〜１６０５ｄの最後に初期分散された。したがって、送信１６００Ｃでは、アラインメントトーン１６１０ａ〜１６１０ｄは、それぞれ、各後続の２７トーンブロック１６０５ｂ〜１６０５ｅの最初に移動している。同様に、送信１６００Ａでは、アラインメントトーン１６１０ｅ〜１６１ｈは、それぞれ、各２７トーンブロック１６０５ｆ〜１６０５ｉの最初に初期分散された。したがって、送信１６００Ｃでは、アラインメントトーン１６１０ｅ〜１６１０ｈは、それぞれ、各２７トーンブロック１６０５ｆ〜１６０５ｉの第２のトーンに移動している。図示された実施形態によれば、後続のシンボルにおいて、アラインメントトーン１６１０ａ〜１６１０ｈは、右に１トーンシフトすることができる。ホッピングは、後続のシンボルについて継続することができる。したがって、各２６トーンブロックは、干渉測定サービスを受けるための等しい機会を有し得る。
【０１３４】
[00164]上記で説明されたように、２６トーンブロック１６０５ａは、もはやアラインメントトーンを含まない。アラインメントトーンがシフトするので、２６トーンブロック１６０５ａ〜１６０５ｉのうちの１つがアラインメントトーンを含まず、その特定の２６トーンブロックのための干渉推定の精度を低減する送信があることになる。したがって、低減された干渉推定または測定精度のための可能性が、２６トーンブロック１６０５ａ〜１６０５ｉの間に広げられ得る。
ブロック境界に対する割振り
[00165]図１７は、ＤＣトーンの各側の（８つの合計の追加のトーンからの）２つの割り振られたトーンの追加とともに、図５Ａの２０ＭＨｚ送信５００Ａと同じに編成される、例示的な２０ＭＨｚ送信１７００を示す。したがって、送信８００Ａは、６つの左エッジトーンと、７つのＤＣトーンと、５つの右エッジトーンと、合計２３４個の使用可能トーンとを有する。したがって、送信１７００は、２４２トーンブロックと整合され得る。
【０１３５】
[00166]図１８は、各２０ＭＨｚ部分１８２０Ａおよび１８２０Ｂがそれぞれ送信１８５０の２４２トーンブロック１８７０Ａおよび１８７０Ｂと整合される、図６Ｅの４０ＭＨｚ送信６００Ｅと同じに編成される、４０ＭＨｚ送信１８００を示す。したがって、どの２６トーンブロックも、２４２トーンブロック１８７０Ａと１８７０Ｂとの間の境界１８９０を横断しない。図１８は４０ＭＨｚ送信を示すが、本明細書で説明される技法は、たとえば、８０ＭＨｚなど、他の帯域幅の送信に適用され得ることは、当業者には諒解されよう。
【０１３６】
[00167]概して、２６トーンブロックが２４２トーンブロック間の境界を横断しない送信は、２６トーンブロックが２４２トーンブロック間の境界を横断する送信と比較して、より少ない割振り複雑化を有し得る。たとえば、場合によっては、２４２トーンブロック間の境界を横断する２６トーンブロックの使用は、それらの２４２トーンブロックの使用を妨げることがある。同様に、場合によっては、それらの２４２トーンブロックのいずれかの使用は、それらの２４２トーンブロック間の境界を横断する２６トーンブロックの使用を妨げることがある。したがって、２４２トーンブロック１８７０Ａと１８７０Ｂとの間の境界１８９０にまたがる、中心の２６トーンブロック１８９５は、省略され得る。
【０１３７】
[00168]図１９は、固定された割振り位置を有する、様々な４０ＭＨｚ送信１９００Ａ〜１９００Ｅを示す。図１９は４０ＭＨｚ送信を示すが、本明細書で説明される技法は、たとえば、８０ＭＨｚなど、他の帯域幅の送信に適用され得ることは、当業者には諒解されよう。
【０１３８】
[00169]いくつかの実施形態では、ＡＰ１０４は、次の割振りのうちの１つまたは複数を行うことができ、すなわち、１×２６（たとえば、１つの２６トーンブロックが単一のＳＴＡに割り振られ得る）、２×２６（たとえば、２つの２６トーンブロックが単一のＳＴＡに割り振られ得る）、３×２６（たとえば、３つの２６トーンブロックが単一のＳＴＡに割り振られ得る）、４×２６（たとえば、４つの２６トーンブロックが単一のＳＴＡに割り振られ得る）、１×２４２（たとえば、１つの２４２トーンブロックが単一のＳＴＡに割り振られ得る）、２×２４２（たとえば、２つの２４２トーンブロックが単一のＳＴＡに割り振られ得る）などである。いくつかの実施形態では、いくつかの割振りが許可されない。たとえば、いくつかの実施形態では、３×２６割振りおよび／または４×２６割振りが許可されない。いくつかの実施形態では、連続する割振りのみが行われる。したがって、どのＳＴＡにも、不連続２６トーンまたは２４２トーンブロックが割り振られない。
【０１３９】
[00170]示されるように、ＡＰ１０４は、固定された割振り位置に基づいて、トーンブロックをＳＴＡに割り振ることができる。たとえば、割振り１９００Ａは、１×２６割振りのための可能にされた割振り位置を含み得る。他方では、他の割振りが許可され得ない。図示された実施形態では、固定された割振り位置１９００Ａは、左および右側に整合される。たとえば、左側のみに整合される、右側のみに整合される、送信１９００Ａの中間に整合される、または他の固定された位置など、他の固定された割振り位置が可能であることは、当業者には諒解されよう。
【０１４０】
[00171]別の例として、割振り１９００Ｂは、２×２６割振りのための可能にされた割振り位置を含み得る。他方では、割振り１９００Ｂに対してシフトされる割振り１９００Ｆは、許可され得ない。図示された実施形態では、固定された割振り位置１９００Ｂが左および右側に整合され、送信１９００Ｂの中間により小さい割振り（たとえば、１×２６割振り）のためのオプションが残される。たとえば、左側のみに整合される、右側のみに整合される、送信１９００Ｂの中間に整合される、または他の固定された位置など、他の固定された割振り位置が可能であることは、当業者には諒解されよう。
【０１４１】
[00172]別の例として、割振り１９００Ｃは、３×２６割振りのための可能にされた割振り位置を含み得る。他方では、割振り１９００Ｃに対してシフトされる割振り１９００Ｇ〜１９００Ｈは、許可され得ない。図示された実施形態では、固定された割振り位置１９００Ｃが左および右側に整合され、送信１９００Ｃの中間により小さい割振り（たとえば、１×２６割振り）のためのオプションが残される。たとえば、左側のみに整合される、右側のみに整合される、送信１９００Ｃの中間に整合される、または他の固定された位置など、他の固定された割振り位置が可能であることは、当業者には諒解されよう。
【０１４２】
[00173]別の例として、割振り１９００Ｄは、４×２６割振りのための可能にされた割振り位置を含み得る。他方では、割振り１９００Ｄに対してシフトされる割振り１９００Ｉ〜１９００Ｋは、無効にされ得る。図示された実施形態では、固定された割振り位置１９００Ｄが左および右側に整合され、送信１９００Ｄの中間により小さい割振り（たとえば、１×２６割振り）のためのオプションが残される。たとえば、左側のみに整合される、右側のみに整合される、送信１９００Ｄの中間に整合される、または他の固定された位置など、他の固定された割振り位置が可能であることは、当業者には諒解されよう。
【０１４３】
[00174]様々な実施形態では、割振りは、たとえばＨＥ−ＳＩＧＢフィールドを介して、ＡＰ１０４からＳＴＡ１０６に通信され得る。いくつかの実施形態では、割振りは、割振りのマップにインデックス付けすることによって通信され得る（たとえば、０ｂ０００のマップインデックスは、ＳＴＡごとに１つの２６トーンブロックの９つの別個の割振りを示すことができ、０ｂ００１のマップインデックスは、ＳＴＡごとに２つの２６トーンブロックの４つの別個の割振りを示すことができ、０ｂ０１０のマップインデックスは、ＳＴＡごとに４つの２６トーンブロックの２つの別個の割振りを示すことができ、０ｂ０１１のマップインデックスは、ＳＴＡごとに１つの２６トーンブロックの５つの別個の割振りと、ＳＴＡごとに２つの２６トーンブロックの２つの別個の割振りとを示すことができ、０ｂ１００のマップインデックスは、ＳＴＡごとに２つの２６トーンブロックの２つの別個の割振りと、ＳＴＡごとに４つの２６トーンブロックの１つの別個の割振りとを示すことができる、など）。他の実施形態では、割振りは、１つまたは複数のルールを受ける、柔軟な、または自由形式のシグナリング方式に従って通信され得る。例として、そのようなルールは、１つまたは複数の割振り組合せを許可しないこと、各ＰＰＤＵにおける割振りの最大数を定義すること、ＰＰＤＵ帯域幅ごとの最小割振りサイズを定義すること（たとえば、４０ＭＨｚ送信のためのＳＴＡごとの２つの２６トーンユニットの最小割振り、８０ＭＨｚ送信のためのＳＴＡごとの４つの２６トーンユニットの最小割振りなど）のうちの１つまたは複数を含み得る。
【０１４４】
[00175]図２０Ａ〜図２０Ｃは、様々な実施形態による、２６トーン割振り、５２トーン割振り、１０６トーン割振り、１０７トーン割振り、１０８トーン割振り、および／または２４２トーン割振りを使用する、例示的な２０ＭＨｚ送信と、４０ＭＨｚ送信と、８０ＭＨｚ送信とを示す。具体的には、図２０Ａは、Ａ〜Ｄとラベルが付けられた追加のトーンおよび／またはレフトオーバートーンの追加とともに、図５Ａ〜図５Ｃの２０ＭＨｚ送信５００Ａ〜Ｃと同じ方法で編成される、例示的な２０ＭＨｚ送信２０００Ａを示す。送信２０００Ａは、６つの左エッジトーンと、３つのＤＣトーンと、５つの右エッジトーンと、合計２４２個の使用可能トーンとを有する。図２０Ａは、２６トーンブロック、５２トーンブロック、１０６トーンブロック、１０７トーンブロック、１０８トーンブロック、および２４２トーンブロックの様々な組合せを使用する、４つの例示的な送信２０００Ａを示すが、任意の所与の送信内の割振りは、様々な実施形態では、異なるサイズの、異なる配列を有する、複数のトーンブロックを含み得る。
【０１４５】
[00176]図示された送信２０００Ａの第１のものは、９つの２６トーンブロック（１つの２６トーンブロックが２つの１３トーン部分に分割される）と、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。様々な実施形態では、Ｄは、合計３、５、または７つの合計のＤＣトーンについて、０、１、または２であり得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１４６】
[00177]図示された送信２０００Ａの第２のものは、４つの５２トーンブロックと、２つの１３トーン部分に分割されている１つの２６トーンブロックと、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。様々な実施形態では、Ｄは、合計３、５、または７つの合計のＤＣトーンについて、０、１、または２であり得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１４７】
[00178]図示された送信２０００Ａの第３のものは、１０４＋Ａ＋Ｂ＋Ｃ個のトーンを有する２つのブロックと、２つの１３トーン部分に分割されている１つの２６トーンブロックと、６つの左エッジトーンと、５つの右エッジトーンと、３つのＤＣトーンと、２＊Ｄ個の追加のＤＣトーンとを含む。様々な実施形態では、Ｄは、合計３、５、または７つの合計のＤＣトーンについて、０、１、または２であり得る。様々な実施形態では、Ａ＋Ｂ＋Ｃ＋Ｄは４に等しくなり、１０４＋Ａ＋Ｂ＋Ｃ個のトーンを有するトーンブロックに、合計１０６、１０７、または１０８個のトーンを与え得る。１０６トーンブロックを含む実施形態では、１０６トーンブロックは、１０２個のデータトーンと４つのパイロットトーンとを含み得る。１０７トーンブロックを含む実施形態では、１０７トーンブロックは、１０２個のデータトーンと５つのパイロットトーンとを含み得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１４８】
[00179]図示された送信２０００Ａの第４のものは、３つのＤＣトーンを有する単一の２４２トーンブロックと、６つの左エッジトーンと、５つの右エッジトーンとを含む。
【０１４９】
[00180]図２０Ｂは、Ａ〜Ｄとラベルが付けられた追加のトーンおよび／またはレフトオーバートーンの追加とともに、図６Ａ〜図６Ｄの４０ＭＨｚ送信６００Ａ〜Ｄと同じ方法で編成される、例示的な４０ＭＨｚ送信２０００Ｂを示す。送信２０００Ｂは、Ｍ個の左エッジトーンと、Ｘ個のＤＣトーンと、Ｎ個の右エッジトーンと、合計４８４個の使用可能トーンとを有する。様々な実施形態では、Ａ＋Ｂ＋Ｃ＋Ｄは４に等しくなり得る。様々な実施形態では、Ｄは、０、１、または２であり得る。様々な実施形態では、Ｘは、３、５、または７であり得る。Ｘが５である実施形態では、Ｍは１２に等しくなり得、Ｎは１１に等しくなり得る。Ｘが７である実施形態では、Ｍは１１に等しくなり得、Ｎは１０に等しくなり得る。
【０１５０】
[00181]図２０Ｂは、２６トーンブロック、５２トーンブロック、１０６トーンブロック、１０７トーンブロック、１０８トーンブロック、および２４２トーンブロックの様々な組合せを使用する、４つの例示的な送信２０００Ｂを示すが、任意の所与の送信内の割振りは、様々な実施形態では、異なるサイズの、異なる配列を有する、複数のトーンブロックを含み得る。図示された実施形態では、各４０ＭＨｚ送信２０００Ｂは、２つの２０ＭＨｚ送信２０５０Ｂの複製であり、２０ＭＨｚ送信２０５０Ｂは、様々な実施形態では、図２０Ａの２０ＭＨｚ送信２０００Ａ、または本明細書で説明される任意の他の２０ＭＨｚ送信であり得る。
【０１５１】
[00182]図示された送信２０００Ｂの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２０５０Ｂを含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１５２】
[00183]図示された送信２０００Ｂの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２０５０Ｂを含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１５３】
[00184]図示された送信２０００Ｂの第３のものは、１０４＋Ａ＋Ｂ＋Ｃ個のトーンを有する２つのブロックと、１つの２６トーンブロックと、２６トーンブロックの各側のＤ個のレフトオーバートーンとを各々が含む、２つの２０ＭＨｚ部分２０５０Ｂを含む。様々な実施形態では、Ａ＋Ｂ＋Ｃ＋Ｄは４に等しくなり、１０４＋Ａ＋Ｂ＋Ｃ個のトーンを有するトーンブロックに、合計１０６、１０７、または１０８個のトーンを与え得る。１０６トーンブロックを含む実施形態では、１０６トーンブロックは、１０２個のデータトーンと４つのパイロットトーンとを含み得る。１０７トーンブロックを含む実施形態では、１０７トーンブロックは、１０２個のデータトーンと５つのパイロットトーンとを含み得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１５４】
[00185]図示された送信２０００Ｂの第４のものは、２つの２０ＭＨｚ部分２０５０Ｂを含む。各２０ＭＨｚ部分２０５０Ｂは、単一の２４２トーンブロックを含む。
【０１５５】
[00186]図２０Ｃは、Ａ〜Ｄとラベルが付けられた追加のトーンおよび／またはレフトオーバートーンの追加とともに、図７Ａ〜図７Ｅの８０ＭＨｚ送信７００Ａ〜Ｅと同じ方法で編成される、例示的な８０ＭＨｚ送信２０００Ｃを示す。送信２０００Ｃは、１２個の左エッジトーンと、７つのＤＣトーンと、１１個の右エッジトーンと、ＯＦＤＭＡのための合計９９４個の使用可能トーンと、７、または５、または３である低減された数のＤＣトーンをもつＢＷ割振り全体のための合計９９４、９９６、または９９８個の使用可能トーンとを有する。様々な実施形態では、Ａ＋Ｂ＋Ｃ＋Ｄは４に等しくなり得る。様々な実施形態では、Ｄは、０、１、または２であり得る。
【０１５６】
[00187]図２０Ｃは、２６トーンブロック、５２トーンブロック、１０６トーンブロック、１０７トーンブロック、１０８トーンブロック、および２４２トーンブロックの様々な組合せを使用する、５つの例示的な送信２０００Ｃを示すが、任意の所与の送信内の割振りは、様々な実施形態では、異なるサイズの、異なる配列を有する、複数のトーンブロックを含み得る。図示された実施形態では、各８０ＭＨｚ送信２０００Ｃは、４つの２０ＭＨｚ送信２０５０Ｂの複製であり、２０ＭＨｚ送信２０５０Ｂは、様々な実施形態では、図２０Ａの２０ＭＨｚ送信２０００Ａ、または本明細書で説明される任意の他の２０ＭＨｚ送信であり得る。追加または代替として、各８０ＭＨｚ送信２０００Ｃは、２つの４０ＭＨｚ送信２０５０Ｃの複製であり、４０ＭＨｚ送信２０５０Ｃは、様々な実施形態では、図２０Ｂの４０ＭＨｚ送信２０００Ｂ、または本明細書で説明される任意の他の４０ＭＨｚ送信であり得る。図示された実施形態では、各８０ＭＨｚ送信２０００Ｃは、７つのＤＣトーンの両側の２つの別個の１３トーン部分に分割された追加の２６トーンブロックをさらに含む。
【０１５７】
[00188]図示された送信２０００Ｃの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２０５０Ｂを含む。図示された送信２０００Ｃの第１のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１５８】
[00189]図示された送信２０００Ｃの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２０５０Ｂを含む。図示された送信２０００Ｃの第２のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１５９】
[00190]図示された送信２０００Ｃの第３のものは、１０４＋Ａ＋Ｂ＋Ｃ個のトーンを有する２つのブロックと、１つの２６トーンブロックと、２６トーンブロックの各側のＤ個のレフトオーバートーンとを各々が含む、４つの２０ＭＨｚ部分２０５０Ｂを含む。様々な実施形態では、Ａ＋Ｂ＋Ｃ＋Ｄは４に等しくなり、１０４＋Ａ＋Ｂ＋Ｃ個のトーンを有するトーンブロックに、合計１０６、１０７、または１０８個のトーンを与え得る。１０６トーンブロックを含む実施形態では、１０６トーンブロックは、１０２個のデータトーンと４つのパイロットトーンとを含み得る。１０７トーンブロックを含む実施形態では、１０７トーンブロックは、１０２個のデータトーンと５つのパイロットトーンとを含み得る。図示された送信２０００Ｃの第３のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１６０】
[00191]図示された送信２０００Ｃの第４のものは、４つの２０ＭＨｚ部分２０５０Ｂを含む。各２０ＭＨｚ部分２０５０Ｂは、単一の２４２トーンブロックを含む。図示された送信２０００Ｃの第４のものは、７つのＤＣトーンの両側の２つの別個の１３トーン部分に分割された追加の２６トーンブロックをさらに含む。
【０１６１】
[00192]図示された送信２０００Ｃの第５のものは、様々な実施形態では、３、５、または７つのＤＣトーンを有するシングルユーザトーンプランを含む。したがって、ＳＵトーンプランは、それぞれ、９９６、９９８、または９９４個の使用可能トーンを含み得る。
【０１６２】
[00193]図２１は、トーン割振りユニットを使用して、ワイヤレス通信ネットワークを介して通信する例示的な方法のためのフローチャート２１００を示す。本方法は、いくつかの異なるデバイスがアップリンクまたはダウンリンクＯＦＤＭＡ送信を送信または受信することを可能にするために、それらのデバイスの間で帯域幅を分割するために使用され得る。本方法は、図２に示されたワイヤレスデバイス２０２、または図１に示されたＡＰ１０４など、本明細書で説明されるデバイスによって全体的にまたは部分的に実施され得る。本明細書では、図示される方法は、図１に関して上記で説明されたワイヤレス通信システム１００と、図２０Ａ〜図２０Ｃに関して上記で説明された送信２０００Ａ〜２０００Ｃと、図２２Ａ〜図２２Ｄに関して上記で説明された送信２２００Ａ〜２２００Ｄとを参照して説明されるが、図示される方法は、本明細書で説明される別のデバイスもしくは送信、または任意の他の好適なデバイスもしくは送信によって実施され得ることを当業者には諒解されよう。本明細書では、図示される方法が特定の順序に関して説明されるが、様々な実施形態では、本明細書のブロックは、異なる順序で実行され得るか、または省略され得、追加のブロックが追加され得る。
【０１６３】
[00194]ブロック２１１０で、ＡＰ１０４は、メッセージの送信のための総帯域幅を決定し、総帯域幅が、複数のトーンを備える。たとえば、この帯域幅は、２０ＭＨｚ、４０ＭＨｚ、８０ＭＨｚ、または１６０ＭＨｚのうちの１つであり得る。いくつかの態様では、複数のトーンは、データまたはパイロットトーンとして使用され得るいくつかの使用可能トーンを含み、ここにおいて、メッセージは、ガードトーンと直流（direct）トーンとをさらに含む。たとえば、複数のトーンは、使用可能トーンのみを指すために使用され得、任意のメッセージにおいて見つけられ得るガードトーンまたはＤＣトーンを指さないことがある。したがって、それらのトーンは、ＴＡＵサイズを使用してグループに分割されないことがある。いくつかの態様では、決定するための手段はプロセッサを含み得る。
【０１６４】
[00195]ブロック２１２０で、ＡＰ１０４は、総帯域幅中の複数のトーンを、１つまたは複数の２６トーンブロック、５２トーンブロック、１０６トーンブロック、１０７トーンブロック、１０８トーンブロック、２４２トーンブロック、および／または９９６トーンブロックに分割する（たとえば、各トーンブロックは、トーン割振りユニットであり得る）。いくつかの実施形態では、分割するための手段はプロセッサを含み得る。
【０１６５】
[00196]様々な実施形態では、帯域幅は、Ａトーンと、その後に続く２つの２６トーンブロックと、その後に続くＢトーンと、その後に続く２つの２６トーンブロックと、その後に続くＣトーンと、その後に続く分離２６トーンブロックの１３個のトーンと、その後に続くＤトーンと、その後に続く３つの直流（ＤＣ）トーンと、その後に続くＤトーンと、その後に続く分離２６トーンブロックの１３個のトーンと、その後に続くＣトーンと、その後に続く２つの２６トーンブロックと、その後に続くＢトーンと、その後に続く２つの２６トーンブロックと、その後に続くＡトーン、および、Ａトーンと、その後に続く２つの２６トーンブロックと、その後に続くＢトーンと、その後に続く２つの２６トーンブロックと、その後に続くＣトーンと、その後に続くＤトーンと、その後に続く１つの２６トーンブロックと、その後に続くＤトーンと、その後に続くＣトーンと、その後に続く２つの２６トーンブロックと、その後に続くＢトーンと、その後に続く２つの２６トーンブロックと、その後に続くＡトーン、および、Ａトーンと、その後に続く５２トーンブロックと、その後に続くＢトーンと、その後に続く５２トーンブロックと、その後に続くＣトーンと、その後に続く分離２６トーンブロックの１３個のトーンと、その後に続くＤトーンと、その後に続く３つのＤＣトーンと、その後に続くＤトーンと、その後に続く分離２６トーンブロックの１３個のトーンと、その後に続くＣトーンと、その後に続く５２トーンブロックと、その後に続くＢトーンと、その後に続く５２トーンブロックと、その後に続くＡトーン、および、Ａトーンと、その後に続く５２トーンブロックと、その後に続くＢトーンと、その後に続く５２トーンブロックと、その後に続くＣトーンと、その後に続くＤトーンと、その後に続く２６トーンブロックと、その後に続くＤトーンと、その後に続くＣトーンと、その後に続く５２トーンブロックと、その後に続くＢトーンと、その後に続く５２トーンブロックと、その後に続くＡトーン、および、１０６トーンブロックと、その後に続く分離２６トーンブロックの１３個のトーンと、その後に続くＤトーンと、その後に続く３つのＤＣトーンと、その後に続くＤトーンと、その後に続く分離２６トーンブロックの１３個のトーンと、その後に続く１０６トーンブロック、および、１０６トーンブロックと、その後に続くＤトーンと、その後に続く２６トーンブロックと、その後に続くＤトーンと、その後に続く１０６トーンブロック、および、１０７トーンブロックと、その後に続く分離２６トーンブロックの１３個のトーンと、その後に続くＤトーンと、その後に続く３つのＤＣトーンと、その後に続くＤトーンと、その後に続く分離２６トーンブロックの１３個のトーンと、その後に続く１０７トーンブロック、および、１０７トーンブロックと、その後に続くＤトーンと、その後に続く２６トーンブロックと、その後に続くＤトーンと、その後に続く１０７トーンブロック、および、１０８トーンブロックと、その後に続く分離２６トーンブロックの１３個のトーンと、その後に続くＤトーンと、その後に続く３つのＤＣトーンと、その後に続くＤトーンと、その後に続く分離２６トーンブロック��１３個のトーンと、その後に続く１０８トーンブロック、および、１０８トーンブロックと、その後に続くＤトーンと、その後に続く２６トーンブロックと、その後に続くＤトーンと、その後に続く１０８トーンブロック、および、２４２トーンブロック、および、９９６トーンブロック、および、分離２６トーンブロックの１３個のトーンと、その後に続く７つのＤＣトーンと、その後に続く分離２６トーンブロックの１３個のトーンのうちの１つまたは複数の組合せを含み得、ここにおいて、Ｄは０、１、または２であり、Ａ＋Ｂ＋Ｃ＋Ｄは４であり、帯域幅は合計Ｘ個のＤＣトーンを含み、Ｘは３、５、または７であり、帯域幅は、２０ＭＨｚ送信では６つの左エッジトーンと５つの右エッジトーンとを含み、帯域幅は、Ｘが５であるとき、４０ＭＨｚ送信では１２個の左エッジトーンと１１個の右エッジトーンとを含み、帯域幅は、Ｘが７であるとき、４０ＭＨｚ送信では１１個の左エッジトーンと１０個の右エッジトーンとを含み、帯域幅は、８０ＭＨｚ送信および１６０ＭＨｚ送信では１２個の左エッジトーンと１１個の右エッジトーンとを含む。たとえば、帯域幅は、図２０Ａ〜図２０Ｃおよび／または図２２Ａ〜図２２Ｄに関して本明細書で示され、説明されるもののいずれかを含み得る。
【０１６６】
[00197]様々な実施形態では、本方法は、干渉測定において使用するために、１つまたは複数のトーンブロックのうちの１つまたは複数のパイロットトーンをパンクチャすることをさらに含み得る。様々な実施形態では、メッセージは、１０２個のデータトーンと、４つのパイロットトーンと、７つの総直流（ＤＣ）トーンとを含む、少なくとも１つの１０６トーングループを含み得る。様々な実施形態では、メッセージは、１０２個のデータトーンと、４つのパイロットトーンとを含む、少なくとも１つの１０６トーングループを含み得る。様々な実施形態では、メッセージは、１０２個のデータトーンと、５つのパイロットトーンと、５つの総直流（ＤＣ）トーンとを含む、少なくとも１つの１０７トーングループを含み得る。様々な実施形態では、Ｄ＝１であり、Ｘ＝５であり、メッセージは、１０２個のデータトーンと、５つのパイロットトーンとを備える、少なくとも１つの１０７トーングループを含み得る。様々な実施形態では、Ｄ＝２であり、Ｘ＝５であり、メッセージは、１０２個のデータトーンと、４つのパイロットトーンとを備える、少なくとも１つの１０６トーングループを含み得る。
【０１６７】
[00198]様々な実施形態では、メッセージは、２つの８０ＭＨｚ送信を備える１６０ＭＨｚ送信を含み得る。様々な実施形態では、メッセージは、２つの連続する８０ＭＨｚ送信と、２３個の直流トーンとを含み得る。様々な実施形態では、メッセージは、２つの不連続８０ＭＨｚ送信と、サブバンド直流トーンのみとを含み得る。
【０１６８】
[00199]ブロック２１３０で、ＡＰ１０４は、指示を決定し、指示が、第１のワイヤレス通信デバイスに、１つまたは複数のトーンブロックのうちの１つまたは複数を割り当てる。いくつかの態様では、決定するための手段はプロセッサを含み得る。
【０１６９】
[00200]ブロック２１４０で、ＡＰ１０４は、少なくとも第１のワイヤレス通信デバイスまたは第２のデバイスに、指示を送信する。いくつかの態様では、この指示は、ＵＬ  ＯＦＤＭＡ送信をトリガし得るトリガメッセージであり得る。たとえば、このメッセージは、いくつかのワイヤレスデバイスに送信され得、それらのデバイスに、それらの割り振られたトーンと、ＵＬ  ＯＦＤＭＡ送信のタイミングなどの他の情報とを通知し得る。したがって、それらのデバイスは、指示において見られる情報に少なくとも部分的に基づいてＵＬ  ＯＦＤＭＡ送信を送信するように構成され得る。いくつかの態様では、この指示は、ダウンリンクメッセージのパケットヘッダであり得る。たとえば、ＤＬ  ＯＦＤＭＡメッセージは、パケットヘッダを含み得、指示は、そのパケットヘッダの一部として含まれ得る。いくつかの態様では、送信するための手段は送信機を含み得る。
【０１７０】
[00201]様々な実施形態では、２０ＭＨｚ帯域幅は、６つの左エッジトーンと、その後に続く１つの割り振られていないトーンと、その後に続く２つの２６トーンブロックと、その後に続く１つの割り振られていないトーンと、その後に続く２つの２６トーンブロックと、その後に続く分離２６トーンブロックの１３個のトーンと、その後に続く７つの直流（ＤＣ）トーンと、その後に続く分離２６トーンブロックの１３個のトーンと、その後に続く２つの２６トーンブロックと、その後に続く１つの割り振られていないトーンと、その後に続く２つの２６トーンブロックと、その後に続く１つの割り振られていないトーンと、その後に続く５つの右エッジトーン；
６つの左エッジトーンと、その後に続く１つの割り振られていないトーンと、その後に続く１つの５２トーンブロックと、その後に続く１つの割り振られていないトーンと、その後に続く１つの５２トーンブロックと、その後に続く分離２６トーンブロックの１３個のトーンと、その後に続く７つのＤＣトーンと、その後に続く分離２６トーンブロックの１３個のトーンと、その後に続く１つの５２トーンブロックと、その後に続く１つの割り振られていないトーンと、その後に続く１つの５２トーンブロックと、その後に続く１つの割り振られていないトーンと、その後に続く５つの右エッジトーン；
６つの左エッジトーンと、その後に続く１０６トーンブロックと、その後に続く分離２６トーンブロックの１３個のトーンと、その後に続く７つのＤＣトーンと、その後に続く分離２６トーンブロックの１３個のトーンと、その後に続く１０６トーンブロックと、その後に続く５つの右エッジトーン；および、
６つの左エッジトーンと、その後に続く分離２４２トーンブロックの１２１個のトーンと、その後に続く３つのＤＣトーンと、その後に続く分離２４２トーンブロックの１２１個のトーンと、その後に続く５つの右エッジトーン
のうちの、少なくとも１つを含み得る。
【０１７１】
[00202]様々な実施形態では、４０ＭＨｚ帯域幅は、１２個の左エッジトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く５つの直流（ＤＣ）トーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１１個の右エッジトーン；
１２個の左エッジトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く５つのＤＣトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１１個の右エッジトーン；
１２個の左エッジトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く５つのＤＣトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く１１個の右エッジトーン；
１２個の左エッジトーンと、その後に続く２４２トーンブロックと、その後に続く５つのＤＣトーンと、その後に続く２４２トーンブロックと、その後に続く１１個の右エッジトーン
のうちの、少なくとも１つを含み得る。
【０１７２】
[00203]様々な実施形態では、８０ＭＨｚ帯域幅は、１２個の左エッジトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く分離２６トーンブロックの１３個のトーンと、その後に続く７つの直流（ＤＣ）トーンと、その後に続く分離２６トーンブロックの１３個のトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１１個の右エッジトーン；
１２個の左エッジトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く分離２６トーンブロックの１３個のトーンと、その後に続く７つのＤＣトーンと、その後に続く分離２６トーンブロックの１３個のトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１１個の右エッジトーン；
１２個の左エッジトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く２つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く分離２６トーンブロックの１３個のトーンと、その後に続く７つのＤＣトーンと、その後に続く分離２６トーンブロックの１３個のトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く２つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く１１個の右エッジトーン；
１２個の左エッジトーンと、その後に続く２つの２４２トーンブロックと、その後に続く分離２６トーンブロックの１３個のトーンと、その後に続く７つのＤＣトーンと、その後に続く分離２６トーンブロックの１３個のトーンと、その後に続く２つの２４２トーンブロックと、その後に続く１１個の右エッジトーン；および
１２個の左エッジトーンと、その後に続く分離９９６トーンブロックの４９８個のトーンと、その後に続く５つのＤＣトーンと、その後に続く分離９９６トーンブロックの４９８個のトーンと、その後に続く１１個の右エッジトーン
のうちの、少なくとも１つを含み得る。
【０１７３】
[00204]様々な実施形態では、１６０ＭＨｚ帯域幅は、１２個の左エッジトーンと、その後に続く９９６トーンブロックと、その後に続く２３個の直流（ＤＣ）トーンと、その後に続く９９６トーンブロックと、その後に続く１１個のエッジトーン、ここにおいて、各９９６トーンブロックが単一の局に割り当てられる；
１２個の左エッジトーンと、その後に続く９９６トーンブロックと、その後に続く２３個のＤＣトーンと、その後に続く９９６トーンブロックと、その後に続く１１個のエッジトーン、ここにおいて、各９９６トーンブロックが異なる局に割り当てられる；
１２個の左エッジトーンと、その後に続く９９６トーンブロックと、その後に続く、複数のサブバンドＤＣトーンと１つまたは複数の２６トーンブロック、５２トーンブロック、１０６トーンブロック、または２４２トーンブロックとを含む８０ＭＨｚサブバンド送信と、その後に続く１１個のエッジトーン；
１２個の左エッジトーンと、その後に続く、複数のサブバンドＤＣトーンと１つまたは複数の２６トーンブロック、５２トーンブロック、１０６トーンブロック、または２４２トーンブロックとを含む８０ＭＨｚサブバンド送信と、その後に続く９９６トーンブロックと、その後に続く１１個のエッジトーン；および、
１２個の左エッジトーンと、その後に続く、複数のサブバンドＤＣトーンと１つまたは複数の２６トーンブロック、５２トーンブロック、１０６トーンブロック、または２４２トーンブロックとを含む別の８０ＭＨｚサブバンド送信と、その後に続く１１個のエッジトーン
のうちの、少なくとも１つを含み得る。９９６トーンブロックは、９９６トーン割振りユニット＋サブバンドＤＣトーンとしての中間における５つのヌルトーンであり得る。
【０１７４】
[00205]様々な実施形態では、本方法は、干渉測定において使用するために、１つまたは複数のトーンブロックのうちの１つまたは複数のパイロットトーンをパンクチャすることをさらに含み得る。様々な実施形態では、メッセージは、１０２個のデータトーンと、４つのパイロットトーンと、７つの総直流（ＤＣ）トーンとを含む、少なくとも１つの１０６トーンブロックを含み得る。様々な実施形態では、メッセージは、２つの８０ＭＨｚ送信を含む１６０ＭＨｚ送信を含み得る。
【０１７５】
[00206]様々な実施形態では、メッセージは、２つの連続する８０ＭＨｚ送信と、２３個の直流トーンとを含み得る。様々な実施形態では、メッセージは、２つの不連続８０ＭＨｚ送信と、サブバンド直流トーンのみとを含み得る。様々な実施形態では、各２６トーンブロックは、２つのパイロットトーンと、２４個のデータトーンとを含む。
【０１７６】
[00207]様々な実施形態では、総帯域幅中の複数のトーンを１つまたは複数のトーンブロックに分割することは、２３４個のトーンを９個のトーングループに分割すること、４６８個のトーンを１８個のトーングループに分割すること、４９４個のトーンを１９個のトーングループに分割すること、９３６個のトーンを３６個のトーングループに分割すること、９８８個のトーンを３８個のトーングループに分割すること、および１００６個のトーンを３１個のトーングループに分割することのうちの少なくとも１つを含み得る。様々な実施形態では、各２４２トーンブロックは、８つのパイロットトーンと、２３４個のデータトーンとを含む。様々な実施形態では、総帯域幅中の複数のトーンを１つまたは複数のトーンブロックに分割することは、２４２個のトーンを１つのトーングループに分割すること、４８４個のトーンを２つのトーングループに分割すること、および９６８個のトーンを４つのトーングループに分割することのうちの少なくとも１つを含み得る。
【０１７７】
[00208]様々な実施形態では、本方法は、共通または制御チャネルに、２０ＭＨｚ送信および４０ＭＨｚ送信のための少なくとも１つのトーングループに加えて、１つまたは複数の割り振られていないトーンを割り当てることをさらに含み得る。様々な実施形態では、本方法は、２０ＭＨｚ送信および４０ＭＨｚ送信のために、共通または制御チャネルに、少なくとも１つのトーングループを割り振ることをさらに含み得る。様々な実施形態では、本方法は、初期分散における干渉測定のために、１つまたは複数のトーンを割り振ることをさらに含み得る。
【０１７８】
[00209]様々な実施形態では、初期分散は、２６トーンブロック間のギャップ中に位置決めされた干渉測定のためのトーンを含み得る。様々な実施形態では、本方法は、２７トーンブロック内の干渉測定のためのトーンのロケーションを循環的にインクリメントすることによって、後続のシンボルにおける送信のために、トーンのロケーションを変更すること、各２７トーンブロックが、２６トーンブロックと干渉測定のための単一のトーンとを含む、をさらに含み得る。様々な実施形態では、本方法は、使用可能トーンの全体内の干渉測定のためのトーンのロケーションを循環的にインクリメントすることによって、後続のシンボルにおける送信のために、トーンのロケーションを変更することをさらに含み得る。
【０１７９】
[00210]様々な実施形態では、本方法は、干渉測定のためのトーン上で送信することを控えること、ここにおいて、受信機が、干渉測定のためのトーン上で受信された干渉と雑音とを測定する、をさらに含み得る。様々な実施形態では、本方法は、２６トーンブロック上で情報を送信することと、干渉測定のためのトーン上で送信することを控えることとをさらに含み得る。様々な実施形態では、どの２６トーンブロックも２４２トーン境界を横断しない。様々な実施形態では、この指示は、１つまたは複数のルールに従って信号フィールドにおいて通信される。
【０１８０】
[00211]様々な実施形態では、本方法は、アクセスポイントによって実行され得、ここにおいて、アクセスポイントのプロセッサが、アクセスポイントによってサービスされる移動局に、アクセスポイントの送信機とアンテナとを通して指示を送信するように構成される。たとえば、本方法は、ＡＰ１０４によって実行され得、ＡＰ１０４は、ＳＴＡ１０６Ａに指示を与え、１つまたは複数のトーンブロックを少なくともＳＴＡ１０６Ａに割り当てることができる。したがって、いくつかの実施形態では、ワイヤレス通信デバイスは、ＳＴＡ１０６Ａであり得る。他の実施形態では、ワイヤレス通信デバイスは、ＡＰ１０４自体であり得る。
【０１８１】
[00212]様々な実施形態では、本方法は、移動局によって実行され得、移動局のプロセッサは、移動局にサービスするアクセスポイントに、移動局の送信機とアンテナとを通して指示を送信するように構成され得る。たとえば、本方法は、ＳＴＡ１０６Ａによって実行され得、ＳＴＡ１０６Ａは、１つまたは複数のトーンブロックをそれ自体に一方向に割り当てるか、または割り振ることができる。ＳＴＡ１０６Ａは、ＡＰ１０４に指示を送信し、ＳＴＡ１０６Ａがワイヤレス通信のためにそれ自体に割り当てたか、または割り振ったトーンブロックを示すことができる。いくつかの実施形態では、指示は、信号（ＳＩＧ）フィールドにおけるものであり得る。したがって、そのような実施形態では、トーンブロックを割り当てることは、トーンブロックの予約と呼ばれることもある自己割当て、（たとえば、次いで、ＳＴＡの要求／提案に基づいて、要求側ＳＴＡのために、ＡＰによって割り当てられ得る）特定のトーンブロックの割当てのための、またはさもなければ、それらのトーンブロックの使用もしくは所望される使用を示す、要求／提案を参照することができる。
【０１８２】
[00213]様々な実施形態では、本方法は、第１の移動局によって実行され得、第１の移動局のプロセッサは、第１の移動局とピアツーピア通信している第２の移動局に、第１の移動局の送信機とアンテナとを通して指示を送信するように構成され得る。たとえば、本方法は、ＳＴＡ１０６Ａによって実行され得、ＳＴＡ１０６Ａは、１つまたは複数のトーンブロックをそれ自体に一方向に割り当てるか、または割り振ることができる。ＳＴＡ１０６Ａは、（ＳＴＡ１０６Ａとピアツーピア通信中であり得る）別のＳＴＡ１０６Ｂに指示を送信し、ＳＴＡ１０６Ａがワイヤレス通信のためにそれ自体に割り当てたか、または割り振ったトーンブロックを示すことができる。したがって、そのような実施形態では、トーンブロックを割り当てることは、トーンブロックの予約と呼ばれることもある自己割当て、特定のトーンブロックの割当てのための、またはさもなければ、それらのトーンブロックの使用もしくは所望される使用を示す、要求／提案を参照することができる。いくつかの実施形態では、指示は、信号（ＳＩＧ）フィールドにおけるものであり得る。他の実施形態では、ＳＴＡ１０６Ａは、トーンブロックを別のＳＴＡ１０６Ｂに割り当てることができる。
【０１８３】
[00214]一実施形態では、図２０Ａ〜図２０Ｃに示されるトーンプランは、Ａ＝１、Ｂ＝１、Ｃ＝１、Ｄ＝１、Ｍ＝１２、Ｎ＝１１、Ｘ＝５、および１０２個のデータトーン＋５つのパイロットトーンで置き換えられた１０４＋Ａ＋Ｂ＋Ｃ個のトーングループとともに実装され得る。１つのそのような例示的なトーンプランが、以下で図２２Ａ〜図２２Ｄに関して、２０ＭＨｚ送信、４０ＭＨｚ送信、８０ＭＨｚ送信、および１６０ＭＨｚ送信について示され、説明される。代替実施形態では、図２０Ａ〜図２０Ｃに示されるトーンプランは、Ａ＝１、Ｂ＝１、Ｃ＝１、Ｄ＝２、Ｍ＝１２、Ｎ＝１１、Ｘ＝５、および１０２個のデータトーン＋４つのパイロットトーンで置き換えられた１０４＋Ａ＋Ｂ＋Ｃ個のトーングループとともに実装され得る。
【０１８４】
[00215]図２２Ａ〜図２２Ｄは、様々な実施形態による、２６トーン割振り、５２トーン割振り、１０６トーン割振り、１０７トーン割振り、２４２トーン割振り、および／または９９６トーン割振りを使用する、例示的な２０ＭＨｚ送信と、４０ＭＨｚ送信と、８０ＭＨｚ送信と、１６０ＭＨｚ送信とを示す。具体的には、図２２Ａは、図２０Ａの２０ＭＨｚ送信２０００Ａと同じ方法で編成される、例示的な２０ＭＨｚ送信２２００Ａを示し、ただし、Ａ＝１、Ｂ＝１、Ｃ＝１、およびＤ＝１であり、１０４＋Ａ＋Ｂ＋Ｃ個のトーングループが、１０２個のデータトーン＋５つのパイロットトーンで置き換えられる。送信２２００Ａは、６つの左エッジトーンと、３つのＤＣトーンと、５つの右エッジトーンと、合計２４２個の使用可能トーンとを有する。図２２Ａは、２６トーンブロック、５２トーンブロック、１０６トーンブロック、１０７トーンブロック、および２４２トーンブロックの様々な組合せを使用する、４つの例示的な送信２２００Ａを示すが、任意の所与の送信内の割振りは、様々な実施形態では、異なるサイズの、異なる配列を有する、複数のトーンブロックを含み得る。
【０１８５】
[00216]図示された送信２２００Ａの第１のものは、９つの２６トーンブロック（１つの２６トーンブロックが２つの１３トーン部分に分割される）と、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。図示された実施形態では、Ａ＝１、Ｂ＝１、Ｃ＝１、およびＤ＝１である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１８６】
[00217]図示された送信２２００Ａの第２のものは、４つの５２トーンブロックと、２つの１３トーン部分に分割されている１つの２６トーンブロックと、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。図示された実施形態では、Ａ＝１、Ｂ＝１、Ｃ＝１、およびＤ＝１である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１８７】
[00218]図示された送信２２００Ａの第３のものは、１０７個のトーン（１０２個の使用可能＋５つのパイロット）を有する２つのブロックと、２つの１３トーン部分に分割されている１つの２６トーンブロックと、６つの左エッジトーンと、５つの右エッジトーンと、３つのＤＣトーンと、２＊Ｄ個の追加のＤＣトーンとを含む。図示された実施形態では、Ｄ＝１である。別の実施形態では、Ｄ＝２であり、１０７トーンブロックは、１０２個の使用可能トーン＋４つのパイロットトーンを含む１０６トーンブロックで置き換えられ得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１８８】
[00219]図示された送信２２００Ａの第４のものは、３つのＤＣトーンを有する単一の２４２トーンブロックと、６つの左エッジトーンと、５つの右エッジトーンとを含む。
【０１８９】
[00220]図２２Ｂは、図２０Ｂの４０ＭＨｚ送信２０００Ｂと同じ方法で編成される、例示的な４０ＭＨｚ送信２２００Ｂを示し、ただし、Ａ＝１、Ｂ＝１、Ｃ＝１、およびＤ＝１、Ｍ＝１２、Ｎ＝１１、Ｘ＝５であり、１０４＋Ａ＋Ｂ＋Ｃ個のトーングループが、１０２個のデータトーン＋５つのパイロットトーンで置き換えられる。送信２２００Ｂは、１２個の左エッジトーンと、５つのＤＣトーンと、１１個の右エッジトーンと、合計４８４個の使用可能トーンとを有する。
【０１９０】
[00221]図２２Ｂは、２６トーンブロック、５２トーンブロック、１０６トーンブロック、１０７トーンブロック、および２４２トーンブロックの様々な組合せを使用する、４つの例示的な送信２２００Ｂを示すが、任意の所与の送信内の割振りは、様々な実施形態では、異なるサイズの、異なる配列を有する、複数のトーンブロックを含み得る。図示された実施形態では、各４０ＭＨｚ送信２２００Ｂは、２つの２０ＭＨｚ送信２２５０Ｂの複製であり、２０ＭＨｚ送信２２５０Ｂは、様々な実施形態では、図２２Ａの２０ＭＨｚ送信２２００Ａ、または本明細書で説明される任意の他の２０ＭＨｚ送信であり得る。
【０１９１】
[00222]図示された送信２２００Ｂの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２２５０Ｂを含む。図示された実施形態では、Ａ＝１、Ｂ＝１、Ｃ＝１、およびＤ＝１である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１９２】
[00223]図示された送信２２００Ｂの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２２５０Ｂを含む。図示された実施形態では、Ａ＝１、Ｂ＝１、Ｃ＝１、およびＤ＝１である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１９３】
[00224]図示された送信２２００Ｂの第３のものは、１０７個のトーン（１０２個の使用可能＋５つのパイロット）を有する２つのブロックと、１つの２６トーンブロックと、２６トーンブロックの各側のＤ個のレフトオーバートーンとを各々が含む、２つの２０ＭＨｚ部分２２５０Ｂを含む。図示された実施形態では、Ｄ＝１である。別の実施形態では、Ｄ＝２であり、１０７トーンブロックは、１０２個の使用可能トーン＋４つのパイロットトーンを含む１０６トーンブロックで置き換えられ得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１９４】
[00225]図示された送信２２００Ｂの第４のものは、２つの２０ＭＨｚ部分２２５０Ｂを含む。各２０ＭＨｚ部分２２５０Ｂは、単一の２４２トーンブロックを含む。
【０１９５】
[00226]図２２Ｃは、図２０Ｃの８０ＭＨｚ送信２０００Ｃと同じ方法で編成される、例示的な８０ＭＨｚ送信２２００Ｃを示し、ただし、Ａ＝１、Ｂ＝１、Ｃ＝１、およびＤ＝１であり、１０４＋Ａ＋Ｂ＋Ｃ個のトーングループが、１０２個のデータトーン＋５つのパイロットトーンで置き換えられる。送信２２００Ｃは、１２個の左エッジトーンと、７つのＤＣトーンと、１１個の右エッジトーンと、ＯＦＤＭＡのための合計９９４個の使用可能トーンと、７、または５、または３である低減された数のＤＣトーンをもつＢＷ割振り全体のための合計９９４、９９６、または９９８個の使用可能トーンとを有する。
【０１９６】
[00227]図２２Ｃは、２６トーンブロック、５２トーンブロック、１０６トーンブロック、１０７トーンブロック、２４２トーンブロック、および９９６トーンブロックの様々な組合せを使用する、５つの例示的な送信２２００Ｃを示すが、任意の所与の送信内の割振りは、様々な実施形態では、異なるサイズの、異なる配列を有する、複数のトーンブロックを含み得る。図示された実施形態では、各８０ＭＨｚ送信２２００Ｃは、４つの２０ＭＨｚ送信２２５０Ｂの複製であり、２０ＭＨｚ送信２２５０Ｂは、様々な実施形態では、図２２Ａの２０ＭＨｚ送信２２００Ａ、または本明細書で説明される任意の他の２０ＭＨｚ送信であり得る。追加または代替として、各８０ＭＨｚ送信２２００Ｃは、２つの４０ＭＨｚ送信２２５０Ｃの複製であり、４０ＭＨｚ送信２２５０Ｃは、様々な実施形態では、図２２Ｂの４０ＭＨｚ送信２２００Ｂ、または本明細書で説明される任意の他の４０ＭＨｚ送信であり得る。図示された実施形態では、各８０ＭＨｚ送信２２００Ｃは、７つのＤＣトーンの両側の２つの別個の１３トーン部分に分割された追加の２６トーンブロックをさらに含む。
【０１９７】
[00228]図示された送信２２００Ｃの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２２５０Ｂを含む。図示された実施形態では、Ａ＝１、Ｂ＝１、Ｃ＝１、およびＤ＝１である。図示された送信２２００Ｃの第１のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１９８】
[00229]図示された送信２２００Ｃの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２２５０Ｂを含む。図示された実施形態では、Ａ＝１、Ｂ＝１、Ｃ＝１、およびＤ＝１である。図示された送信２２００Ｃの第２のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０１９９】
[00230]図示された送信２２００Ｃの第３のものは、１０７個のトーン（１０２個の使用可能＋５つのパイロット）を有する２つのブロックと、１つの２６トーンブロックと、２６トーンブロックの各側のＤ個のレフトオーバートーンとを各々が含む、４つの２０ＭＨｚ部分２２５０Ｂを含む。図示された実施形態では、Ｄ＝１である。別の実施形態では、Ｄ＝２であり、１０７トーンブロックは、１０２個の使用可能トーン＋４つのパイロットトーンを含む１０６トーンブロックで置き換えられ得る。図示された送信２２００Ｃの第３のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２００】
[00231]図示された送信２２００Ｃの第４のものは、４つの２０ＭＨｚ部分２２５０Ｂを含む。各２０ＭＨｚ部分２２５０Ｂは、単一の２４２トーンブロックを含む。図示された送信２２００Ｃの第４のものは、７つのＤＣトーンの両側の２つの別個の１３トーン部分に分割された追加の２６トーンブロックをさらに含む。
【０２０１】
[00232]図示された送信２２００Ｃの第５のものは、様々な実施形態では、５つのＤＣトーンを有するシングルユーザトーンプランを含む。したがって、ＳＵトーンプランは、９９６個の使用可能トーンを含み得る。
【０２０２】
[00233]図２２Ｄは、複製された、図２２Ｄの８０ＭＨｚ送信２２００Ｄと同じ方法で編成される、例示的な１６０ＭＨｚ送信２２００Ｄ〜２２２０Ｄを示す。送信２２００Ｄは、１２個の左エッジトーンと、１１個の右エッジトーンと、各８０ＭＨｚセグメント２２５０ＤがサブバンドＢＷ割振り全体におけるものであるか、ＯＦＤＭＡにおけるものであるかに応じて、シングルユーザ、ＭＵ−ＭＩＭＯ、またはＢＷ割振り全体のための合計１９９２個の使用可能トーンと、ＯＦＤＭＡのための合計１９８８、１９９０、または１９９２個とを有する。
【０２０３】
[00234]図２２Ｄは、様々な組合せトーンブロックを使用する、５つの例示的な送信２２００Ｄ〜２２２０Ｄを示すが、任意の所与の送信内の割振りは、様々な実施形態では、異なるサイズの、異なる配列を有する、複数のトーンブロックを含み得る。図示された実施形態では、各１６０ＭＨｚ送信２２００Ｄ〜２２２０Ｄは、２つの８０ＭＨｚ送信２２５０Ｄの複製であり、８０ＭＨｚ送信２２５０Ｄは、様々な実施形態では、図２２Ｃの８０ＭＨｚ送信２２００Ｃ、または本明細書で説明される任意の他の８０ＭＨｚ送信であり得る。
【０２０４】
[00235]図示された送信の第１のもの２２００Ｄは、９９６トーンブロック（９９６個の使用可能トーン＋５つのサブバンドＤＣトーン）を各々が含む、２つの８０ＭＨｚ部分２２５０Ｄを含む。連続する実施形態では、送信２２００Ｄは、２３個のＤＣトーンを含み得る。不連続の実施形態では、ＤＣトーンが省略され得る。様々な実施形態では、図示された送信２２００Ｄは、シングルユーザまたはマルチユーザＭＩＭＯ送信を含み得る。
【０２０５】
[00236]図示された送信の第２のもの２２０５Ｄは、９９６トーンブロック（９９６個の使用可能トーン＋５つのサブバンドＤＣトーン）を各々が含む、２つの８０ＭＨｚ部分２２５０Ｄを含む。連続する実施形態では、送信２２０５Ｄは、２３個のＤＣトーンを含み得る。不連続の実施形態では、ＤＣトーンが省略され得る。様々な実施形態では、図示された送信２２０５Ｄは、ＯＦＤＭＡ送信を含み得る。
【０２０６】
[00237]図示された送信の第３のもの２２１０Ｄは、２つの８０ＭＨｚ部分２２５０Ｄを含み、第１のものは、９９６トーンブロック（９９６個の使用可能トーン＋５つのサブバンドＤＣトーン）を含み、第２のものは、複数のＯＦＤＭＡユーザによって共有されるトーンブロック（合計９９４個の使用可能トーン＋７つのサブバンドＤＣトーン）の任意の組合せを含む。連続する実施形態では、送信２２０５Ｄは、２３個のＤＣトーンを含み得る。不連続の実施形態では、ＤＣトーンが省略され得る。様々な実施形態では、図示された送信２２１０Ｄは、ＯＦＤＭＡ送信を含み得る。
【０２０７】
[00238]図示された送信の第４のもの２２１５Ｄは、２つの８０ＭＨｚ部分２２５０Ｄを含み、第１のものは、複数のＯＦＤＭＡユーザによって共有されるトーンブロック（合計９９４個の使用可能トーン＋７つのサブバンドＤＣトーン）の任意の組合せを含み、第２のものは、９９６トーンブロック（９９６個の使用可能トーン＋５つのサブバンドＤＣトーン）を含む。連続する実施形態では、送信２２０５Ｄは、２３個のＤＣトーンを含み得る。不連続の実施形態では、ＤＣトーンが省略され得る。様々な実施形態では、図示された送信２２１５Ｄは、ＯＦＤＭＡ送信を含み得る。
【０２０８】
[00239]図示された送信の第５のもの２２２０Ｄは、複数のＯＦＤＭＡユーザによって共有されるトーンブロック（合計９９４個の使用可能トーン＋７つのサブバンドＤＣトーン）の任意の組合せを各々が含む、２つの８０ＭＨｚ部分２２５０Ｄを含む。連続する実施形態では、送信２２０５Ｄは、２３個のＤＣトーンを含み得る。不連続の実施形態では、ＤＣトーンが省略され得る。様々な実施形態では、図示された送信２２２０Ｄは、ＯＦＤＭＡ送信を含み得る。
バランスのとれたトーンプランの実施形態
[00240]様々な実施形態では、１つまたは複数のレフトオーバートーンが、（たとえば、パルス整形フィルタ、隣接するブロッカーなどからの）エッジ保護のために配列され得る。様々な実施形態では、１つまたは複数のレフトオーバートーンが、異なる割振りユニット（たとえば、隣接するブロックからの漏れを低減するために、リソースユニットまたは「ＲＵ」）間のセパレータとして配列され得る。いくつかの実施形態では、１つまたは複数のレフトオーバートーンは、エッジ保護とブロック分離とのバランスのとれた混合に従って配列され得る。１つのそのような例示的なトーンプランが、以下で図２３Ａ〜図２３Ｃに関して、２０ＭＨｚ送信、４０ＭＨｚ送信、および８０ＭＨｚ送信について示され、説明される。
【０２０９】
[00241]図２３Ａ〜図２３Ｃは、様々な実施形態による、２６トーン割振り、５２トーン割振り、１０６トーン割振り、１０７トーン割振り、２４２トーン割振り、および／または９９６トーン割振りを使用する、例示的な２０ＭＨｚ送信と、４０ＭＨｚ送信と、８０ＭＨｚ送信とを示す。具体的には、図２３Ａは、図２０Ａの２０ＭＨｚ送信２０００Ａと同様の方法で編成される、例示的な２０ＭＨｚ送信２２００Ａを示し、ただし、Ａ＝１、Ｂ＝１、Ｃ＝０、およびＤ＝２であり、１０４＋Ａ＋Ｂ＋Ｃ個のトーングループが、１０２個のデータトーン＋４つのパイロットトーンで置き換えられる。送信２３００Ａは、６つの左エッジトーンと、７つのＤＣトーンと、５つの右エッジトーンと、合計２３８または２４２個の使用可能トーンとを有する。図２３Ａは、２６トーンブロック、５２トーンブロック、１０６トーンブロック、１０７トーンブロック、および２４２トーンブロックの様々な組合せを使用する、４つの例示的な送信２３００Ａを示すが、任意の所与の送信内の割振りは、様々な実施形態では、異なるサイズの、異なる配列を有する、複数のトーンブロックを含み得る。
【０２１０】
[00242]図示された送信２３００Ａの第１のものは、９つの２６トーンブロック（１つの２６トーンブロックが２つの１３トーン部分に分割される）と、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。図示された実施形態では、Ａ＝１、Ｂ＝１、Ｃ＝０、およびＤ＝２である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２１１】
[00243]図示された送信２３００Ａの第２のものは、４つの５２トーンブロックと、２つの１３トーン部分に分割されている１つの２６トーンブロックと、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。図示された実施形態では、Ａ＝１、Ｂ＝１、Ｃ＝０、およびＤ＝２である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２１２】
[00244]図示された送信２３００Ａの第３のものは、１０６個のトーン（１０２個の使用可能＋４つのパイロット）を有する２つのブロックと、２つの１３トーン部分に分割されている１つの２６トーンブロックと、６つの左エッジトーンと、５つの右エッジトーンと、３つのＤＣトーンと、２＊Ｄ個の追加のＤＣトーンとを含む。図示された実施形態では、Ｄ＝２である。別の実施形態では、１０６トーンブロックは、１０２個の使用可能トーン＋５つのパイロットトーンを含む１０７トーンブロックで置き換えられ得、レフトオーバートーンは、それに応じて調整され得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２１３】
[00245]図示された送信２３００Ａの第４のものは、３つのＤＣトーンを有する単一の２４２トーンブロックと、６つの左エッジトーンと、５つの右エッジトーンとを含む。
【０２１４】
[00246]図２３Ｂは、図２０Ｂの４０ＭＨｚ送信２０００Ｂと同様の方法で編成される、例示的な４０ＭＨｚ送信２３００Ｂを示し、ただし、Ａ＝１、Ｂ＝２、Ｃ＝０、およびＤ＝１、Ｍ＝１２、Ｎ＝１１、Ｘ＝５であり、１０４＋Ａ＋Ｂ＋Ｃ個のトーングループが、１０２個のデータトーン＋４つのパイロットトーンで置き換えられる。送信２３００Ｂは、１２個の左エッジトーンと、５つのＤＣトーンと、１１個の右エッジトーンと、合計４８４個の使用可能トーンとを有する。
【０２１５】
[00247]図２３Ｂは、２６トーンブロック、５２トーンブロック、１０６トーンブロック、１０７トーンブロック、および２４２トーンブロックの様々な組合せを使用する、４つの例示的な送信２３００Ｂを示すが、任意の所与の送信内の割振りは、様々な実施形態では、異なるサイズの、異なる配列を有する、複数のトーンブロックを含み得る。図示された実施形態では、各４０ＭＨｚ送信２３００Ｂは、２つの２０ＭＨｚ送信２３５０Ｂの複製であり、２０ＭＨｚ送信２３５０Ｂは、様々な実施形態では、図２３Ａの２０ＭＨｚ送信２３００Ａ、または本明細書で説明される任意の他の２０ＭＨｚ送信であり得る。
【０２１６】
[00248]図示された送信２３００Ｂの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２３５０Ｂを含む。図示された実施形態では、Ａ＝１、Ｂ＝２、Ｃ＝０、およびＤ＝１である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２１７】
[00249]図示された送信２３００Ｂの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２３５０Ｂを含む。図示された実施形態では、Ａ＝１、Ｂ＝２、Ｃ＝０、およびＤ＝１である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２１８】
[00250]図示された送信２３００Ｂの第３のものは、１０６個のトーン（１０２個の使用可能＋４つのパイロット）を有する２つのブロックと、１つの２６トーンブロックと、１つの追加の左エッジトーンと、１つの追加の右エッジトーンと、２６トーンブロックの各側のＤ個のレフトオーバートーンとを各々が含む、２つの２０ＭＨｚ部分２３５０Ｂを含む。図示された実施形態では、Ｄ＝１である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２１９】
[00251]図示された送信２３００Ｂの第４のものは、２つの２０ＭＨｚ部分２３５０Ｂを含む。各２０ＭＨｚ部分２３５０Ｂは、単一の２４２トーンブロックを含む。
【０２２０】
[00252]図２３Ｃは、図２０Ｃの８０ＭＨｚ送信２０００Ｃと同様の方法で編成される、例示的な８０ＭＨｚ送信２３００Ｃを示し、ただし、Ａ＝１、Ｂ＝２、Ｃ＝０、およびＤ＝１であり、１０４＋Ａ＋Ｂ＋Ｃ個のトーングループが、１０２個のデータトーン＋４つのパイロットトーンで置き換えられる。送信２３００Ｃは、１２個の左エッジトーンと、７つのＤＣトーンと、１１個の右エッジトーンと、ＯＦＤＭＡのための合計９９４個の使用可能トーンと、５である低減された数のＤＣトーンをもつＢＷ割振り全体のための合計９９６個の使用可能トーンとを有する。
【０２２１】
[00253]図２３Ｃは、２６トーンブロック、５２トーンブロック、１０６トーンブロック、１０７トーンブロック、２４２トーンブロック、および９９６トーンブロックの様々な組合せを使用する、５つの例示的な送信２３００Ｃを示すが、任意の所与の送信内の割振りは、様々な実施形態では、異なるサイズの、異なる配列を有する、複数のトーンブロックを含み得る。図示された実施形態では、各８０ＭＨｚ送信２３００Ｃは、４つの２０ＭＨｚ送信２３５０Ｂの複製であり、２０ＭＨｚ送信２３５０Ｂは、様々な実施形態では、図２３Ａの２０ＭＨｚ送信２３００Ａ、または本明細書で説明される任意の他の２０ＭＨｚ送信であり得る。追加または代替として、各８０ＭＨｚ送信２３００Ｃは、２つの４０ＭＨｚ送信２３５０Ｃの複製であり、４０ＭＨｚ送信２３５０Ｃは、様々な実施形態では、図２３Ｂの４０ＭＨｚ送信２３００Ｂ、または本明細書で説明される任意の他の４０ＭＨｚ送信であり得る。図示された実施形態では、各８０ＭＨｚ送信２３００Ｃは、７つのＤＣトーンの両側の２つの別個の１３トーン部分に分割された追加の２６トーンブロックをさらに含む。
【０２２２】
[00254]図示された送信２３００Ｃの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２３５０Ｂを含む。図示された実施形態では、Ａ＝１、Ｂ＝２、Ｃ＝０、およびＤ＝１である。図示された送信２３００Ｃの第１のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２２３】
[00255]図示された送信２３００Ｃの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２３５０Ｂを含む。図示された実施形態では、Ａ＝１、Ｂ＝２、Ｃ＝０、およびＤ＝１である。図示された送信２３００Ｃの第２のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２２４】
[00256]図示された送信２３００Ｃの第３のものは、１０６個のトーン（１０２個の使用可能＋４つのパイロット）を有する２つのブロックと、１つの２６トーンブロックと、１０６トーンブロックの各側のＤ個のレフトオーバートーンとを各々が含む、４つの２０ＭＨｚ部分２３５０Ｂを含む。図示された実施形態では、Ｄ＝１である。したがって、２つの１０６トーンブロックが隣接している部分において、１０６トーンブロック間に合計２つのレフトオーバートーンがある（ブロックごとに１つ）。図示された送信２３００Ｃの第３のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２２５】
[00257]図示された送信２３００Ｃの第４のものは、４つの２０ＭＨｚ部分２３５０Ｂを含む。各２０ＭＨｚ部分２３５０Ｂは、単一の２４２トーンブロックを含む。図示された送信２３００Ｃの第４のものは、７つのＤＣトーンの両側の２つの別個の１３トーン部分に分割された追加の２６トーンブロックをさらに含む。
【０２２６】
[00258]図示された送信２３００Ｃの第５のものは、様々な実施形態では、５つのＤＣトーンを有するシングルユーザトーンプランを含む。したがって、ＳＵトーンプランは、９９６個の使用可能トーンを含み得る。
エッジ保護優先トーンプランの実施形態
[00259]上記で説明されたように、様々な実施形態では、１つまたは複数のレフトオーバートーンが、（たとえば、パルス整形フィルタ、隣接するブロッカーなどからの）エッジ保護のために、および、（たとえば、隣接するブロックからの漏れを低減するために）異なるＲＵ間のセパレータとして配列され得る。いくつかの実施形態では、１つまたは複数のレフトオーバートーンは、たとえば、ブロック分離よりもエッジ保護を優先させる方法で配列され得る。いくつかの実施形態では、適切なブロックサイズをもつ固定されたロケーションは、制御チャネルとして働くことができる。１つのそのような例示的なトーンプランが、以下で図２４Ａ〜図２４Ｃに関して、２０ＭＨｚ送信、４０ＭＨｚ送信、および８０ＭＨｚ送信について示され、説明される。
【０２２７】
[00260]図２４Ａ〜図２４Ｃは、様々な実施形態による、２６トーン割振り、５２トーン割振り、１０６トーン割振り、１０７トーン割振り、２４２トーン割振り、および／または９９６トーン割振りを使用する、例示的な２０ＭＨｚ送信と、４０ＭＨｚ送信と、８０ＭＨｚ送信とを示す。具体的には、図２４Ａは、図２０Ａの２０ＭＨｚ送信２０００Ａと同様の方法で編成される、例示的な２０ＭＨｚ送信２２００Ａを示し、ただし、Ａ＝２、Ｂ＝０、Ｃ＝０、およびＤ＝２であり、１０４＋Ａ＋Ｂ＋Ｃ個のトーングループが、１０２個のデータトーン＋４つのパイロットトーンで置き換えられる。送信２４００Ａは、６つの左エッジトーンと、３つのＤＣトーンと、５つの右エッジトーンと、合計２４２個の使用可能トーンとを有する。図２４Ａは、２６トーンブロック、５２トーンブロック、１０６トーンブロック、１０７トーンブロック、および２４２トーンブロックの様々な組合せを使用する、４つの例示的な送信２４００Ａを示すが、任意の所与の送信内の割振りは、様々な実施形態では、異なるサイズの、異なる配列を有する、複数のトーンブロックを含み得る。
【０２２８】
[00261]図示された送信２４００Ａの第１のものは、９つの２６トーンブロック（１つの２６トーンブロックが２つの１３トーン部分に分割される）と、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。図示された実施形態では、Ａ＝２、Ｂ＝０、Ｃ＝０、およびＤ＝２である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２２９】
[00262]図示された送信２４００Ａの第２のものは、４つの５２トーンブロックと、２つの１３トーン部分に分割されている１つの２６トーンブロックと、６つの左エッジトーンと、５つの右エッジトーンと、２＊Ａ個の外側レフトオーバートーンと、２＊Ｂ個の中間レフトオーバートーンと、２＊Ｃ個の内側レフトオーバートーンと、３つのＤＣトーンと、２＊Ｄ個の追加のＤＣトーンとを含む。図示された実施形態では、Ａ＝２、Ｂ＝０、Ｃ＝０、およびＤ＝２である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２３０】
[00263]図示された送信２４００Ａの第３のものは、１０６個のトーン（１０２個の使用可能＋４つのパイロット）を有する２つのブロックと、２つの１３トーン部分に分割されている１つの２６トーンブロックと、６つの左エッジトーンと、５つの右エッジトーンと、３つのＤＣトーンと、２＊Ｄ個の追加のＤＣトーンとを含む。図示された実施形態では、Ｄ＝２である。別の実施形態では、１０６トーンブロックは、１０２個の使用可能トーン＋５つのパイロットトーンを含む１０７トーンブロックで置き換えられ得、レフトオーバートーンは、それに応じて調整され得る。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２３１】
[00264]図示された送信２４００Ａの第４のものは、３つのＤＣトーンを有する単一の２４２トーンブロックと、６つの左エッジトーンと、５つの右エッジトーンとを含む。
【０２３２】
[00265]図２４Ｂは、図２０Ｂの４０ＭＨｚ送信２０００Ｂと同様の方法で編成される、例示的な４０ＭＨｚ送信２４００Ｂを示し、ただし、Ａ＝４、Ｂ＝０、Ｃ＝０、Ｄ＝０、Ｍ＝１２、Ｎ＝１１、Ｘ＝５であり、１０４＋Ａ＋Ｂ＋Ｃ個のトーングループが、１０２個のデータトーン＋４つのパイロットトーンで置き換えられる。送信２４００Ｂは、１２個の左エッジトーンと、５つのＤＣトーンと、１１個の右エッジトーンと、合計４８４個の使用可能トーンとを有する。
【０２３３】
[00266]図２４Ｂは、２６トーンブロック、５２トーンブロック、１０６トーンブロック、１０７トーンブロック、および２４２トーンブロックの様々な組合せを使用する、４つの例示的な送信２４００Ｂを示すが、任意の所与の送信内の割振りは、様々な実施形態では、異なるサイズの、異なる配列を有する、複数のトーンブロックを含み得る。図示された実施形態では、各４０ＭＨｚ送信２４００Ｂは、２つの２０ＭＨｚ送信２４５０Ｂの複製であり、２０ＭＨｚ送信２４５０Ｂは、様々な実施形態では、図２４Ａの２０ＭＨｚ送信２４００Ａ、または本明細書で説明される任意の他の２０ＭＨｚ送信であり得る。
【０２３４】
[00267]図示された送信２４００Ｂの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２４５０Ｂを含む。図示された実施形態では、Ａ＝４、Ｂ＝０、Ｃ＝０、およびＤ＝０である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２３５】
[00268]図示された送信２４００Ｂの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、２つの２０ＭＨｚ部分２４５０Ｂを含む。図示された実施形態では、Ａ＝４、Ｂ＝０、Ｃ＝０、およびＤ＝０である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２３６】
[00269]図示された送信２４００Ｂの第３のものは、１０６個のトーン（１０２個の使用可能＋４つのパイロット）を有する２つのブロックと、１つの２６トーンブロックと、１つの追加の左エッジトーンと、１つの追加の右エッジトーンと、２６トーンブロックの各側のＤ個のレフトオーバートーンとを各々が含む、２つの２０ＭＨｚ部分２４５０Ｂを含む。図示された実施形態では、Ｄ＝０である。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２３７】
[00270]図示された送信２４００Ｂの第４のものは、２つの２０ＭＨｚ部分２４５０Ｂを含む。各２０ＭＨｚ部分２４５０Ｂは、単一の２４２トーンブロックを含む。
【０２３８】
[00271]図２４Ｃは、図２０Ｃの８０ＭＨｚ送信２０００Ｃと同様の方法で編成される、例示的な８０ＭＨｚ送信２４００Ｃを示し、ただし、Ａ＝４、Ｂ＝０、Ｃ＝０、およびＤ＝０であり、１０４＋Ａ＋Ｂ＋Ｃ個のトーングループが、１０２個のデータトーン＋４つのパイロットトーンで置き換えられる。送信２４００Ｃは、１２個の左エッジトーンと、７つのＤＣトーンと、１１個の右エッジトーンと、ＯＦＤＭＡのための合計９９４個の使用可能トーンと、５である低減された数のＤＣトーンをもつＢＷ割振り全体のための合計９９６個の使用可能トーンとを有する。
【０２３９】
[00272]図２４Ｃは、２６トーンブロック、５２トーンブロック、１０６トーンブロック、１０７トーンブロック、２４２トーンブロック、および９９６トーンブロックの様々な組合せを使用する、５つの例示的な送信２４００Ｃを示すが、任意の所与の送信内の割振りは、様々な実施形態では、異なるサイズの、異なる配列を有する、複数のトーンブロックを含み得る。図示された実施形態では、各８０ＭＨｚ送信２４００Ｃは、４つの２０ＭＨｚ送信２４５０Ｂの複製であり、２０ＭＨｚ送信２４５０Ｂは、様々な実施形態では、図２４Ａの２０ＭＨｚ送信２４００Ａ、または本明細書で説明される任意の他の２０ＭＨｚ送信であり得る。追加または代替として、各８０ＭＨｚ送信２４００Ｃは、２つの４０ＭＨｚ送信２４５０Ｃの複製であり、４０ＭＨｚ送信２４５０Ｃは、様々な実施形態では、図２４Ｂの４０ＭＨｚ送信２４００Ｂ、または本明細書で説明される任意の他の４０ＭＨｚ送信であり得る。図示された実施形態では、各８０ＭＨｚ送信２４００Ｃは、７つのＤＣトーンの両側の２つの別個の１３トーン部分に分割された追加の２６トーンブロックをさらに含む。
【０２４０】
[00273]図示された送信２４００Ｃの第１のものは、９つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２４５０Ｂを含む。図示された実施形態では、Ａ＝４、Ｂ＝０、Ｃ＝０、およびＤ＝０である。図示された送信２４００Ｃの第１のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２４１】
[00274]図示された送信２４００Ｃの第２のものは、４つの５２トーンブロックと、１つの２６トーンブロックと、２＊Ａ個の外側レフトオーバートーンと、２＊Ｂ個の中間レフトオーバートーンと、２＊Ｃ個の内側レフトオーバートーンと、２＊Ｄ個の追加の内側レフトオーバートーンとを各々が含む、４つの２０ＭＨｚ部分２４５０Ｂを含む。図示された実施形態では、Ａ＝４、Ｂ＝０、Ｃ＝０、およびＤ＝０である。図示された送信２４００Ｃの第２のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２４２】
[00275]図示された送信２４００Ｃの第３のものは、１０６個のトーン（１０２個の使用可能＋４つのパイロット）を有する２つのブロックと、１つの２６トーンブロックと、２０ＭＨｚ部分２４５０Ｂの各側の２つのレフトオーバートーン（すなわち、各半値幅２４５０Ｃの中間における４つの合計のレフトオーバートーン、および各半値幅２４５０Ｃの各側の２つ）とを各々が含む、４つの２０ＭＨｚ部分２４５０Ｂを含む。図示された送信２４００Ｃの第３のものは、７つのＤＣトーンの両側の２つの別個の１３トーン部分に分割された追加の２６トーンブロックをさらに含む。本明細書で説明されるように、レフトオーバートーンは、エッジトーン、ＤＣトーン、制御トーン、追加のガードトーン（たとえば、不連続チャネルボンディングの場合）などとして、様々に使用され得る。
【０２４３】
[00276]図示された送信２４００Ｃの第４のものは、４つの２０ＭＨｚ部分２４５０Ｂを含む。各２０ＭＨｚ部分２４５０Ｂは、単一の２４２トーンブロックを含む。図示された送信２４００Ｃの第４のものは、７つのＤＣトーンの両側の２つの別個の１３トーン部分に分割された追加の２６トーンブロックをさらに含む。
【０２４４】
[00277]図示された送信２４００Ｃの第５のものは、様々な実施形態では、５つのＤＣトーンを有する９９６トーンブロックを含むシングルユーザトーンプランを含む。したがって、ＳＵトーンプランは、９９６個の使用可能トーンを含み得る。
大型割振りブロックにおける干渉測定
[00278]上記で説明されたように、１つまたは複数のレフトオーバートーンは、様々な実施形態において、干渉測定のために使用され得る。いくつかの実施形態では、干渉測定のために利用可能なレフトオーバートーンがほとんどないか、またはないことがある。たとえば、送信２０００Ａ〜２０００Ｃ（図２０Ａ〜図２０Ｃ）の第３の行、第４の行、および第５の行は、たとえば、１０２＋４個のトーン、１０２＋５個のトーン、２４２個のトーン、および９９６個のトーンの割振りブロックを相対的に含む。したがって、様々な追加または代替実施形態では、他のトーンが干渉測定のために使用され得る。
【０２４５】
[00279]一実施形態では、１つまたは複数のパイロットトーンがパンクチャされ得る。たとえば、送信デバイスは、パンクチャされたパイロットトーン上で何も送信することができず、受信機は、それらのトーン上で干渉を測定することができる。他の実施形態では、他のトーンが干渉測定のためにパンクチャされ得る。様々な実施形態では、ブロックごとに干渉測定のためにパンクチャされるトーンの数は、可変であり得る。いくつかの実施形態では、ブロックごとに干渉測定のためにパンクチャされるトーンの数は、各それぞれのブロックにおけるトーンの数に基づくか、または各それぞれのブロックにおけるレフトオーバートーンの数に基づくか、または両方であり得る。たとえば、レフトオーバートーンがなく（または比較的より少数であり）、比較的多数の合計トーンをもつブロックは、比較的多数のレフトオーバートーンと比較的より少数の合計トーンとをもつブロックと比較して、より多数のパンクチャされたトーンを有し得る。
技術を実装すること
[00280]情報および信号は多種多様な技術および技法のいずれかを使用して表され得ることを、当業者は理解されよう。たとえば、上記の説明全体を通して参照され得るデータと、命令と、コマンドと、情報と、信号と、ビットと、シンボルと、チップとが、電圧、電流、電磁波、磁場または磁性粒子、光場または光学粒子、あるいはそれらの任意の組合せによって表され得る。
【０２４６】
[00281]本開示で説明された実装形態への様々な変更は当業者には容易に明らかになり得、本明細書で定義された一般原理は、本開示の趣旨または範囲から逸脱することなく他の実装形態に適用され得る。したがって、本開示は、本明細書で示された実装形態に限定されることを意図せず、本明細書で開示される特許請求の範囲、原理および新規の特徴に一致する、最も広い範囲を与えられるべきである。「例示的」という単語は、本明細書ではもっぱら「例、事例、または例示の働きをすること」を意味するために使用される。「例示的」として本明細書で説明されたいかなる実装形態も、必ずしも他の実装形態よりも好ましいまたは有利であると解釈されるべきであるとは限らない。
【０２４７】
[00282]本明細書で使用される、項目のリスト「のうちの少なくとも１つ」に言及する語句は、単一のメンバーを含む、それらの項目の任意の組合せを指す。第１の例として、「ａおよびｂのうちの少なくとも１つ」は（「ａまたはｂ」も）、ａ、ｂ、およびａ−ｂ、ならびに複数の同じ要素をもつ任意の組合せ（たとえば、ａ−ａ、ａ−ａ−ａ、ａ−ａ−ｂ、ａ−ｂ−ｂ、ｂ−ｂ、ｂ−ｂ−ｂ、またはａおよびｂの任意の他の順序）を包含するものとする。第２の例として、「ａ、ｂ、およびｃのうちの少なくとも１つ」は（「ａ、ｂ、またはｃ」も）、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０２４８】
[00283]また、別個の実装形態の文脈において本明細書で説明されるいくつかの特徴は、単一の実装形態において組合せで実装され得る。また、逆に、単一の実装形態の文脈において説明される様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０２４９】
[00284]上記で説明された方法の様々な動作は、様々なハードウェアおよび／またはソフトウェア構成要素、回路、および／またはモジュールなど、それらの動作を実行することが可能な任意の好適な手段によって実行され得る。概して、図に示されたどの動作も、その動作を実行することが可能な対応する機能的手段によって実行され得る。
【０２５０】
[00285]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０２５１】
[00286]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気記憶デバイス、あるいは命令またはデータ構造の形態の所望のプログラムコードを搬送または記憶するために使用され得、コンピュータによってアクセスされ得る任意の他の媒体を備え得る。また、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、一方ディスク（disc）は、データをレーザーで光学的に再生する。したがって、いくつかの態様では、コンピュータ可読媒体は、非一時的コンピュータ可読媒体（たとえば有形媒体）を備え得る。さらに、いくつかの態様では、コンピュータ可読媒体は、一時的コンピュータ可読媒体（たとえば信号）を備え得る。上記の組合せも、コンピュータ可読媒体の範囲内に含まれるべきである。
【０２５２】
[00287]本明細書で開示された方法は、説明された方法を達成するための１つまたは複数のステップまたはアクションを備える。方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０２５３】
[00288]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を容易にするためにサーバに結合され得る。代替的に、本明細書で説明された様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明された方法および技法をデバイスに与えるための任意の他の好適な技法が利用され得る。
【０２５４】
[00289]上記のことは本開示の態様を対象とするが、本開示の他の態様およびさらなる態様が、それの基本的範囲から逸脱することなく考案され得、それの範囲は以下の特許請求の範囲によって決定される。
以下に、本願の出願当初の特許請求の範囲に記載された発明を付記する。
［Ｃ１］
ワイヤレス通信のための装置であって、
命令を記憶するメモリと、
前記メモリに結合されたプロセッサと、ここにおいて、前記プロセッサおよび前記メモリは、
メッセージの送信のための総帯域幅を決定することと、前記総帯域幅が複数のトーンを備え、
前記総帯域幅中の前記複数のトーンを、１つまたは複数の２６トーンブロック、５２トーンブロック、１０６トーンブロック、２４２トーンブロック、または９９６トーンブロックに分割することと、
指示を決定することと、前記指示は、第１のワイヤレス通信デバイスに、前記１つまたは複数のトーンブロックのうちの１つまたは複数を割り当て、
を行うように構成され、
少なくとも前記第１のワイヤレス通信デバイスまたは第２のデバイスに、前記指示を送信するように構成された送信機と、
を備える装置。
［Ｃ２］
前記総帯域幅は、
６つの左エッジトーンと、その後に続く１つの割り振られていないトーンと、その後に続く２つの２６トーンブロックと、その後に続く１つの割り振られていないトーンと、その後に続く２つの２６トーンブロックと、その後に続く分離２６トーンブロックの１３個のトーンと、その後に続く７つの直流（ＤＣ）トーンと、その後に続く分離２６トーンブロックの１３個のトーンと、その後に続く２つの２６トーンブロックと、その後に続く１つの割り振られていないトーンと、その後に続く２つの２６トーンブロックと、その後に続く１つの割り振られていないトーンと、その後に続く５つの右エッジトーン、
６つの左エッジトーンと、その後に続く１つの割り振られていないトーンと、その後に続く１つの５２トーンブロックと、その後に続く１つの割り振られていないトーンと、その後に続く１つの５２トーンブロックと、その後に続く分離２６トーンブロックの１３個のトーンと、その後に続く７つのＤＣトーンと、その後に続く分離２６トーンブロックの１３個のトーンと、その後に続く１つの５２トーンブロックと、その後に続く１つの割り振られていないトーンと、その後に続く１つの５２トーンブロックと、その後に続く１つの割り振られていないトーンと、その後に続く５つの右エッジトーン、
６つの左エッジトーンと、その後に続く１０６トーンブロックと、その後に続く分離２６トーンブロックの１３個のトーンと、その後に続く７つのＤＣトーンと、その後に続く分離２６トーンブロックの１３個のトーンと、その後に続く１０６トーンブロックと、その後に続く５つの右エッジトーン、および
６つの左エッジトーンと、その後に続く分離２４２トーンブロックの１２１個のトーンと、その後に続く３つのＤＣトーンと、その後に続く分離２４２トーンブロックの１２１個のトーンと、その後に続く５つの右エッジトーン
のうちの少なくとも１つを備える２０ＭＨｚ帯域幅である、Ｃ１に記載の装置。
［Ｃ３］
前記総帯域幅は、
１２個の左エッジトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く５つの直流（ＤＣ）トーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１１個の右エッジトーン、
１２個の左エッジトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く５つのＤＣトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１１個の右エッジトーン、
１２個の左エッジトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く５つのＤＣトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く１１個の右エッジトーン、
１２個の左エッジトーンと、その後に続く２４２トーンブロックと、その後に続く５つのＤＣトーンと、その後に続く２４２トーンブロックと、その後に続く１１個の右エッジトーン
のうちの少なくとも１つを備える４０ＭＨｚ帯域幅である、Ｃ１に記載の装置。
［Ｃ４］
前記総帯域幅は、
１２個の左エッジトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く分離２６トーンブロックの１３個のトーンと、その後に続く７つの直流（ＤＣ）トーンと、その後に続く分離２６トーンブロックの１３個のトーンと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１つの２６トーンブロックと、その後に続く１つの割り振られていないトーンと、その後に続く２つの２６トーンブロックと、その後に続く２つの割り振られていないトーンと、その後に続く２つの２６トーンブロックと、その後に続く１つの割り振られていないトーンと、その後に続く１１個の右エッジトーン、
１２個の左エッジトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く分離２６トーンブロックの１３個のトーンと、その後に続く７つのＤＣトーンと、その後に続く分離２６トーンブロックの１３個のトーンと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１つの２６トーンブロックと、その後に続く１つの割り振られていないトーンと、その後に続く１つの５２トーンブロックと、その後に続く２つの割り振られていないトーンと、その後に続く１つの５２トーンブロックと、その後に続く１つの割り振られていないトーンと、その後に続く１１個の右エッジトーン、
１２個の左エッジトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く２つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く分離２６トーンブロックの１３個のトーンと、その後に続く７つのＤＣトーンと、その後に続く分離２６トーンブロックの１３個のトーンと、その後に続く１つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く２つの割り振られていないトーンと、その後に続く１０６トーンブロックと、その後に続く１つの割り振られていないトーンと、その後に続く１つの２６トーンブロックと、その後に続く１つの割り振られていないトーンと、その後に続く１０６トーンブロックと、その後に続く１つの割り振られていないトーンと、その後に続く１１個の右エッジトーン、
１２個の左エッジトーンと、その後に続く２つの２４２トーンブロックと、その後に続く分離２６トーンブロックの１３個のトーンと、その後に続く７つのＤＣトーンと、その後に続く分離２６トーンブロックの１３個のトーンと、その後に続く２つの２４２トーンブロックと、その後に続く１１個の右エッジトーン、および
１２個の左エッジトーンと、その後に続く分離９９６トーンブロックの４９８個のトーンと、その後に続く５つのＤＣトーンと、その後に続く分離９９６トーンブロックの４９８個のトーンと、その後に続く１１個の右エッジトーン
のうちの少なくとも１つを備える８０ＭＨｚ帯域幅である、Ｃ１に記載の装置。
［Ｃ５］
前記総帯域幅は、
１２個の左エッジトーンと、その後に続く９９６トーンブロックと、その後に続く２３個の直流（ＤＣ）トーンと、その後に続く９９６トーンブロックと、その後に続く１１個のエッジトーン、ここにおいて、各９９６トーンブロックは単一の局に割り当てられる、
１２個の左エッジトーンと、その後に続く９９６トーンブロックと、その後に続く２３個のＤＣトーンと、その後に続く９９６トーンブロックと、その後に続く１１個のエッジトーン、ここにおいて、各９９６トーンブロックは異なる局に割り当てられる、
１２個の左エッジトーンと、その後に続く９９６トーンブロックと、その後に続く、複数のサブバンドＤＣトーンと１つまたは複数の２６トーンブロック、５２トーンブロック、１０６トーンブロック、または２４２トーンブロックとを含む８０ＭＨｚサブバンド送信と、その後に続く１１個のエッジトーン、
１２個の左エッジトーンと、その後に続く、複数のサブバンドＤＣトーンと１つまたは複数の２６トーンブロック、５２トーンブロック、１０６トーンブロック、または２４２トーンブロックとを含む８０ＭＨｚサブバンド送信と、その後に続く９９６トーンブロックと、その後に続く１１個のエッジトーン、および
１２個の左エッジトーンと、その後に続く、複数のサブバンドＤＣトーンと１つまたは複数の２６トーンブロック、５２トーンブロック、１０６トーンブロック、または２４２トーンブロックとを含む別の８０ＭＨｚサブバンド送信と、その後に続く１１個のエッジトーン
のうちの少なくとも１つを備える１６０ＭＨｚ帯域幅であり、
ここにおいて、前記９９６トーンブロックは、９９６トーン割振りユニット＋サブバンドＤＣトーンとして中間に５つのヌルトーンを備える、Ｃ１に記載の装置。
［Ｃ６］
前記プロセッサは、干渉測定において使用するために、前記１つまたは複数のトーンブロックのうちの１つまたは複数のパイロットトーンをパンクチャするように構成される、Ｃ１に記載の装置。
［Ｃ７］
前記メッセージは、１０２個のデータトーンと、４つのパイロットトーンと、７つの総直流（ＤＣ）トーンとを備える、少なくとも１つの１０６トーンブロックを備える、Ｃ１に記載の装置。
［Ｃ８］
前記メッセージは、２つの８０ＭＨｚ送信を備える１６０ＭＨｚ送信を備える、Ｃ２に記載の装置。
［Ｃ９］
前記メッセージは、２つの連続する８０ＭＨｚ送信と、２３個の直流トーンとを備える、Ｃ８に記載の装置。
［Ｃ１０］
前記メッセージは、２つの不連続８０ＭＨｚ送信と、サブバンド直流トーンのみとを備える、Ｃ８に記載の装置。
［Ｃ１１］
各２６トーンブロックは、２つのパイロットトーンと、２４個のデータトーンとを含む、Ｃ１に記載の装置。
［Ｃ１２］
前記プロセッサは、
２３４個のトーンを９個のトーングループに分割すること、４６８個のトーンを１８個のトーングループに分割すること、４９４個のトーンを１９個のトーングループに分割すること、９３６個のトーンを３６個のトーングループに分割すること、９８８個のトーンを３８個のトーングループに分割すること、および１００６個のトーンを３１個のトーングループに分割すること、
のうちの少なくとも１つを行うように構成されることによって、前記総帯域幅中の前記複数のトーンを前記１つまたは複数のトーンブロックに分割するように構成される、Ｃ１に記載の装置。
［Ｃ１３］
各２４２トーンブロックは、８つのパイロットトーンと、２３４個のデータトーンとを含む、Ｃ１に記載の装置。
［Ｃ１４］
前記プロセッサは、
２４２個のトーンを１つのトーングループに分割すること、４８４個のトーンを２つのトーングループに分割すること、および９６８個のトーンを４つのトーングループに分割すること
のうちの少なくとも１つを行うように構成されることによって、前記総帯域幅中の前記複数のトーンを前記１つまたは複数のトーンブロックに分割するように構成される、Ｃ１３に記載の装置。
［Ｃ１５］
前記プロセッサは、共通または制御チャネルに、２０ＭＨｚ送信および４０ＭＨｚ送信のための少なくとも１つのトーングループに加えて、１つまたは複数の割り振られていないトーンを割り当てるようにさらに構成される、Ｃ１に記載の装置。
［Ｃ１６］
前記プロセッサは、２０ＭＨｚ送信および４０ＭＨｚ送信のために、前記共通または制御チャネルに、少なくとも１つのトーングループを割り振るようにさらに構成される、Ｃ１５に記載の装置。
［Ｃ１７］
前記プロセッサは、初期分散における干渉測定のために、１つまたは複数のトーンを割り振るようにさらに構成される、Ｃ１５に記載の装置。
［Ｃ１８］
前記初期分散は、２６トーンブロック間のギャップ中に位置決めされた前記干渉測定のためのトーンを備える、Ｃ１７に記載の装置。
［Ｃ１９］
前記プロセッサは、前記干渉測定のためのトーンのロケーションを、後続のシンボルにおける送信のために、２７トーンブロック内で前記トーンの前記ロケーションを循環的にインクリメントすることによって、変更するようにさらに構成され、各２７トーンブロックは、２６トーンブロックと干渉測定のための単一のトーンとを含む、Ｃ１７に記載の装置。
［Ｃ２０］
前記プロセッサは、前記干渉測定のためのトーンのロケーションを、後続のシンボルにおける送信のために、使用可能トーンの全体内で前記トーンの前記ロケーションを循環的にインクリメントすることによって、変更するように構成される、Ｃ１７に記載の装置。
［Ｃ２１］
前記プロセッサは、前記送信機に、前記干渉測定のためのトーン上で送信させないようにさらに構成され、
前記装置は、前記干渉測定のためのトーン上で受信される干渉および雑音を測定するように構成された受信機をさらに備える、
Ｃ１７に記載の装置。
［Ｃ２２］
前記プロセッサは、前記送信機に、前記２６トーンブロック上で情報を送信させ、前記干渉測定のためのトーン上で送信させないように構成される、Ｃ２１に記載の装置。
［Ｃ２３］
どの２６トーンブロックも２４２トーン境界を横断しない、Ｃ１に記載の装置。
［Ｃ２４］
前記指示は、１つまたは複数のルールに従って信号フィールドにおいて通信される、Ｃ１に記載の装置。
［Ｃ２５］
前記装置は、アクセスポイントを備え、
前記プロセッサは、前記アクセスポイントによってサービスされる前記ワイヤレス通信デバイスに、前記アクセスポイントの前記送信機とアンテナとを通して前記指示を送信するように構成される、
Ｃ１に記載の装置。
［Ｃ２６］
前記ワイヤレス通信デバイスは、移動局を備え、
前記第２のデバイスは、前記移動局にサービスするアクセスポイントを備え、
前記プロセッサは、前記アクセスポイントに、前記移動局の前記送信機とアンテナとを通して前記指示を送信するように構成される、
Ｃ１に記載の装置。
［Ｃ２７］
前記ワイヤレス通信デバイスは、第１の移動局を備え、
前記第２のデイブスは、前記第１の移動局とピアツーピア通信している第２の移動局を備え、
前記プロセッサは、前記第２の移動局に、前記第１の移動局の前記送信機とアンテナとを通して前記指示を送信するように構成される、
Ｃ１に記載の装置。
［Ｃ２８］
ワイヤレス通信ネットワークを介して通信する方法であって、
メッセージの送信のための総帯域幅を決定することと、前記総帯域幅は複数のトーンを備え、
前記総帯域幅中の前記複数のトーンを、１つまたは複数の２６トーンブロック、５２トーンブロック、１０６トーンブロック、２４２トーンブロック、または９９６トーンブロックに分割することと、
指示を決定することと、前記指示は、第１のワイヤレス通信デバイスに、前記１つまたは複数のトーンブロックのうちの１つまたは複数を割り当て、
少なくとも前記第１のワイヤレス通信デバイスまたは第２のデバイスに、前記指示を送信することと、
を備える方法。
［Ｃ２９］
ワイヤレス通信のための装置であって、
メッセージの送信のための総帯域幅を決定するための手段と、前記総帯域幅は複数のトーンを備え、
前記総帯域幅中の前記複数のトーンを、１つまたは複数の２６トーンブロック、５２トーンブロック、１０６トーンブロック、１０７トーンブロック、２４２トーンブロック、９９４トーンブロック、または９９６トーンブロックに分割するための手段と、
指示を決定するための手段と、前記指示は、第１のワイヤレス通信デバイスに、前記１つまたは複数のトーンブロックのうちの１つまたは複数を割り当て、
少なくとも前記第１のワイヤレス通信デバイスまたは第２のデバイスに、前記指示を送信するための手段と、
を備える装置。
［Ｃ３０］
ワイヤレス通信のための装置であって、
前記装置に、１つまたは複数の２６トーンブロック、５２トーンブロック、１０６トーンブロック、２４２トーンブロック、または９９６トーンブロックの割振りを与える指示を受信するように構成された受信機と、前記１つまたは複数のトーンブロックは、メッセージの送信のために総帯域幅中の複数のトーンを備え、
命令を記憶するメモリと、
前記メモリに結合されたプロセッサと、ここにおいて、前記プロセッサおよび前記メモリはが、前記割当て中で示された前記１つまたは複数の２６トーンブロック、５２トーンブロック、１０６トーンブロック、２４２トーンブロック、または９９６トーンブロックに従う送信のために前記メッセージを生成するように構成される、
を備える装置。
【図１】
0006700268.tif 000002
【図２】
0006700268.tif 000003
【図３】
0006700268.tif 000004
【図４】
0006700268.tif 000005
【図５Ａ】
0006700268.tif 000006
【図５Ｂ】
0006700268.tif 000007
【図５Ｃ】
0006700268.tif 000008
【図６Ａ】
0006700268.tif 000009
【図６Ｂ】
0006700268.tif 000010
【図６Ｃ】
0006700268.tif 000011
【図６Ｄ】
0006700268.tif 000012
【図６Ｅ】
0006700268.tif 000013
【図７Ａ】
0006700268.tif 000014
【図７Ｂ】
0006700268.tif 000015
【図７Ｃ】
0006700268.tif 000016
【図７Ｄ】
0006700268.tif 000017
【図７Ｅ】
0006700268.tif 000018
【図８Ａ】
0006700268.tif 000019
【図８Ｂ】
0006700268.tif 000020
【図８Ｃ】
0006700268.tif 000021
【図９Ａ】
0006700268.tif 000022
【図９Ｂ】
0006700268.tif 000023
【図９Ｃ】
0006700268.tif 000024
【図９Ｄ】
0006700268.tif 000025
【図９Ｅ】
0006700268.tif 000026
【図１０】
0006700268.tif 000027
【図１１】
0006700268.tif 000028
【図１２】
0006700268.tif 000029
【図１３】
0006700268.tif 000030
【図１４Ａ】
0006700268.tif 000031
【図１４Ｂ】
0006700268.tif 000032
【図１４Ｃ】
0006700268.tif 000033
【図１５Ａ】
0006700268.tif 000034
【図１５Ｂ】
0006700268.tif 000035
【図１６Ａ】
0006700268.tif 000036
【図１６Ｂ】
0006700268.tif 000037
【図１６Ｃ】
0006700268.tif 000038
【図１７】
0006700268.tif 000039
【図１８】
0006700268.tif 000040
【図１９】
0006700268.tif 000041
【図２０Ａ】
0006700268.tif 000042
【図２０Ｂ】
0006700268.tif 000043
【図２０Ｃ】
0006700268.tif 000044
【図２１】
0006700268.tif 000045
【図２２Ａ】
0006700268.tif 000046
【図２２Ｂ】
0006700268.tif 000047
【図２２Ｃ】
0006700268.tif 000048
【図２２Ｄ】
0006700268.tif 000049
【図２３Ａ】
0006700268.tif 000050
【図２３Ｂ】
0006700268.tif 000051
【図２３Ｃ】
0006700268.tif 000052
【図２４Ａ】
0006700268.tif 000053
【図２４Ｂ】
0006700268.tif 000054
【図２４Ｃ】
0006700268.tif 000055